(57)【要約】【課題】本発明は、据置型音楽再生装置２１を携帯型音楽再生装置２２と連携させた音楽データの再生に対し容易に使用させる。【解決手段】本発明は、携帯型音楽再生装置２２が据置型音楽再生装置２１に接続されると、音楽データの再生履歴に応じた連携利用属性データを据置型音楽再生装置２１に送信し、据置型音楽再生装置２１が連携利用属性データと、複数の選定可能音楽データに対応する複数の属性データＡＢとに基づき、連携利用属性データに対応する音楽データとの類似度が高い選定可能音楽データを再生用に選定することにより、据置型音楽再生装置２１に携帯型音楽再生装置２２を接続するだけで、当該据置型音楽再生装置２１を携帯型音楽再生装置２２と連携させて音楽データを再生用に選定でき、据置型音楽再生装置２１を携帯型音楽再生装置２２と連携させた音楽データの再生に容易に使用させ得る。【選択図】図８
2009217873.tif 000002
【特許請求の範囲】
【請求項１】
再生用に選定可能な複数の選定可能コンテンツデータの属性を示す複数の属性データを記憶する属性記憶部と、
コンテンツ選定装置に、コンテンツデータを再生するコンテンツ再生装置が接続されたとき、当該コンテンツ再生装置から複数の上記コンテンツデータの属性を示す属性データのうち上記コンテンツデータの再生履歴に応じた上記属性データが、上記コンテンツ選定装置及び上記コンテンツ再生装置が連携して上記選定可能コンテンツデータを再生するために利用する連携利用属性データとして送信されると、当該送信された上記連携利用属性データを受信する受信部と、
上記受信部により受信された上記連携利用属性データと、上記属性記憶部に記憶された複数の上記属性データとに基づき複数の上記選定可能コンテンツデータの中から、上記連携利用属性データに対応する上記コンテンツデータとの類似度が高い当該選定可能コンテンツデータを再生用に選定する選定部と
を具えるコンテンツ選定装置。
【請求項２】
上記選定部は、
上記受信部により受信された上記連携利用属性データと、上記属性記憶部に記憶された複数の上記属性データとに基づき複数の上記選定可能コンテンツデータの中から、上記連携利用属性データに対応する上記コンテンツデータとの類似度が高い１つの当該選定可能コンテンツデータを再生用に選定した後、上記属性記憶部に記憶された複数の上記属性データに基づき複数の上記選定可能コンテンツデータの中から、順次、１つ前に再生用に選定した上記選定可能コンテンツデータとの類似度が高い他の上記選定可能コンテンツデータを再生用に選定する
ことを特徴とする請求項１に記載のコンテンツ選定装置。
【請求項３】
上記選定部により順次選定された上記選定可能コンテンツデータを再生する再生部と、
上記コンテンツ選定装置に上記コンテンツ再生装置が接続されている間、上記再生部により上記選定可能コンテンツデータの再生が開始される毎に、当該再生を開始した上記選定可能コンテンツデータに対応する上記属性データを、上記コンテンツ再生装置が上記選定部に引き継いで上記選定可能コンテンツデータとの類似度が高い上記コンテンツデータを再生用に選定するために利用する引継利用属性データとして上記コンテンツ再生装置に送信する送信部と
を具えることを特徴とする請求項２に記載のコンテンツ選定装置。
【請求項４】
複数の上記選定可能コンテンツデータを記憶するコンテンツ記憶部と、
複数の上記選定可能コンテンツデータを記憶している他の装置と通信する通信部と
を具え、
上記属性記憶部は、
上記コンテンツ記憶部に記憶された複数の上記選定可能コンテンツデータに対応する複数の上記属性データと、上記他の装置で記憶されている複数の上記選定可能コンテンツデータに対応する複数の上記属性データとを記憶し、
上記通信部は、
上記選定部により選定された上記選定可能コンテンツデータが上記他の装置で記憶されていると、当該他の装置に対し、上記選定された上記選定可能コンテンツデータを再生要求することにより当該他の装置から送信される当該選定された上記選定可能コンテンツデータを受信し、
上記再生部は、
上記選定部により選定された上記選定可能コンテンツデータが上記コンテンツ記憶部に記憶されていると、当該コンテンツ記憶部に記憶されている当該選定された上記選定可能コンテンツデータを再生し、上記選定部により選定された上記選定可能コンテンツデータが上記他の装置で記憶されていると、上記他の装置から送信され上記通信部により受信されている当該選定された上記選定可能コンテンツデータを再生する
ことを特徴とする請求項３に記載のコンテンツ選定装置。
【請求項５】
２以上のアーティストが共演したコンテンツの共演コンテンツデータと、当該共演した２以上のアーティストとを示す共演アーティストリストを記憶するリスト記憶部
を具え、
上記選定部は、
上記再生部により上記選定可能コンテンツデータを再生中の上記コンテンツ選定装置に上記コンテンツデータを再生中の上記コンテンツ再生装置が接続され、当該コンテンツ再生装置から上記再生履歴に応じて上記再生中の上記コンテンツデータに対応する上記属性データが上記連携利用属性データとして送信されると、上記共演アーティストリストと、上記再生中の上記選定可能コンテンツデータに対応する上記属性データと、上記連携利用属性データとに基づき、上記再生中の上記選定可能コンテンツデータに対応するアーティストと、上記再生中の上記コンテンツデータに対応するアーティストとが共演した上記コンテンツの上記共演コンテンツデータが存在するか否かを判別し、当該共演コンテンツデータが存在すると、当該共演コンテンツデータを再生用に選定し、上記共演コンテンツデータが存在しないと、上記連携利用属性データに対応する上記コンテンツデータとの類似度が高い上記選定可能コンテンツデータを再生用に選定する
ことを特徴とする請求項４に記載のコンテンツ選定装置。
【請求項６】
複数の上記選定可能コンテンツデータの再生順序を規定するプレイリストを生成するプレイリスト生成部
を具え、
上記選定部は、
上記受信部により受信された上記連携利用属性データと、上記属性記憶部に記憶された複数の上記属性データとに基づき複数の上記選定可能コンテンツデータの中から、上記連携利用属性データに対応する上記コンテンツデータとの類似度が高い複数の当該選定可能コンテンツデータを再生用に選定し、
上記プレイリスト生成部は、
上記選定部により選定された複数の上記選定可能コンテンツデータの再生順序を規定する上記プレイリストを生成する
ことを特徴とする請求項１に記載のコンテンツ選定装置。
【請求項７】
複数のコンテンツデータの属性を示す複数の属性データを記憶する属性記憶部と、
上記コンテンツデータを再生する再生部と、
コンテンツ選定装置及びコンテンツ再生装置が連携して再生用に選定可能な選定可能コンテンツデータを再生するために利用する連携利用属性データと、複数の上記選定可能コンテンツデータの属性を示す複数の属性データとに基づき複数の上記選定可能コンテンツデータの中から、上記連携利用属性データに対応する上記コンテンツデータとの類似度が高い当該選定可能コンテンツデータを再生用に選定する上記コンテンツ選定装置に上記コンテンツ再生装置が接続されると、上記属性記憶部に記憶された複数の上記属性データのうち、上記再生部による上記コンテンツデータの再生履歴に応じた当該属性データを上記連携利用属性データとして上記コンテンツ選定装置に送信する送信部と
を具えるコンテンツ再生装置。
【請求項８】
上記コンテンツ選定装置に上記コンテンツ再生装置が接続されている間に、当該コンテンツ選定装置から、上記連携利用属性データに対応する上記コンテンツデータとの類似度が高い１つの当該選定可能コンテンツデータが再生用に選定された後、複数の上記選定可能コンテンツデータに対応する複数の上記属性データに基づき当該複数の上記選定可能コンテンツデータの中から、順次、１つ前に再生用に選定された上記選定可能コンテンツデータとの類似度が高い他の上記選定可能コンテンツデータが再生用に選定され、当該選定された上記選定可能コンテンツデータの再生が開始される毎に、当該再生の開始された上記選定可能コンテンツデータに対応する上記属性データが上記コンテンツ選定装置に引き継いで上記コンテンツデータを再生用に選定するために利用する引継利用属性データとして送信されると、当該送信された上記引継利用属性データを受信する受信部と、
上記引継利用属性データと、上記属性記憶部に記憶された複数の上記属性データとに基づき複数の上記コンテンツデータの中から、上記引継利用属性データに対応する上記選定可能コンテンツデータとの類似度が高い当該コンテンツデータを再生用に選定する選定部と
を具え、
上記属性記憶部は、
上記受信部により受信された上記引継利用属性データを記憶し、
上記選定部は、
上記コンテンツ選定装置から上記コンテンツ再生装置が外されると、上記属性記憶部に記憶された上記引継利用属性データと、当該属性記憶部に記憶された複数の上記属性データとに基づき複数の上記コンテンツデータの中から、上記引継利用属性データに対応する上記選定可能コンテンツデータとの類似度が高い当該コンテンツデータを再生用に選定する
ことを特徴とする請求項７に記載のコンテンツ再生装置。
【請求項９】
複数の上記コンテンツデータを記憶するコンテンツ記憶部と、
上記コンテンツデータの選定終了を指示するために用いられる指示部と
を具え、
上記選定部は、
上記コンテンツ選定装置から上記コンテンツ再生装置が外されると、上記属性記憶部に記憶された上記引継利用属性データと、当該属性記憶部に記憶された複数の上記属性データとに基づき複数の上記コンテンツデータの中から、上記引継利用属性データに対応する上記選定可能コンテンツデータとの類似度が高い１つの当該コンテンツデータを再生用に選定した後、上記指示部を介して上記選定終了が指示されるまでの間、上記属性記憶部に記憶された複数の上記属性データに基づき複数の上記コンテンツデータの中から、順次、１つ前に再生用に選定した上記コンテンツデータとの類似度が高い他の上記コンテンツデータを再生用に選定し、
上記再生部は、
上記コンテンツ記憶部に記憶された複数の上記コンテンツデータのうち、上記選定部により順次選定された上記コンテンツデータを再生する
ことを特徴とする請求項８に記載のコンテンツ再生装置。
【請求項１０】
複数の上記コンテンツデータの再生順序を規定するプレイリストを生成するプレイリスト生成部
を具え、
上記選定部は、
上記受信部により受信された上記引継利用属性データと、上記属性記憶部に記憶された複数の上記属性データとに基づき複数の上記コンテンツデータの中から、上記引継利用属性データに対応する上記選定可能コンテンツデータとの類似度が高い複数の当該コンテンツデータを再生用に選定し、
上記プレイリスト生成部は、
上記選定部により選定された複数の上記コンテンツデータの再生順序を規定する上記プレイリストを生成する
ことを特徴とする請求項７に記載のコンテンツ再生装置。
【請求項１１】
再生用に選定可能な複数の選定可能コンテンツデータの属性を示す複数の属性データを記憶する属性記憶ステップと、
コンテンツ選定装置に、コンテンツデータを再生するコンテンツ再生装置が接続されたとき、当該コンテンツ再生装置から複数の上記コンテンツデータの属性を示す属性データのうち上記コンテンツデータの再生履歴に応じた上記属性データが、上記コンテンツ選定装置及び上記コンテンツ再生装置が連携して上記選定可能コンテンツデータを再生するために利用する連携利用属性データとして送信されると、当該送信された上記連携利用属性データを受信する受信ステップと、
上記受信した上記連携利用属性データと、上記記憶した複数の上記属性データとに基づき複数の上記選定可能コンテンツデータの中から、上記連携利用属性データに対応する上記コンテンツデータとの類似度が高い当該選定可能コンテンツデータを再生用に選定する選定ステップと
を具えるコンテンツ選定方法。
【請求項１２】
複数のコンテンツデータの属性を示す複数の属性データを記憶する属性記憶ステップと、
上記コンテンツデータを再生する再生ステップと、
コンテンツ選定装置及びコンテンツ再生装置が連携して再生用に選定可能な選定可能コンテンツデータを再生するために利用する連携利用属性データと、複数の上記選定可能コンテンツデータの属性を示す複数の属性データとに基づき複数の上記選定可能コンテンツデータの中から、上記連携利用属性データに対応する上記コンテンツデータとの類似度が高い当該選定可能コンテンツデータを再生用に選定する上記コンテンツ選定装置に上記コンテンツ再生装置が接続されると、上記記憶した複数の上記属性データのうち、上記コンテンツデータの再生履歴に応じた当該属性データを上記連携利用属性データとして上記コンテンツ選定装置に送信する送信ステップと
を具えるコンテンツ再生方法。
【請求項１３】
コンピュータに対して、
再生用に選定可能な複数の選定可能コンテンツデータの属性を示す複数の属性データを記憶する属性記憶ステップと、
上記コンピュータに、コンテンツデータを再生するコンテンツ再生装置が接続されたとき、当該コンテンツ再生装置から複数の上記コンテンツデータの属性を示す属性データのうち上記コンテンツデータの再生履歴に応じた上記属性データが、上記コンピュータ及び上記コンテンツ再生装置が連携して上記選定可能コンテンツデータを再生するために利用する連携利用属性データとして送信されると、当該送信された上記連携利用属性データを受信する受信ステップと、
上記受信した上記連携利用属性データと、上記記憶した複数の上記属性データとに基づき複数の上記選定可能コンテンツデータの中から、上記連携利用属性データに対応する上記コンテンツデータとの類似度が高い当該選定可能コンテンツデータを再生用に選定する選定ステップと
を実行させるためのコンテンツ選定プログラム。
【請求項１４】
コンピュータに対して、
複数のコンテンツデータの属性を示す複数の属性データを記憶する属性記憶ステップと、
上記コンテンツデータを再生する再生ステップと、
コンテンツ選定装置及び上記コンピュータが連携して再生用に選定可能な選定可能コンテンツデータを再生するために利用する連携利用属性データと、複数の上記選定可能コンテンツデータの属性を示す複数の属性データとに基づき複数の上記選定可能コンテンツデータの中から、上記連携利用属性データに対応する上記コンテンツデータとの類似度が高い当該選定可能コンテンツデータを再生用に選定する上記コンテンツ選定装置に上記コンピュータが接続されると、上記記憶した複数の上記属性データのうち、上記コンテンツデータの再生履歴に応じた当該属性データを上記連携利用属性データとして上記コンテンツ選定装置に送信する送信ステップと
を実行させるためのコンテンツ再生プログラム。
【請求項１５】
複数のコンテンツデータの属性を示す複数の属性データを記憶する再生側属性記憶部と、
上記コンテンツデータを再生する再生部と、
コンテンツ選定装置にコンテンツ再生装置が接続されると、上記再生側属性記憶部に記憶された複数の上記属性データのうち、上記再生部による上記コンテンツデータの再生履歴に応じた当該属性データを、上記コンテンツ選定装置及び上記コンテンツ再生装置の連携した上記コンテンツデータの再生に利用する連携利用属性データとして上記コンテンツ選定装置に送信する送信部と
を有する上記コンテンツ再生装置と、
再生用に選定可能な複数の選定可能コンテンツデータの属性を示す複数の属性データを記憶する選定側属性記憶部と、
上記コンテンツ選定装置に上記コンテンツ再生装置が接続されたときに当該コンテンツ再生装置から送信された上記連携利用属性データを受信する受信部と、
上記受信部により受信された上記連携利用属性データと、上記選定側属性記憶部に記憶された複数の上記属性データとに基づき複数の上記選定可能コンテンツデータの中から、上記連携利用属性データに対応する上記コンテンツデータとの類似度が高い当該選定可能コンテンツデータを再生用に選定する選定部と
を有する上記コンテンツ選定装置と
を具える連携再生システム。
【発明の詳細な説明】
【技術分野】
【０００１】
本発明はコンテンツ選定装置、コンテンツ再生装置、コンテンツ選定方法、コンテンツ再生方法、コンテンツ選定プログラム、コンテンツ再生プログラム及び連携再生システムに関し、例えば、携帯型の音楽再生装置及び据置型の音楽再生装置が連携してコンテンツデータとしての音楽データを再生する連携再生システムに適用して好適なものである。
【背景技術】
【０００２】
従来の情報処理装置は、複数の音楽データと、当該複数の音楽データの属性を示す属性データとを対応付けて記憶している。
【０００３】
また情報処理装置は、例えば、類似する複数の音楽の音楽データそれぞれに対応する属性データ同士の関連付けを示す属性関連情報を生成し、当該生成した属性関連情報も記憶している。
【０００４】
そして情報処理装置は、音楽データの再生に属性関連情報を利用するように指示されると、音楽データを再生する毎に、属性関連情報に基づき、当該再生中の音楽データに対応する属性データと関連する他の属性データに対応する音楽データを次に再生するものとして選定している。
【０００５】
このようにして情報処理装置は、音楽データの再生に属性関連情報を利用する場合、順次、類似する音楽の音楽データを選定して再生していた（例えば、特許文献１参照）。
【特許文献１】特開２００７−２９４０３６公報
【発明の開示】
【発明が解決しようとする課題】
【０００６】
ところで、かかる構成の情報処理装置としては、据置型や携帯型のものがある。よってユーザが、このように据置型や携帯型の情報処理装置を所有していると、自宅や外出先等のような場所に応じて、これら据置型や携帯型の情報処理装置を使い分けるものと考えられる。
【０００７】
このため、最近では、何れかの情報処理装置が使用された後に、他の情報処理装置が使用されるような場合に、当該他の情報処理装置により、先に使用された情報処理装置によって再生された音楽データに基づく音楽と同一又は類似する音楽の音楽データを選定して再生することが提案されている。
【０００８】
かかる提案によれば、例えば、ユーザが携帯型の情報処理装置を携帯して出かけた外出先から、据置型の情報処理装置の置かれている自宅に帰宅した場合や、それぞれ据置型の情報処理装置の置かれている一方の部屋から他方の部屋へ移動した場合に、後に使用される情報処理装置を、先に使用された情報処理装置と連携させて当該先の情報処理装置を使用して聴かれていた音楽と同一又は雰囲気の似た音楽を聴かせることができると考えられる。
【０００９】
ところが、かかる構成の情報処理装置は、上述したように属性関連情報を利用して類似する音楽の音楽データを選定して再生し得るものの、先に使用された情報処理装置に替えて使用される場合、ユーザに対し、当該先に使用された情報処理装置を使用して聴かれた音楽と同一、又は類似する音楽の音楽データを指定させる必要がある。
【００１０】
すなわち、情報処理装置は、先に使用された情報処理装置に替えて使用される場合、当該先に使用された情報処理装置と連携させた音楽の再生に、容易に使用させることができるとは言い難いという問題があった。
【００１１】
本発明は以上の点を考慮してなされたもので、コンテンツ選定装置を、コンテンツ再生装置と連携させたコンテンツデータの再生に対し容易に使用させることができるコンテンツ選定装置、コンテンツ再生装置、コンテンツ選定方法、コンテンツ再生方法、コンテンツ選定プログラム、コンテンツ再生プログラム及び連携再生システムを提案しようとするものである。
【課題を解決するための手段】
【００１２】
かかる課題を解決するため本発明においては、コンテンツ再生装置及びコンテンツ選定装置が連携してコンテンツデータを再生する連携再生システムにおいて、コンテンツ再生装置に対し、複数のコンテンツデータの属性を示す複数の属性データを記憶する再生側属性記憶部と、コンテンツデータを再生する再生部と、コンテンツ選定装置にコンテンツ再生装置が接続されると、再生側属性記憶部に記憶された複数の属性データのうち、再生部によるコンテンツデータの再生履歴に応じた当該属性データを、コンテンツ選定装置及びコンテンツ再生装置の連携したコンテンツデータの再生に利用する連携利用属性データとしてコンテンツ選定装置に送信する送信部とを設けるようにし、コンテンツ選定装置に対し、再生用に選定可能な複数の選定可能コンテンツデータの属性を示す複数の属性データを記憶する選定側属性記憶部と、コンテンツ選定装置にコンテンツ再生装置が接続されたとき、当該コンテンツ再生装置から送信された連携利用属性データを受信する受信部と、受信部により受信された連携利用属性データと、選定側属性記憶部に記憶された複数の属性データとに基づき複数の選定可能コンテンツデータの中から、連携利用属性データに対応するコンテンツデータとの類似度が高い当該選定可能コンテンツデータを再生用に選定する選定部とを設けるようにした。
【００１３】
従って本発明では、コンテンツ選定装置に対しコンテンツ再生装置を接続するだけで何ら特別な操作をさせることなく、当該コンテンツ選定装置をコンテンツ再生装置と連携させて、当該コンテンツ選定装置により、コンテンツ再生装置で再生していたコンテンツデータとの類似度が高い選定可能コンテンツデータを再生用に選定することができる。
【発明の効果】
【００１４】
本発明によれば、コンテンツ再生装置及びコンテンツ選定装置が連携してコンテンツデータを再生する連携再生システムにおいて、コンテンツ再生装置に対し、複数のコンテンツデータの属性を示す複数の属性データを記憶する再生側属性記憶部と、コンテンツデータを再生する再生部と、コンテンツ選定装置にコンテンツ再生装置が接続されると、再生側属性記憶部に記憶された複数の属性データのうち、再生部によるコンテンツデータの再生履歴に応じた当該属性データを、コンテンツ選定装置及びコンテンツ再生装置の連携したコンテンツデータの再生に利用する連携利用属性データとしてコンテンツ選定装置に送信する送信部とを設けるようにし、コンテンツ選定装置に対し、再生用に選定可能な複数の選定可能コンテンツデータの属性を示す複数の属性データを記憶する選定側属性記憶部と、コンテンツ選定装置にコンテンツ再生装置が接続されたとき、当該コンテンツ再生装置から送信された連携利用属性データを受信する受信部と、受信部により受信された連携利用属性データと、選定側属性記憶部に記憶された複数の属性データとに基づき複数の選定可能コンテンツデータの中から、連携利用属性データに対応するコンテンツデータとの類似度が高い当該選定可能コンテンツデータを再生用に選定する選定部とを設けるようにしたことにより、コンテンツ選定装置に対しコンテンツ再生装置を接続するだけで何ら特別な操作をさせることなく、当該コンテンツ選定装置をコンテンツ再生装置と連携させて、当該コンテンツ選定装置により、コンテンツ再生装置で再生していたコンテンツデータとの類似度が高い選定可能コンテンツデータを再生用に選定することができ、かくしてコンテンツ選定装置を、コンテンツ再生装置と連携させたコンテンツデータの再生に対し容易に使用させることができるコンテンツ選定装置、コンテンツ再生装置、コンテンツ選定方法、コンテンツ再生方法、コンテンツ選定プログラム、コンテンツ再生プログラム及び連携再生システムを実現することができる。
【発明を実施するための最良の形態】
【００１５】
以下図面について、本発明の一実施の形態を詳述する。
【００１６】
（１）連携再生システムの概要
図１において、１は全体として本発明による連携再生システムの構成の概要を示す。かかる連携再生システム１は、コンテンツ再生装置２及びコンテンツ選定装置３から構築されている。
【００１７】
コンテンツ再生装置２において再生側属性記憶部１０は、複数のコンテンツデータの属性を示す複数の属性データを記憶する。またコンテンツ再生装置２において再生部１１は、コンテンツデータを再生する。
【００１８】
そしてコンテンツ再生装置２において送信部１２は、コンテンツ選定装置３にコンテンツ再生装置２が接続されると、再生側属性記憶部１０に記憶された複数の属性データのうち、再生部１１によるコンテンツデータの再生履歴に応じた当該属性データを、コンテンツ再生装置２及びコンテンツ選定装置３の連携したコンテンツデータの再生に利用する連携利用属性データとしてコンテンツ選定装置３に送信する。
【００１９】
一方、コンテンツ選定装置３において選定側属性記憶部１５は、再生用に選定可能な複数の選定可能コンテンツデータの属性を示す複数の属性データを記憶する。
【００２０】
またコンテンツ選定装置３において受信部１６は、コンテンツ選定装置３にコンテンツ再生装置２が接続されたとき、当該コンテンツ再生装置２から送信された連携利用属性データを受信する。
【００２１】
そしてコンテンツ選定装置３において選定部１７は、受信部１６により受信された連携利用属性データと、選定側属性記憶部１５に記憶された複数の属性データとに基づき複数の選定可能コンテンツデータの中から、連携利用属性データに対応するコンテンツデータとの類似度が高い当該選定可能コンテンツデータを再生用に選定する。
【００２２】
かかる構成により連携再生システム１は、コンテンツ選定装置３に対しコンテンツ再生装置２を接続するだけで何ら特別な操作をさせることなく、当該コンテンツ選定装置３をコンテンツ再生装置２と連携させて、当該コンテンツ選定装置３により、コンテンツ再生装置２で再生していたコンテンツデータとの類似度が高い選定可能コンテンツデータを再生用に選定することができる。
【００２３】
よって連携再生システム１は、コンテンツ選定装置３を、コンテンツ再生装置２と連携させたコンテンツデータの再生に対し容易に使用させることができる。
【００２４】
（２）第１の実施の形態
（２−１）連携再生システムの構成
図２において、２０は全体として、図１について上述した本発明による連携再生システム１を適用し、コンテンツデータとしての音楽データを扱う第１の実施の形態による連携再生システムを示す。
【００２５】
かかる連携再生システム２０は、図１について上述した本発明によるコンテンツ選定装置３を適用し、音楽データの再生機能を有する据置型の音楽再生装置２１に対し、図１について上述した本発明によるコンテンツ再生装置２を適用した携帯型の音楽再生装置２２を、例えばケーブルを介して取外可能に接続し得るようになされている。
【００２６】
なお、以下の説明では、本発明によるコンテンツ選定装置３を適用した据置型の音楽再生装置２１を据置型音楽再生装置２１とも呼び、本発明によるコンテンツ再生装置２を適用した携帯型の音楽再生装置２２を携帯型音楽再生装置２２とも呼ぶ。
【００２７】
次いで、図３を用いて、据置型音楽再生装置２１の機能回路ブロックによる詳細なハードウェア構成について説明する。
【００２８】
かかる据置型音楽再生装置２１において制御部３０は、複数の操作キー等でなる操作部３１へのユーザ操作によって各種命令が入力されると、当該入力された各種命令に応じて装置全体を制御すると共に、各種処理を実行する。
【００２９】
これにより制御部３０は、据置型音楽再生装置２１に装填されるＣＤ（Compact Disc）等のメディアから音楽データを再生するメディア再生機能や、当該メディアに記録されている音楽データを録音する録音機能を実現する。
【００３０】
また制御部３０は、インターネット上の音楽配信装置（図示せず）から音楽データを購入する音楽購入機能や、録音や購入により取得した音楽データの中から任意に選定された複数の音楽データの再生順序を規定するプレイリストを生成するプレイリスト生成機能も実現する。
【００３１】
さらに制御部３０は、録音や購入により取得した音楽データを再生する取得音楽再生機能や、録音や購入により取得した音楽データを携帯型音楽再生装置２２に転送する転送機能等の各種機能も実現する。
【００３２】
実際に制御部３０は、ユーザにより操作部３１を介してメディア再生機能を選択する機能選択命令が入力されると、これに応じてメディア再生処理を実行する。
【００３３】
この場合、制御部３０は、据置型音楽再生装置２１に装填されたメディアから、再生部３２により音楽データを再生させて当該再生部３２に設けられた例えばスピーカ（図示せず）から音楽として出力させる。
【００３４】
このようにして制御部３０は、ユーザに対しメディアから再生した音楽データに基づく音楽を聴かせることができる。
【００３５】
また制御部３０は、ユーザにより操作部３１を介して録音機能を選択する機能選択命令が入力されると、これに応じて録音処理を実行する。
【００３６】
この場合、制御部３０は、据置型音楽再生装置２１に装填されたメディアから、再生部３２により音楽データを読み出すと共に、その音楽データをそのまま又は所定の圧縮符号化方式に準じて圧縮符号化した後、音楽記憶部３３に送出する。
【００３７】
これにより制御部３０は、音楽記憶部３３に対し、メディアから読み出した音楽データを、ＰＣＭ（Pulse Code Modulation ）、ＡＴＲＡＣ（Adaptive Transform Acoustic Coding）、ＷＭＡ（Windows（登録商標） Media Audio ）、ＭＰ３（MPEG Audio Layer-3）等のような種々のデータフォーマットの音楽データとして記憶する。
【００３８】
このようにして制御部３０は、メディアに記録されていた音楽データを録音することができる。
【００３９】
ところで制御部３０は、このような録音時、録音する音楽データ毎の音楽関連情報を要求する関連要求信号をネットワーク通信部３４によりインターネット上の関連情報提供装置（図示せず）に送信する。
【００４０】
その結果、制御部３０は、関連情報提供装置から送信された音楽関連情報をネットワーク通信部３４によって受信して取り込む。
【００４１】
ここで、図４に示すように、音楽関連情報ＭＲには、対応する音楽データ固有の識別情報（以下、これを音楽識別情報とも呼ぶ）ＭＩＤが含まれている。
【００４２】
また音楽関連情報ＭＲには、対応する音楽データに基づく音楽の音楽タイトルＭＴ、アーティスト名ＡＮ、その音楽が属するジャンルのジャンル名ＪＮ、その音楽が収録されたアルバムのアルバムタイトルＡＴも含まれている。
【００４３】
因みに、音楽関連情報ＭＲには、図示はしないが、対応する音楽データの再生時間や、アルバムのジャケット写真の画像を、インターネットを利用して取得するためのアドレス情報等も含まれている。
【００４４】
そして制御部３０は、音楽関連情報ＭＲを音楽記憶部３３に送出することにより、当該音楽記憶部３３に対し、その音楽関連情報ＭＲを音楽データに対応付けて記憶する。
【００４５】
また制御部３０は、かかる録音により音楽データ（すなわち、音楽識別情報ＭＩＤを付加した音楽データ）を音楽記憶部３３に記憶すると、当該音楽記憶部３３から音楽データを読み出して解析部３５に送出する。
【００４６】
解析部３５は、制御部３０から音楽データが与えられると、その音楽データに対する周波数解析処理を実行する。
【００４７】
この際、解析部３５は、音楽データを再生時間軸に沿って所定の単位処理部分（例えば、１秒分の音楽に相当する部分である）に分けると共に、順次単位処理部分から１オクターブの12音階それぞれに相当する周波数帯域毎のエネルギーを抽出する。
【００４８】
また解析部３５は、周波数解析処理により音楽データ全体に亘って周波数帯域毎のエネルギーを得ると、次いで、周波数帯域毎のエネルギーをもとに（すなわち、周波数解析の結果をもとに）、その音楽データに基づく音楽に対する特徴数値化処理を実行する。
【００４９】
その際、解析部３５は、その音楽データに基づく音楽の演奏に利用されている楽器や和音、テンポ等の種々の情報を検出する。
【００５０】
また解析部３５は、かかる種々の情報の検出結果に基づき、音楽の特徴を複数種類の項目（以下、これを特徴項目と呼ぶ）それぞれについて数値化して、当該音楽の特徴を表す複数の特徴値からなる特徴数値化情報を生成する。
【００５１】
因みに、解析部３５は、音楽データに基づく音楽の特徴を表す特徴数値化情報として音楽の基本的な特徴を、テンポや音のばらつき、音階、リズム等の複数種類の特徴項目それぞれについて数値化して表す複数の特徴値を生成する。
【００５２】
また解析部３５は、かかる特徴数値化情報として音楽の雰囲気の特徴を、アコースティックや元気、クラシック、ジャズ、カフェテラス等の複数種類の特徴項目それぞれについて数値化して表す複数の特徴値も生成する。
【００５３】
さらに解析部３５は、かかる特徴数値化情報として音楽の印象の特徴を、幸せや悲しい、明るい、うれしい、さわやか等の複数種類の特徴項目それぞれについて数値化して表す複数の特徴値も生成する。
【００５４】
このようにして解析部３５は、音楽データに基づく音楽の特徴を解析し、その解析結果として当該音楽の特徴を表す特徴数値化情報を得ると、その特徴数値化情報を制御部３０に送出する。
【００５５】
図５に示すように、制御部３０は、解析部３５から特徴数値化情報ＣＨが与えられると、その特徴数値化情報ＣＨを、これに対応する音楽関連情報ＭＲに含まれている音楽識別情報ＭＩＤ、音楽タイトルＭＴ、アーティスト名ＡＮ、ジャンル名ＪＮ及びアルバムタイトルＡＴと共に、録音した音楽データの属性を表す属性データＡＢとして属性記憶部３６に送出する。
【００５６】
ここで、図６に示すように、制御部３０は、属性記憶部３６内に属性データＡＢ１乃至ＡＢＮを登録するためのデータベース（以下、これを属性データベースとも呼ぶ）ＡＤＢを予め構築している。
【００５７】
よって制御部３０は、属性記憶部３６に送出した属性データＡＢ１乃至ＡＢＮを、その属性データベースＡＤＢに登録するようにして、当該属性記憶部３６に属性データＡＢ１乃至ＡＢＮを記憶する。
【００５８】
さらに制御部３０は、ユーザにより操作部３１を介して音楽購入機能を選択する機能選択命令が入力されると、これに応じて音楽購入処理を実行する。
【００５９】
この場合、制御部３０は、ユーザにより指定された音楽データを購入要求する音楽購入要求信号をネットワーク通信部３４によりインターネット上の音楽配信装置に送信する。
【００６０】
その結果、制御部３０は、音楽配信装置から音楽データの購入に対する課金処理が完了して、所定のデータフォーマットの当該音楽データと、対応する音楽関連情報ＭＲとが送信されると、これら音楽データ及び音楽関連情報ＭＲをネットワーク通信部３４によって受信して取り込む。
【００６１】
この際、制御部３０は、音楽配信装置から送信された音楽データを、対応する音楽関連情報ＭＲと共に音楽記憶部３３に送出することにより、当該音楽記憶部３３に対し音楽データ及び音楽関連情報ＭＲを対応付けて記憶する。
【００６２】
このようにして制御部３０は、音楽配信装置から音楽データを購入して音楽記憶部３３に記憶保持することができる。
【００６３】
ところで、制御部３０は、音楽記憶部３３に対し購入により音楽データを記憶した場合も、上述した録音の場合と同様に、音楽記憶部３３から、当該購入した音楽データを読み出して解析部３５に送出する。
【００６４】
これにより制御部３０は、解析部３５により、上述した録音時と同様に、購入した音楽データに基づく音楽の特徴を表す特徴数値化情報ＣＨを生成する。
【００６５】
そして制御部３０は、その特徴数値化情報ＣＨを、これに対応する音楽関連情報ＭＲに含まれている音楽識別情報ＭＩＤ、音楽タイトルＭＴ、アーティスト名ＡＮ、ジャンル名ＪＮ及びアルバムタイトルＡＴと共に、購入した音楽データの属性を表す属性データＡＢとして属性記憶部３６に送出する。
【００６６】
よって制御部３０は、このように音楽データを購入した際にも、その音楽データに対応する属性データＡＢを属性データベースＡＤＢに登録するようにして、属性記憶部３６に当該属性データＡＢを記憶する。
【００６７】
ところで制御部３０は、音楽記憶部３３に対し、これに記憶した音楽データを管理するための音楽管理情報を登録するデータベース（以下、これを管理データベースとも呼ぶ）を構築している。
【００６８】
そして制御部３０は、音楽記憶部３３に対し音楽データを記憶すると、当該記憶した音楽データの音楽関連情報ＭＲに基づき、例えば音楽データをジャンルで分類すると共に、そのジャンル毎にアーティストで分類し、さらにアーティスト毎にアルバムで分類する。
【００６９】
また制御部３０は、このような音楽記憶部３３に記憶した音楽データの階層的な分類を示すように、ジャンル名ＪＮに対しアーティスト名ＡＮを対応付けると共に、当該アーティスト名ＡＮに対しアルバムタイトルＡＴを対応付け、さらにアルバムタイトルＡＴに対して音楽タイトルＭＴを対応付けた音楽管理情報を生成する。
【００７０】
さらに制御部３０は、その音楽管理情報を音楽記憶部３３に送出して管理データベースに登録するようにして、当該音楽記憶部３３に対し、その音楽管理情報を記憶する。
【００７１】
このようにして制御部３０は、上述したような録音や購入が終了する毎に、そのとき音楽記憶部３３に記憶した音楽データの音楽関連情報ＭＲに基づき、当該記憶した音楽データを管理するための情報を追加するように音楽管理情報の内容を更新している。
【００７２】
そして制御部３０は、ユーザにより操作部３１を介してプレイリスト生成機能を選択する機能選択命令が入力されると、これに応じてプレイリスト生成処理を実行する。
【００７３】
この場合、制御部３０は、音楽記憶部３３から音楽管理情報を読み出し、当該読み出した音楽管理情報に基づき、例えば、複数のジャンル名ＪＮや、複数のアーティスト名ＡＮ、複数のアルバムタイトルＡＴ、複数の音楽タイトルＭＴをアルファベット順や五十音順に並べて、音楽記憶部３３に記憶している音楽データを示すリストを生成する。
【００７４】
因みに、以下の説明では、音楽記憶部３３に記憶している音楽データを示すリストを、据置側記憶音楽リストとも呼ぶ。
【００７５】
また制御部３０は、その据置側記憶音楽リストに基づき、ユーザに対し任意に音楽データを選択させるための音楽選択画面データを生成する。
【００７６】
そして制御部３０は、かかる音楽選択画面データを表示部３７に送出することにより、当該表示部３７に対し、その音楽選択画面データに基づく音楽選択画面（図示せず）を表示する。
【００７７】
ここで制御部３０は、ユーザによる操作部３１の操作に応じて、表示部３７に表示している音楽選択画面の内容を、ジャンル名ＪＮのリストやアーティスト名ＡＮのリスト、アルバムタイトルＡＴのリスト、音楽タイトルＭＴのリストに適宜変更するようにして、そのユーザに対しプレイリストに登録する音楽データを検索させる。
【００７８】
このようにして制御部３０は、ユーザにより操作部３１を介して音楽選択画面上で、プレイリストに登録する音楽データが任意に選択される毎に、音楽記憶部３３から、その選択された音楽データに対応する例えば、音楽識別情報ＭＩＤ及び音楽タイトルＭＴを読み出してプレイリスト生成部３８に送出する。
【００７９】
図７に示すように、プレイリスト生成部３８は、制御部３０から音楽データ毎の音楽識別情報ＭＩＤ及び音楽タイトルＭＴが順次与えられると、当該音楽識別情報ＭＩＤ及び音楽タイトルＭＴを、制御部３０から与えられた順番に並べて登録したプレイリストＰＬを生成する。
【００８０】
このようにしてプレイリスト生成部３８は、ユーザにより選択された音楽データを、対応する音楽識別情報ＭＩＤ及び音楽タイトルＭＴによって示し、かつ当該選定された音楽データの再生順序を、その音楽識別情報ＭＩＤ及び音楽タイトルＭＴの並びの順番によって示す（すなわち、規定する）プレイリストＰＬを生成し、当該生成したプレイリストＰＬをプレイリスト記憶部３９に送出して記憶する。
【００８１】
ところで制御部３０は、上述した取得音楽再生機能として、音楽管理情報を利用して音楽データを順次再生する通常再生機能と、類似度が高い音楽を順次選定して再生する類似音楽再生機能とを実現し得るようになされている。
【００８２】
実際に制御部３０は、ユーザにより操作部３１を介して通常再生機能を選択する機能選択命令が入力されると、これに応じて通常再生処理を実行する。
【００８３】
この場合、制御部３０は、音楽記憶部３３から音楽管理情報を読み出し、当該読み出した音楽管理情報に基づき据置側記憶音楽リストを生成すると共に、当該生成した据置側記憶音楽リストに基づき、ユーザに対し再生する音楽データを指定させるための再生音楽指定画面データを生成する。
【００８４】
そして制御部３０は、かかる再生音楽指定画面データを表示部３７に送出することにより、当該表示部３７に対し、その再生音楽指定画面データに基づく再生音楽指定画面（図示せず）を表示する。
【００８５】
ここで制御部３０は、ユーザによる操作部３１の操作に応じて、表示部３７に表示している再生音楽指定画面の内容を、ジャンル名ＪＮのリストやアーティスト名ＡＮのリスト、アルバムタイトルＡＴのリスト、音楽タイトルＭＴのリストに適宜変更するようにして、そのユーザに対し最初に再生する音楽データを検索させる。
【００８６】
このようにして制御部３０は、ユーザにより操作部３１を介して再生音楽指定画面上で再生用に１つの音楽データが指定され、さらに再生開始が指示されると、音楽記憶部３３から、その指定された音楽データを読み出して再生部３２に送出する。
【００８７】
そして制御部３０は、再生部３２により、その音楽データに対して復号処理やデジタルアナログ変換処理等のように再生処理を施して当該再生部３２のスピーカから音楽として出力させる。
【００８８】
また制御部３０は、ユーザにより指定された１つの音楽データの再生が終了すると、引き続き上述の据置側記憶音楽リストに従い音楽記憶部３３から、次に再生する音楽データを読み出して再生部３２に送出する。
【００８９】
そして制御部３０は、再生部３２により、その音楽データに対して再生処理を施して当該再生部３２のスピーカから音楽として出力させる。
【００９０】
このようにして制御部３０は、ユーザに対し、録音や購入により音楽記憶部３３に記憶していた複数の音楽データを順次音楽として聴かせることができる。
【００９１】
ところで、制御部３０は、通常再生処理時、ユーザに対し操作部３１を介して再生音楽指定画面上で、再生する音楽データとして所望のプレイリストＰＬを指定させることもできる。
【００９２】
そして制御部３０は、ユーザによりプレイリストＰＬが指定されると、プレイリスト記憶部３９から、その指定されたプレイリストＰＬを読み出す。
【００９３】
また制御部３０は、音楽記憶部３３から、そのプレイリストＰＬに登録している音楽データを順番に読み出して再生部３２に送出する。
【００９４】
これにより制御部３０は、再生部３２により、その音楽データに対して再生処理を施して当該再生部３２のスピーカから音楽として出力させる。
【００９５】
このようにして制御部３０は、ユーザに対し、プレイリストＰＬを利用させて複数の音楽を順番に聴かせることもできる。
【００９６】
また制御部３０は、ユーザにより操作部３１を介して類似音楽再生機能を選択する機能選択命令が入力されると、これに応じて類似音楽再生処理を実行する。
【００９７】
この場合、制御部３０は、上述と同様に再生音楽指定画面データを生成して表示部３７に送出することにより、当該表示部３７に再生音楽指定画面を表示する。
【００９８】
この状態で制御部３０は、ユーザにより操作部３１を介して再生音楽指定画面上で、最初に再生する１つの音楽データが指定され、さらに再生開始が指示されると、音楽記憶部３３から、その指定された音楽データを読み出して再生部３２に送出する。
【００９９】
これにより制御部３０は、再生部３２により、その音楽データに対して再生処理を施して当該再生部３２のスピーカから音楽として出力させる。
【０１００】
そして制御部３０は、音楽データの再生が終了する（すなわち、音楽データを後尾まで再生し終える）と、次に再生する音楽データを選定するために、属性記憶部３６から、当該再生の終了した音楽データに対応する属性データＡＢと、他の複数の音楽データに対応する複数の属性データＡＢとを読み出して選定部４０に送出する。
【０１０１】
因みに、制御部３０は、ユーザによって指定された音楽データの再生終了前（すなわち、再生中）に、そのユーザによって次の音楽データの再生に移行するように指示された（すなわち、曲送りが指示された）ことで、音楽データの再生を途中で停止させたときも、同様に属性記憶部３６から、当該再生を途中で停止させた音楽データに対応する属性データＡＢと、他の複数の音楽データに対応する複数の属性データＡＢとを読み出して選定部４０に送出する。
【０１０２】
選定部４０は、制御部３０から属性データＡＢが与えられると、そのとき再生の終了した、又はユーザの指示に応じて再生を途中で停止させた音楽データ（以下、これらをまとめて１つ前に再生した音楽データとも呼ぶ）に対応する属性データＡＢを比較基準とし、他の複数の属性データＡＢを比較対象とする。
【０１０３】
そして選定部４０は、比較基準とした属性データＡＢ（以下、これを比較基準属性データとも呼ぶ）を、比較対象とした複数の属性データＡＢ（以下、これを比較対象属性データとも呼ぶ）と順次比較する。
【０１０４】
図８に示すように、実際に選定部４０は、比較基準属性データＡＢＭ及び比較対象属性データＡＢ１、……、ＡＢＮに含まれる音楽タイトルＭＴ、アーティスト名ＡＮ、ジャンル名ＪＮ、アルバムタイトルＡＴ、特徴数値化情報ＣＨの個々の特徴項目１乃至特徴項目Ｍをそれぞれ比較項目とする。
【０１０５】
そして選定部４０は、比較基準属性データＡＢＭ及び比較対象属性データＡＢ１、……、ＡＢＮに含まれる比較項目毎の内容（すなわち、音楽タイトル同士、アーティスト名同士、ジャンル名同士、アルバムタイトル同士、特徴値同士であり、以下、これらをまとめて項目内容とも呼ぶ）をそれぞれ比較する。
【０１０６】
このようにして選定部４０は、比較基準属性データＡＢＭと、比較対象属性データＡＢ１、……、ＡＢＮとについて、項目内容が一致した比較項目の総数（以下、これを項目一致数とも呼ぶ）を検出する。
【０１０７】
因みに、以下の説明では、比較対象属性データＡＢ１、……、ＡＢＮに対応する音楽データを比較対象音楽データとも呼び、当該比較対象音楽データに基づく音楽を比較対象音楽とも呼ぶ。
【０１０８】
また、以下の説明では、比較基準属性データＡＢＭに対応する音楽データを比較基準音楽データとも呼び、当該比較基準音楽データに基づく音楽を比較基準音楽とも呼ぶ。
【０１０９】
そして比較対象音楽については、比較対象属性データＡＢ１、……、ＡＢＮと比較基準属性データＡＢＭとで項目内容としての音楽タイトルが一致すると、例えば比較基準音楽と同一の曲である可能性が著しく高いと言える。
【０１１０】
また比較対象音楽については、比較対象属性データＡＢ１、……、ＡＢＮと比較基準属性データＡＢＭとで項目内容としてのアーティスト名が一致すると、例えば比較基準音楽を作詞や作曲し、又は演奏や歌唱しているアーティストと同一のアーティストにより作詞や作曲され、又は演奏や歌唱されていることで、その比較基準音楽と似た感じの曲である可能性が高いと言える。
【０１１１】
さらに比較対象音楽については、比較対象属性データＡＢ１、……、ＡＢＮと比較基準属性データＡＢＭとで項目内容としてのジャンル名が一致すると、例えば、比較基準音楽と共に、ジャンル特有の演奏スタイルや曲調に従って作られていることで、その比較基準音楽と似た感じの曲である可能性が高いと言える。
【０１１２】
さらに比較対象音楽については、比較対象属性データＡＢ１、……、ＡＢＮと比較基準属性データＡＢＭとで項目内容としてのアルバムタイトルが一致すると、例えばアルバムのコンセプトに従って比較基準音楽と共に同一のアルバムに収録されていることで、その比較基準音楽と似た感じの曲である可能性が高いと言える。
【０１１３】
さらに比較対象音楽については、比較対象属性データＡＢ１、……、ＡＢＮと比較基準属性データＡＢＭとで項目内容としての特徴値が一致すると共に、当該特徴値の一致数が多いほど、比較基準音楽と、より似た特徴を有していると言える。
【０１１４】
よって、選定部４０は、比較基準属性データＡＢＭと比較対象属性データＡＢ１、……、ＡＢＮとの比較により得た項目一致数が多いほど、その比較基準属性データＡＢＭに対応する比較基準音楽と、当該比較基準属性データＡＢＭと比較した比較対象属性データＡＢ１、……、ＡＢＮに対応する比較対象音楽との類似している度合い（以下、これを類似度とも呼ぶ）がより高い（すなわち、似た感じのより強い音楽同士である）と判断する。
【０１１５】
そして選定部４０は、比較基準属性データＡＢＭと比較対象属性データＡＢ１、……、ＡＢＮとで全ての比較項目で項目内容が一致すると（すなわち、項目一致数が最も多いと）、比較基準音楽と比較対象音楽とが類似度の最も高い同一の音楽であると判断する。
【０１１６】
これに対して、選定部４０は、比較基準属性データＡＢＭと比較対象属性データＡＢ１、……、ＡＢＮとの比較により得た項目一致数が少ないほど、その比較基準属性データＡＢＭに対応する比較基準音楽と、当該比較基準属性データＡＢＭと比較した比較対象属性データＡＢ１、……、ＡＢＮに対応する比較対象音楽との類似度がより低い（すなわち、似た感じのより弱い音楽同士である）と判断する。
【０１１７】
そして選定部４０は、比較基準属性データＡＢＭと比較対象属性データＡＢ１、……、ＡＢＮとの比較により得た項目一致数をそのまま、比較基準音楽と比較対象音楽との類似度を表す数値として利用して、当該比較基準音楽との類似度が最も高い１つの比較対象音楽の比較対象音楽データ（すなわち、比較基準属性データＡＢＭとの比較により最も高い類似度（最も多い項目一致数）を得た比較対象属性データＡＢ１、……、ＡＢＮに対応する比較対象音楽データ）を、次に再生する音楽データとして選定する。
【０１１８】
ところで、選定部４０は、比較基準属性データＡＢＭと複数の比較対象属性データＡＢ１、……、ＡＢＮとの比較の結果、当該比較基準属性データＡＢＭとの比較により最も高い類似度（すなわち、最も多い項目一致数）を得た比較対象属性データＡＢ１、……、ＡＢＮが１つのみ存在すると、当該１つの比較対象属性データＡＢ１、……、ＡＢＮに対応する比較対象音楽データをそのまま、次に再生する音楽データとして選定する。
【０１１９】
ただし、選定部４０は、比較基準属性データＡＢＭと複数の比較対象属性データＡＢ１、……、ＡＢＮとの比較の結果、当該比較基準属性データＡＢＭとの比較により最も高い類似度（すなわち、最も多い項目一致数）を得た比較対象属性データＡＢ１、……、ＡＢＮが複数存在する（すなわち、それぞれ同数の項目一致数を得る）と、これら複数の比較対象属性データＡＢ１、……、ＡＢＮの中から無作為に１つの比較対象属性データＡＢ１、……、ＡＢＮを選択し、当該選択した１つの比較対象属性データＡＢ１、……、ＡＢＮに対応する比較対象音楽データを、次に再生する音楽データとして選定する。
【０１２０】
このようにして選定部４０は、次に再生する音楽データを選定すると、例えば、その選定した音楽データに対応する属性データＡＢ（すなわち、比較対象属性データ）を制御部３０に送出するようにして、当該制御部３０に対し、その選定した音楽データを、対応する属性データＡＢによって通知する。
【０１２１】
制御部３０は、選定部４０から次に再生するように選定された音楽データが通知されると、その通知に応じて音楽記憶部３３から、当該選定された音楽データを読み出して再生部３２に送出する。
【０１２２】
これにより制御部３０は、再生部３２により、その選定された音楽データに対して再生処理を施して当該再生部３２のスピーカから音楽として出力させる。
【０１２３】
そして制御部３０は、選定部４０によって選定された音楽データの再生が終了し、又はユーザの指示に応じて当該再生を途中で停止させると、属性記憶部３６から、当該再生の終了した、又は再生を途中で停止させた音楽データ（すなわち、１つ前に再生した音楽データ）に対応する属性データＡＢと、他の複数の音楽データに対応する複数の属性データＡＢとを読み出して選定部４０に送出する。
【０１２４】
この際、選定部４０は、１つ前に再生した音楽データに対応する属性データＡＢを比較基準属性データとし、他の複数の属性データＡＢを比較対象属性データとして、その比較基準属性データを、複数の比較対象属性データと上述と同様に順次比較する。
【０１２５】
よって選定部４０は、その比較結果に基づいて、次に再生する音楽データを選定すると共に、当該選定した音楽データを制御部３０に通知する。
【０１２６】
このようにして制御部３０は、音楽記憶部３３に記憶している複数の音楽データの中から、順次、１つ前に再生した音楽データに基づく音楽（以下、これを１つ前の再生音楽とも呼ぶ）との類似度が高い音楽の音楽データを選定し、当該選定した音楽データを再生する。
【０１２７】
これにより制御部３０は、類似音楽再生処理を実行している間、ユーザに対し順次、１つ前の再生音楽との類似度が高い音楽を聴かせて楽しませることができる。
【０１２８】
因みに、制御部３０は、類似音楽再生処理を実行している間、順次再生した音楽データの音楽識別情報ＭＩＤを保持している。
【０１２９】
そして制御部３０は、音楽データの再生が終了し、又は再生を途中で停止させたとき、その保持している音楽識別情報ＭＩＤを含む属性データＡＢについてだけは属性記憶部３６から読み出さない（すなわち、選定部４０に送出しない）ようにしている。
【０１３０】
これにより制御部３０は、類似音楽再生処理を実行している間、一度再生した音楽データを、次に再生する音楽データの選定候補から除外して（すなわち、選定可能な音楽データを制限して）、選定部４０により、同一の音楽データが再生用に度々選定されることを回避している。
【０１３１】
よって制御部３０は、類似音楽再生処理を実行している間、ユーザに対し順次、１つ前の再生音楽との類似度が高い音楽を重複させずに聴かせることができる。
【０１３２】
また制御部３０は、類似音楽再生処理時、上述と同様に例えばユーザにより操作部３１を介して再生音楽指定画面上で最初に再生する１つの音楽データが指定された状態で、再生開始の替わりにプレイリストＰＬの作成が指示されると、属性記憶部３６から、その指定された音楽データに対応する属性データＡＢと、他の複数の音楽データに対応する複数の属性データＡＢとを読み出して選定部４０に送出する。
【０１３３】
選定部４０は、制御部３０から複数の属性データＡＢが与えられると、そのとき指定された音楽データに対応する属性データＡＢを比較基準属性データとし、他の複数の属性データＡＢを比較対象属性データとして、図８について上述した場合と同様に、その比較基準属性データを、複数の比較対象属性データと順次比較する。
【０１３４】
そして選定部４０は、比較基準属性データと複数の比較対象属性データとの比較結果に基づいて、比較基準音楽との類似度が最も高い比較対象音楽の比較対象音楽データから、順次類似度の低い、所定数の比較対象音楽の比較対象音楽データまでを再生用に選定する。
【０１３５】
このようにして選定部４０は、複数の音楽データ（すなわち、比較対象音楽データ）を再生用に選定すると、当該再生用に選定した複数の音楽データを、ユーザにより指定された音楽データに基づく音楽（すなわち、比較基準音楽）との類似度と共に制御部３０に通知する。
【０１３６】
制御部３０は、選定部４０から再生用に選定された複数の音楽データが類似度と共に通知されると、音楽記憶部３３から、ユーザにより指定された音楽データに対応する音楽識別情報ＭＩＤ及び音楽タイトルＭＴを読み出してプレイリスト生成部３８に送出する。
【０１３７】
また制御部３０は、音楽記憶部３３から、選定部４０によって再生用に選択された音楽データに対応する音楽識別情報ＭＩＤ及び音楽タイトルＭＴも読み出してプレイリスト生成部３８に送出する。
【０１３８】
さらに制御部３０は、選定部４０から通知された音楽データ毎の類似度を示す情報（以下、これを類似度情報とも呼ぶ）もプレイリスト生成部３８に送出する。
【０１３９】
プレイリスト生成部３８は、制御部３０から音楽データ毎の音楽識別情報ＭＩＤ及び音楽タイトルＭＴと類似度情報とが与えられると、ユーザにより指定された音楽データに対応する音楽識別情報ＭＩＤ及び音楽タイトルＭＴを先頭にし、続けて当該指定された音楽データに基づく音楽との類似度が最も高い音楽の音楽データに対応する音楽識別情報ＭＩＤ及び音楽タイトルＭＴから、順次類似度の低い音楽の音楽データに対応する音楽識別情報ＭＩＤ及び音楽タイトルＭＴを順番に並べて登録したプレイリストＰＬを生成する。
【０１４０】
このようにしてプレイリスト生成部３８は、ユーザにより指定された音楽データを最初に再生し、続けて当該指定された音楽データに基づく音楽との類似度が最も高い音楽の音楽データから、順次類似度の低い音楽の音楽データを再生するように、これら音楽データの再生順序を規定したプレイリストＰＬを生成し、当該生成したプレイリストＰＬをプレイリスト記憶部３９に送出して記憶する。
【０１４１】
そしてプレイリスト生成部３８は、このようにプレイリスト記憶部３９に対しプレイリストＰＬを記憶すると、これを制御部３０に通知する。
【０１４２】
この際、制御部３０は、プレイリスト生成部３８からプレイリスト記憶部３９へプレイリストＰＬを記憶したことが通知されると、例えば、表示部３７を介してユーザに対しプレイリストＰＬの生成が完了したことを通知する。
【０１４３】
その結果、制御部３０は、ユーザにより操作部３１を介して、このとき生成したプレイリストＰＬを利用して音楽データを再生するように指示されると、プレイリスト記憶部３９から、そのプレイリストＰＬを読み出す。
【０１４４】
そして制御部３０は、音楽記憶部３３から、そのプレイリストＰＬに登録している音楽データを順番に読み出して再生部３２に送出する。
【０１４５】
これにより制御部３０は、再生部３２により、その音楽データに対して再生処理を施して当該再生部３２のスピーカから音楽として出力させる。
【０１４６】
このようにして制御部３０は、類似音楽再生処理において、ユーザにより指定された音楽データに基づく音楽と共に、その音楽と類似する複数の音楽を順番に聴かせることができる。
【０１４７】
ところで制御部３０は、装置通信部４１を介して、据置型音楽再生装置２１に対する携帯型音楽再生装置２２の接続の有無を検知し得るようになされている。
【０１４８】
そして制御部３０は、据置型音楽再生装置２１に対し携帯型音楽再生装置２２が接続されていることを検知している状態で、ユーザにより操作部３１を介して転送機能を選択する機能選択命令が入力されると、これに応じて転送処理を実行する。
【０１４９】
この場合、制御部３０は、音楽記憶部３３から音楽管理情報を読み出し、当該読み出した音楽管理情報に基づき据置側記憶音楽リストを生成する。
【０１５０】
また制御部３０は、携帯型音楽再生装置２２で記憶している音楽データに対応する音楽関連情報ＭＲを要求する関連要求信号を装置通信部４１により携帯型音楽再生装置２２に送信する。
【０１５１】
その結果、制御部３０は、携帯型音楽再生装置２２から送信された複数の音楽関連情報ＭＲを装置通信部４１によって受信して取り込むと、当該取り込んだ複数の音楽関連情報ＭＲに基づき、携帯型音楽再生装置２２に記憶されている音楽データを、アルファベット順や五十音順に並べた複数のアルバムタイトルＡＴや複数の音楽タイトルＭＴ等で示すリストを生成する。
【０１５２】
因みに、以下の説明では、携帯型音楽再生装置２２で記憶している音楽データを示すリストを、携帯側記憶音楽リストとも呼ぶ。
【０１５３】
さらに制御部３０は、据置側記憶音楽リスト及び携帯側記憶音楽リストに基づき、ユーザに対し、携帯型音楽再生装置２２へ転送する音楽データを指定させるための転送音楽指定画面データを生成する。
【０１５４】
そして制御部３０は、かかる転送音楽指定画面データを表示部３７に送出することにより、当該表示部３７に対し、その転送音楽指定画面データに基づく転送音楽指定画面（図示せず）を表示する。
【０１５５】
因みに、転送音楽指定画面内には、例えば据置型音楽再生装置２１で記憶している音楽データに対応するアーティスト名ＡＮがリスト表示されると共に、携帯型音楽再生装置２２に記憶されている音楽データに対応するアーティスト名ＡＮもリスト表示されている。
【０１５６】
この際、制御部３０は、ユーザによる操作部３１の操作に応じて、表示部３７に表示している転送音楽指定画面において、据置型音楽再生装置２１で記憶している音楽データに対応するアーティスト名ＡＮのリストを、アーティスト名ＡＮのリスト、アルバムタイトルＡＴのリスト、音楽タイトルＭＴのリストに適宜変更する。
【０１５７】
また制御部３０は、ユーザによる操作部３１の操作に応じて、表示部３７に表示している転送音楽指定画面において、携帯型音楽再生装置２２で記憶している音楽データに対応するアーティスト名ＡＮのリストを、アルバムタイトルＡＴのリスト、音楽タイトルＭＴのリストに適宜変更する。
【０１５８】
このようにして制御部３０は、ユーザに対し、転送音楽指定画面上で、携帯型音楽再生装置２２で記憶されている音楽データを適宜確認させながら、据置型音楽再生装置２１で記憶している音楽データの中から、携帯型音楽再生装置２２へ転送する音楽データを検索させる。
【０１５９】
その結果、制御部３０は、ユーザにより操作部３１を介して転送音楽指定画面上で、携帯型音楽再生装置２２へ転送する音楽データがアルバム単位や曲単位等で（すなわち、アルバムタイトルＡＴや音楽タイトルＭＴ等として）指定されると、音楽記憶部３３からユーザにより指定された音楽データを対応する音楽関連情報ＭＲと共に読み出す。
【０１６０】
そして制御部３０は、その音楽記憶部３３から読み出した音楽データ及び対応する音楽関連情報ＭＲを装置通信部４１により携帯型音楽再生装置２２に送信する。
【０１６１】
また制御部３０は、このとき属性記憶部３６から、ユーザにより携帯型音楽再生装置２２への転送用として指定された音楽データに対応する属性データＡＢを読み出すと共に、当該読み出した属性データＡＢも装置通信部４１により携帯型音楽再生装置２２に送信する。
【０１６２】
これにより制御部３０は、携帯型音楽再生装置２２に対し、音楽データ及び音楽関連情報ＭＲ並びに属性データＡＢを記憶保持させ、その音楽データを再生し得るようにする。
【０１６３】
ところで、制御部３０は、転送処理時、ユーザに対し操作部３１を介して転送音楽指定画面上で、携帯型音楽再生装置２２へ転送するプレイリストＰＬを指定させることもできる。
【０１６４】
そして制御部３０は、ユーザにより、携帯型音楽再生装置２２へ転送するプレイリストＰＬが指定されると、プレイリスト記憶部３９から、その指定されたプレイリストＰＬを読み出す。
【０１６５】
また制御部３０は、携帯型音楽再生装置２２への転送用に指定されたプレイリストＰＬに登録されている音楽識別情報ＭＩＤを、携帯型音楽再生装置２２から取得した音楽関連情報ＭＲに含まれる音楽識別情報ＭＩＤと比較するようにして、当該プレイリストＰＬに対し、携帯型音楽再生装置２２へは転送していない音楽データが登録されているか否かを判別する。
【０１６６】
その結果、制御部３０は、携帯型音楽再生装置２２への転送用に指定されたプレイリストＰＬに対し、その携帯型音楽再生装置２２へ転送されていない音楽データ（以下、これを未転送音楽データとも呼ぶ）が登録されてはいないと、かかるプレイリストＰＬのみを装置通信部４１により携帯型音楽再生装置２２に送信する。
【０１６７】
これに対して制御部３０は、携帯型音楽再生装置２２への転送用に指定されたプレイリストＰＬに対し未転送音楽データが登録されていると、かかるプレイリストＰＬを装置通信部４１により携帯型音楽再生装置２２に送信する。
【０１６８】
また制御部３０は、この際、音楽記憶部３３から、プレイリストＰＬに登録されている未転送音楽データ及び対応する音楽関連情報ＭＲを読み出すと共に、当該読み出した未転送音楽データ及び音楽関連情報ＭＲを装置通信部４１により携帯型音楽再生装置２２に送信する。
【０１６９】
さらに制御部３０は、この際、属性記憶部３６から、プレイリストＰＬに登録されている未転送音楽データに対応する属性データＡＢを読み出すと共に、当該読み出した属性データＡＢも装置通信部４１により携帯型音楽再生装置２２に送信する。
【０１７０】
これにより制御部３０は、携帯型音楽再生装置２２に対し、プレイリストＰＬを記憶保持させ、そのプレイリストＰＬを利用させて複数の音楽データを再生し得るようにする。
【０１７１】
次いで、図９を用いて、携帯型音楽再生装置２２の機能回路ブロックによる詳細なハードウェア構成について説明する。
【０１７２】
かかる携帯型音楽再生装置２２において制御部５０は、携帯型音楽再生装置２２が据置型音楽再生装置２１に接続され、その据置型音楽再生装置２１において上述した転送処理が実行されたときには、当該据置型音楽再生装置２１を主体として従属的に機能し、その据置型音楽再生装置２１から転送された音楽データやプレイリストＰＬ等を記憶する記憶処理を実行する。
【０１７３】
実際に制御部５０は、据置型音楽再生装置２１に携帯型音楽再生装置２２が接続された状態で、当該据置型音楽再生装置２１から関連要求信号が送信されると、当該関連要求信号を装置通信部５１によって受信して取り込む。
【０１７４】
ここで制御部５０は、後述するように音楽記憶部５２に対し、外部から取得した音楽データ及び対応する音楽関連情報ＭＲを互いに対応付けて記憶している。
【０１７５】
よって制御部５０は、関連要求信号を取り込むと、これに応じて音楽記憶部５２から、これに記憶している音楽関連情報ＭＲを読み出すと共に、当該読み出した音楽関連情報ＭＲを装置通信部５１により据置型音楽再生装置２１に送信する。
【０１７６】
そして制御部５０は、据置型音楽再生装置２１から音楽データ及び音楽関連情報ＭＲ並びに属性データＡＢが送信されると、その音楽データ及び音楽関連情報ＭＲ並びに属性データＡＢを装置通信部５１によって受信して取り込む。
【０１７７】
この際、制御部５０は、その音楽データ及び対応する音楽関連情報ＭＲを音楽記憶部５２に送出することにより、当該音楽記憶部５２に対し音楽データ及び音楽関連情報ＭＲを対応付けて記憶する。
【０１７８】
また制御部５０は、図６について上述した据置型音楽再生装置２１の場合と同様に、属性記憶部５３内に属性データベースＡＤＢを予め構築している。
【０１７９】
よって制御部５０は、音楽データ及び音楽関連情報ＭＲと共に取り込んだ属性データＡＢについては属性記憶部５３に送出することにより、その属性データＡＢを属性データベースＡＤＢに登録するようにして当該属性記憶部５３に記憶する。
【０１８０】
さらに制御部５０は、据置型音楽再生装置２１からプレイリストＰＬが送信されると、当該プレイリストＰＬを装置通信部５１によって受信して取り込む。
【０１８１】
そして制御部５０は、そのプレイリストＰＬをプレイリスト記憶部５４に送出することにより、当該プレイリスト記憶部５４にプレイリストＰＬを記憶する。
【０１８２】
ところで制御部５０は、携帯型音楽再生装置２２が据置型音楽再生装置２１に接続されてはいない状態で、複数の操作キー等でなる操作部５５へのユーザ操作によって各種命令が入力されると、当該入力された各種命令に応じて装置全体を制御すると共に、各種処理を実行する。
【０１８３】
これにより制御部５０は、インターネット上の音楽配信装置（図示せず）から音楽データを購入する音楽購入機能や、購入及び据置型音楽再生装置２１からの転送により取得した音楽データを再生する取得音楽再生機能等の各種機能を実現する。
【０１８４】
実際に制御部５０は、ユーザにより操作部５５を介して音楽購入機能を選択する機能選択命令が入力されると、これに応じて音楽購入処理を実行する。
【０１８５】
この場合、制御部５０は、ユーザにより指定された音楽データを購入要求する音楽購入要求信号をネットワーク通信部５６によりインターネット上の音楽配信装置に送信する。
【０１８６】
その結果、制御部５０は、音楽配信装置から音楽データの購入に対する課金処理が完了して、所定のデータフォーマットの音楽データと、対応する音楽関連情報ＭＲとが送信されると、これら音楽データ及び音楽関連情報ＭＲをネットワーク通信部５６によって受信して取り込む。
【０１８７】
この際、制御部５０は、音楽配信装置から送信された音楽データを、対応する音楽関連情報ＭＲと共に音楽記憶部５２に送出することにより、当該音楽記憶部５２に対し音楽データ及び音楽関連情報ＭＲを対応付けて記憶する。
【０１８８】
このようにして制御部５０は、音楽配信装置から音楽データを購入して音楽記憶部５２に記憶保持することができる。
【０１８９】
また制御部５０は、音楽記憶部５２に対し、購入にした音楽データを記憶すると、上述した据置型音楽再生装置２１の場合と同様に、音楽記憶部５２から音楽データを読み出して解析部５７に送出することにより、その音楽データに基づく音楽の特徴を表す特徴数値化情報ＣＨを生成する。
【０１９０】
そして制御部５０は、その特徴数値化情報ＣＨを、これに対応する音楽関連情報ＭＲに含まれている音楽識別情報ＭＩＤ、音楽タイトルＭＴ、アーティスト名ＡＮ、ジャンル名ＪＮ及びアルバムタイトルＡＴと共に、購入した音楽データの属性を表す属性データＡＢとして属性記憶部５３に送出する。
【０１９１】
よって制御部５０は、購入した音楽データに対応する属性データＡＢを属性データベースＡＤＢに登録するようにして、属性記憶部５３に当該属性データＡＢを記憶する。
【０１９２】
ところで制御部５０は、音楽記憶部５２に対し、これに記憶した音楽データを管理するための音楽管理情報を登録する管理データベースを構築している。
【０１９３】
また制御部５０は、音楽記憶部５２に対し音楽データを記憶すると、当該記憶した音楽データの音楽関連情報ＭＲに基づき、例えば上述した据置型音楽再生装置２１と同様に音楽管理情報を生成する。
【０１９４】
そして制御部５０は、その音楽管理情報を音楽記憶部５２に送出して管理データベースに登録するようにして、当該音楽記憶部５２に対し、その音楽管理情報を記憶する。
【０１９５】
このようにして制御部５０は、上述したような購入や据置型音楽再生装置２１からの転送による音楽記憶部５２への音楽データの記憶が終了する毎に、そのとき音楽記憶部５２に記憶した音楽データの音楽関連情報ＭＲに基づき、当該記憶した音楽データを管理するための情報を追加するようにして音楽管理情報の内容を更新している。
【０１９６】
ところで制御部５０は、上述した取得音楽再生機能として、据置型音楽再生装置２１と同様に通常再生機能と類似音楽再生機能とを実現し得るようになされている。
【０１９７】
実際に制御部５０は、ユーザにより操作部５５を介して通常再生機能を選択する機能選択命令が入力されると、これに応じて通常再生処理を実行する。
【０１９８】
この場合、制御部５０は、音楽記憶部５２から音楽管理情報を読み出し、当該読み出した音楽管理情報に基づき携帯側記憶音楽リストを生成する。
【０１９９】
また制御部５０は、その携帯側記憶音楽リストに基づき、ユーザに対し再生する音楽データを指定させるための再生音楽指定画面データを生成する。
【０２００】
そして制御部５０は、かかる再生音楽指定画面データを表示部５８に送出することにより、当該表示部５８に対し、その再生音楽指定画面データに基づく再生音楽指定画面（図示せず）を表示する。
【０２０１】
ここで制御部５０は、ユーザによる操作部５５の操作に応じて、表示部５８に表示している再生音楽指定画面の内容を、ジャンル名ＪＮのリストやアーティスト名ＡＮのリスト、アルバムタイトルＡＴのリスト、音楽タイトルＭＴのリストに適宜変更するようにして、そのユーザに対し最初に再生する音楽データを検索させる。
【０２０２】
このようにして制御部５０は、ユーザにより操作部５５を介して再生音楽指定画面上で再生用に１つの音楽データが指定され、さらに再生開始が指示されると、音楽記憶部５２から、その指定された音楽データを読み出して再生部５９に送出する。
【０２０３】
そして制御部５０は、再生部５９により、その音楽データに対して復号処理やデジタルアナログ変換処理等のように再生処理を施して当該再生部５９の例えばヘッドホンから音楽として出力させる。
【０２０４】
また制御部５０は、ユーザにより指定された１つの音楽データの再生が終了すると、引き続き上述の携帯側記憶音楽リストに従い音楽記憶部５２から、次に再生する音楽データを読み出して再生部５９に送出する。
【０２０５】
そして制御部５０は、再生部５９により、その音楽データに対して再生処理を施して当該再生部５９のヘッドホンから音楽として出力させる。
【０２０６】
このようにして制御部５０は、ユーザに対し、購入や据置型音楽再生装置２１からの転送により音楽記憶部５２に記憶していた複数の音楽データを順次音楽として聴かせることができる。
【０２０７】
ところで、制御部５０は、通常再生処理時、ユーザに対し操作部５５を介して再生音楽指定画面上で、再生する音楽データとして所望のプレイリストＰＬを指定させることもできる。
【０２０８】
そして制御部５０は、ユーザによりプレイリストＰＬが指定されると、プレイリスト記憶部５４から、その指定されたプレイリストＰＬを読み出す。
【０２０９】
また制御部５０は、音楽記憶部５２から、そのプレイリストＰＬに登録している音楽データを順番に読み出して再生部５９に送出する。
【０２１０】
これにより制御部５０は、再生部５９により、その音楽データに対して再生処理を施して当該再生部５９のヘッドホンから音楽として出力させる。
【０２１１】
このようにして制御部５０は、ユーザに対し、プレイリストＰＬを利用させて複数の音楽を順番に聴かせることもできる。
【０２１２】
また制御部５０は、ユーザにより操作部５５を介して類似音楽再生機能を選択する機能選択命令が入力されると、これに応じて類似音楽再生処理を実行する。
【０２１３】
この場合、制御部５０は、上述と同様に再生音楽指定画面データを生成して表示部５８に送出することにより、当該表示部５８に再生音楽指定画面を表示する。
【０２１４】
この状態で制御部５０は、ユーザにより操作部５５を介して再生音楽指定画面上で、最初に再生する１つの音楽データが指定され、さらに再生開始が指示されると、音楽記憶部５２から、その指定された音楽データを読み出して再生部５９に送出する。
【０２１５】
これにより制御部５０は、再生部５９により、その音楽データに対して再生処理を施して当該再生部５９のヘッドホンから音楽として出力させる。
【０２１６】
そして制御部５０は、音楽データの再生が終了し、又はユーザの指示に応じて再生を途中で停止させると、属性記憶部５３から、当該再生の終了した、又は再生を途中で停止させた音楽データ（すなわち、１つ前に再生した音楽データ）に対応する属性データＡＢと、他の複数の音楽データに対応する属性データＡＢとを読み出して選定部６０に送出する。
【０２１７】
この際、選定部６０は、図８について上述した据置型音楽再生装置２１の選定部４０と同様に、１つ前に再生した音楽データに対応する属性データＡＢを比較基準属性データとし、他の複数の音楽データに対応する属性データＡＢそれぞれを比較対象属性データとして、当該比較基準属性データを、複数の比較対象属性データと順次比較する。
【０２１８】
そして選定部６０は、その比較結果に基づき、次に再生する音楽データを選定し、当該選定した音楽データを制御部５０に通知する。
【０２１９】
よって制御部５０は、選定部６０から次に再生するように選定された音楽データが通知されると、その通知に応じて音楽記憶部５２から、その選定された音楽データを読み出して再生部５９に送出する。
【０２２０】
これにより制御部５０は、再生部５９により、その選定された音楽データに対して再生処理を施して当該再生部５９のヘッドホンから音楽として出力させる。
【０２２１】
そして制御部５０は、その選定された音楽データの再生が終了し、又は再生を途中で停止させると、再び属性記憶部５３から、当該再生の終了した、又は再生を途中で停止させた音楽データ（すなわち、１つ前に再生した音楽データ）に対応する属性データＡＢと、他の複数の音楽データに対応する複数の属性データＡＢとを読み出して選定部６０に送出する。
【０２２２】
よって選定部６０は、再び上述と同様に、次に再生する音楽データを選定すると共に、当該選定した音楽データを制御部５０に通知する。
【０２２３】
このようにして制御部５０は、音楽記憶部５２に記憶していた複数の音楽データの中から、順次、１つ前の再生音楽との類似度が高い音楽の音楽データを選定し、当該選定した音楽データを再生する。
【０２２４】
これにより制御部５０は、類似音楽再生処理を実行している間、ユーザに対し順次、１つ前の再生音楽との類似度が高い音楽を聴かせて楽しませることができる。
【０２２５】
因みに、制御部５０も、上述した据置型音楽再生装置２１の制御部３０と同様に、類似音楽再生処理を実行している間、順次再生した音楽データの音楽識別情報ＭＩＤを保持している。
【０２２６】
そして制御部５０は、類似音楽再生処理を実行している間、その音楽識別情報ＭＩＤをもとに、一度再生した音楽データを、次に再生する音楽データの選定候補から除外して（すなわち、選定可能な音楽データを制限して）、選定部６０により、再生用に同一の音楽データが度々選定されることを回避している。
【０２２７】
これにより制御部５０も、上述した据置型音楽再生装置２１の制御部３０と同様に、類似音楽再生処理を実行している間、ユーザに対し順次、１つ前の再生音楽との類似度が高い音楽を重複させずに聴かせることができる。
【０２２８】
また制御部５０は、類似音楽再生処理時、上述と同様に例えばユーザにより操作部５５を介して再生音楽指定画面上で最初に再生する１つの音楽データが指定された状態で、再生開始の替わりにプレイリストＰＬの作成が指示されると、属性記憶部５３から、その指定された音楽データに対応する属性データＡＢと、他の複数の音楽データに対応する複数の属性データＡＢとを読み出して選定部６０に送出する。
【０２２９】
選定部６０は、制御部５０から複数の属性データＡＢが与えられると、そのとき指定された音楽データに対応する属性データＡＢを比較基準属性データとし、他の複数の属性データＡＢを比較対象属性データとして、図８について上述した場合と同様に、その比較基準属性データを、複数の比較対象属性データと順次比較する。
【０２３０】
そして選定部６０は、比較基準属性データと複数の比較対象属性データとの比較結果に基づいて、比較基準音楽との類似度が最も高い比較対象音楽の比較対象音楽データから、順次類似度の低い、所定数の比較対象音楽の比較対象音楽データまでを再生用に選定する。
【０２３１】
このようにして選定部６０は、複数の音楽データ（すなわち、比較対象音楽データ）を再生用に選定すると、当該再生用に選定した複数の音楽データを、ユーザにより指定された音楽データに基づく音楽との類似度と共に制御部５０に通知する。
【０２３２】
制御部５０は、選定部６０から再生用に選定された複数の音楽データが類似度と共に通知されると、音楽記憶部５２から、ユーザにより指定された音楽データに対応する音楽識別情報ＭＩＤ及び音楽タイトルＭＴを読み出してプレイリスト生成部６１に送出する。
【０２３３】
また制御部５０は、音楽記憶部５２から、選定部６０によって再生用に選択された音楽データに対応する音楽識別情報ＭＩＤ及び音楽タイトルＭＴも読み出してプレイリスト生成部６１に送出する。
【０２３４】
さらに制御部５０は、選定部６０から通知された音楽データ毎の類似度を示す類似度情報もプレイリスト生成部６１に送出する。
【０２３５】
この際、プレイリスト生成部６１は、上述した据置型音楽再生装置２１のプレイリスト生成部３８と同様に、ユーザにより指定された音楽データを最初に再生し、続けて当該指定された音楽データに基づく音楽との類似度が最も高い音楽の音楽データから、順次類似度の低い音楽の音楽データを再生するように、これら音楽データの再生順序を規定したプレイリストＰＬを生成し、当該生成したプレイリストＰＬをプレイリスト記憶部５４に送出して記憶する。
【０２３６】
そしてプレイリスト生成部６１は、このようにプレイリスト記憶部５４に対しプレイリストＰＬを記憶すると、これを制御部５０に通知する。
【０２３７】
この際、制御部５０は、プレイリスト生成部６１からプレイリスト記憶部５４へプレイリストＰＬを記憶したことが通知されると、例えば、表示部５８を介してユーザに対しプレイリストＰＬの生成が完了したことを通知する。
【０２３８】
その結果、制御部５０は、ユーザにより操作部５５を介して、このとき生成したプレイリストＰＬを利用して音楽データを再生するように指示されると、プレイリスト記憶部５４から、そのプレイリストＰＬを読み出す。
【０２３９】
そして制御部５０は、音楽記憶部５２から、そのプレイリストＰＬに登録している音楽データを順番に読み出して再生部５９に送出する。
【０２４０】
これにより制御部５０は、再生部５９により、その音楽データに対して再生処理を施して当該再生部５９のヘッドホンから音楽として出力させる。
【０２４１】
このようにして制御部５０は、類似音楽再生処理において、ユーザにより指定された音楽データに基づく音楽と共に、その音楽と類似する複数の音楽を順番に聴かせることができる。
【０２４２】
かかる構成に加えて、この連携再生システム２０の場合、携帯型音楽再生装置２２の制御部５０は、音楽記憶部５２に記憶されている音楽データの再生を開始する毎に、例えば、当該再生を開始する音楽データの音楽関連情報ＭＲに含まれる音楽識別情報ＭＩＤを、音楽データの再生履歴を示す再生履歴情報として履歴記憶部６２に送出する。
【０２４３】
これにより携帯型音楽再生装置２２の制御部５０は、履歴記憶部６２に対し、その再生履歴情報を記憶するようにして、音楽データの再生を開始する毎に再生履歴情報の内容を、現在再生する１つの音楽データのみ（すなわち、携帯型音楽再生装置２２を使用して最後に再生した音楽データのみ）を示すように更新する。
【０２４４】
また携帯型音楽再生装置２２の制御部５０は、装置通信部５１を介して据置型音楽再生装置２１への携帯型音楽再生装置２２の接続の有無を検知し得るようになされている。
【０２４５】
携帯型音楽再生装置２２の制御部５０は、据置型音楽再生装置２１に対し携帯型音楽再生装置２２が接続されたことを検知すると、据置型音楽再生装置２１と連携して順次、類似度が高い音楽の音楽データを再生する連携再生処理（以下、これを携帯側連携再生処理とも呼ぶ）を開始する。
【０２４６】
携帯型音楽再生装置２２の制御部５０は、例えば、音楽データを何ら再生してはいない状態で、携帯側連携再生処理を開始すると、履歴記憶部６２から再生履歴情報を読み出す。
【０２４７】
また携帯型音楽再生装置２２の制御部５０は、属性記憶部５３から、その再生履歴情報に応じた１つの属性データＡＢ（すなわち、再生履歴情報としての音楽識別情報ＭＩＤを含む１つの属性データＡＢである）を、据置型音楽再生装置２１と連携して音楽データを再生するために利用する連携利用属性データとして読み出す。
【０２４８】
そして携帯型音楽再生装置２２の制御部５０は、その属性記憶部５３から読み出した１つの連携利用属性データを装置通信部５１により据置型音楽再生装置２１に送信する。
【０２４９】
因みに、再生履歴情報に応じた１つの属性データＡＢとは、携帯型音楽再生装置２２が、音楽データを何ら再生してはいない状態で据置型音楽再生装置２１に接続されると、当該携帯型音楽再生装置２２が据置型音楽再生装置２１に接続される前に、最後に再生した１つの音楽データ（すなわち、先頭から後尾までの再生がすでに終了している、又はすでに先頭から後尾までの途中で再生を停止させている１つの音楽データ）に対応するものとなる。
【０２５０】
これに対して再生履歴情報に応じた１つの属性データＡＢとは、携帯型音楽再生装置２２が、音楽データを再生している状態で据置型音楽再生装置２１に接続されると、当該携帯型音楽再生装置２２が据置型音楽再生装置２１に接続されたときに、すでに再生を開始してはいるのの、未だ再生中の１つの音楽データ（すなわち、先頭から後尾までの間の途中まで再生している１つの音楽データ）に対応するものとなる。
【０２５１】
そして、以下の説明では、このように携帯型音楽再生装置２２が、据置型音楽再生装置２１に接続されたときの再生履歴情報が示す音楽データとして、すでに再生の終了した又は再生を途中で停止させた音楽データと、再生中の音楽データとをまとめて、当該携帯型音楽再生装置２２が据置型音楽再生装置２１に接続される前に最後に再生した音楽データとも呼ぶ。
【０２５２】
一方、据置型音楽再生装置２１の制御部３０（図３）も、装置通信部４１を介して、据置型音楽再生装置２１に対し携帯型音楽再生装置２２が接続されたことを検知すると、これに応じて携帯型音楽再生装置２２と連携して順次、類似度が高い音楽の音楽データを再生する連携再生処理（以下、これを据置側連携再生処理とも呼ぶ）を開始する。
【０２５３】
据置型音楽再生装置２１の制御部３０は、据置側連携再生処理を開始すると、携帯型音楽再生装置２２から送信された連携利用属性データを装置通信部４１によって受信して取り込み、当該取り込んだ連携利用属性データを選定部４０に送出する。
【０２５４】
また据置型音楽再生装置２１の制御部３０は、このとき属性記憶部３６から全ての属性データＡＢを読み出し、当該読み出した複数の属性データＡＢも選定部４０に送出する。
【０２５５】
据置型音楽再生装置２１の選定部４０は、制御部３０から連携利用属性データと共に複数の属性データＡＢが与えられると、当該連携利用属性データを比較基準属性データとし、複数の属性データＡＢを比較対象属性データとして、図８について上述した場合と同様に当該比較基準属性データを、複数の比較対象属性データと順次比較する。
【０２５６】
これにより据置型音楽再生装置２１の選定部４０は、比較基準属性データと複数の比較対象属性データとの比較結果に基づいて、音楽記憶部３３に記憶されている複数の音楽データの中から、ユーザにより携帯型音楽再生装置２２を使用して最後に聴かれた音楽（すなわち、携帯型音楽再生装置２２が据置型音楽再生装置２１に接続される前に最後に再生した音楽データに基づく音楽である）との類似度が最も高い（すなわち、同一又は類似する）１つの音楽の音楽データを、当該携帯型音楽再生装置２２と連携して最初に再生する音楽データとして選定する。
【０２５７】
因みに、以下の説明では、携帯型音楽再生装置２２が据置型音楽再生装置２１に接続される前に、最後に再生した音楽データに基づく音楽を、当該据置型音楽再生装置２１と携帯型音楽再生装置２２との連携に利用される連携利用音楽とも呼ぶ。
【０２５８】
また、以下の説明では、連携利用音楽の音楽データ（すなわち、デジタルの音楽データ）を特に連携利用音楽データとも呼び、当該連携利用音楽の音楽信号（すなわち、アナログの音楽信号）を特に連携利用音楽信号とも呼ぶ。
【０２５９】
そして据置型音楽再生装置２１の選定部４０は、その再生用に選定した１つの音楽データに対応する属性データＡＢを制御部３０に送出することにより、制御部３０に対し、当該選定した音楽データを、対応する属性データＡＢによって通知する。
【０２６０】
据置型音楽再生装置２１の制御部３０は、選定部４０から、再生用に選定された１つの音楽データが通知されると、その通知に応じて音楽記憶部３３から、当該再生用に選定された１つの音楽データを読み出して再生部３２に送出する。
【０２６１】
これにより据置型音楽再生装置２１の制御部３０は、再生部３２により、その選定された音楽データに対して再生処理を施して当該再生部３２のスピーカから音楽として出力させる。
【０２６２】
また据置型音楽再生装置２１の制御部３０は、選定部４０によって選定された１つの音楽データの再生が終了し、又は再生を途中で停止させると、属性記憶部３６から、当該再生の終了した、又は再生を途中で停止させた１つの音楽データ（すなわち、１つ前に再生した音楽データ）に対応する１つの属性データＡＢと、他の複数の音楽データに対応する複数の属性データＡＢとを読み出して選定部４０に送出する。
【０２６３】
さらに据置型音楽再生装置２１の選定部４０は、１つ前に再生した音楽データに対応する属性データＡＢを比較基準属性データとし、他の複数の属性データＡＢを比較対象属性データとして、図８について上述した場合と同様に、再びその比較基準属性データを、複数の比較対象属性データと順次比較する。
【０２６４】
そして据置型音楽再生装置２１の選定部４０は、その比較基準属性データと複数の比較対象属性データとの比較結果に基づいて、１つ前に再生した音楽データに基づく１つ前の再生音楽との類似度が最も高い１つの音楽の音楽データを次に再生する１つの音楽データとして選定すると共に、当該選定した１つの音楽データを制御部３０に通知する。
【０２６５】
よって据置型音楽再生装置２１の制御部３０は、音楽記憶部３３から、選定部４０により新たに選定された１つの音楽データを読み出して再生部３２に送出すると共に、当該再生部３２により、その音楽データに対して再生処理を施してスピーカから音楽として出力させる。
【０２６６】
このようにして据置型音楽再生装置２１の制御部３０は、当該据置型音楽再生装置２１に携帯型音楽再生装置２２が接続されると、その携帯型音楽再生装置２２と連携して、音楽記憶部３３に記憶している複数の音楽データの中から、順次１つ前の再生音楽（最初の再生音楽だけは、連携利用音楽である）との類似度が高い音楽の音楽データを選定して再生する。
【０２６７】
これにより据置型音楽再生装置２１の制御部３０は、当該据置型音楽再生装置２１に携帯型音楽再生装置２２が接続された状態で据置側連携再生処理を実行している間、連携利用音楽をもとに、順次、類似度が高い音楽を選定しながらユーザに聴かせて楽しませることができる。
【０２６８】
ところで据置型音楽再生装置２１の制御部３０は、かかる据置側連携再生処理の開始直後に、選定部４０に対し、連携利用音楽との類似度が最も高い１つ目の音楽の音楽データを選定させるとき（すなわち、最初に１つの音楽データを選定させるとき）には、選定可能な音楽データを特には制限しないようにしている。
【０２６９】
よって据置型音楽再生装置２１の制御部３０は、選定部４０に対し、連携利用音楽との類似度が最も高い１つの音楽として、同一の音楽の音楽データ、及び類似する音楽の音楽データの何れも選定可能なようにしている。
【０２７０】
これにより据置型音楽再生装置２１の制御部３０は、例えば、音楽記憶部３３に対し、連携利用音楽と同一の音楽の音楽データを記憶している場合、据置側連携再生処理の開始直後には、当該連携利用音楽と同一の音楽を選定し改めて聴かせることができる。
【０２７１】
また据置型音楽再生装置２１の制御部３０は、例えば、音楽記憶部３３に対し、連携利用音楽と同一の音楽の音楽データを記憶してはいない場合、据置側連携再生処理の開始直後には、当該連携利用音楽と類似する（すなわち、同一ではない）音楽を選定して聴かせることができる。
【０２７２】
これに加えて据置型音楽再生装置２１の制御部３０は、据置側連携再生処理を実行している間、上述したように据置型音楽再生装置２１単独で類似音楽再生処理を実行した場合と同様に、音楽記憶部３３から順次読み出して再生した音楽データに対応する音楽識別情報ＭＩＤを保持する。
【０２７３】
そして据置型音楽再生装置２１の制御部３０は、据置側連携再生処理において、選定部４０に対し２つ目以降の音楽データを選定させるときには、すでに再生した音楽データに対応する音楽識別情報ＭＩＤを利用して、そのすでに再生した音楽データを、次に再生する音楽データの選定候補から除外するように、選定可能な音楽データを制限している。
【０２７４】
よって据置型音楽再生装置２１の制御部３０は、選定部４０に対し２つ目以降の音楽データを選定させるときには、同一の音楽データが再生用に度々選定されることを回避し、かくしてユーザに対し順次、類似度が高い音楽を重複させずに聴かせることができる。
【０２７５】
ところで据置型音楽再生装置２１の制御部３０は、据置側連携再生処理の実行中に、選定部４０によって選定された音楽データの再生を開始する毎に、属性記憶部３６から、その再生を開始した音楽データに対応する属性データＡＢを読み出す。
【０２７６】
そして据置型音楽再生装置２１の制御部３０は、その属性記憶部３６から読み出した属性データＡＢを、携帯型音楽再生装置２２が、据置型音楽再生装置２１から外されても当該据置型音楽再生装置２１から引き継いで順次、類似度が高い音楽の音楽データを再生するために利用する引継利用属性データとして、装置通信部４１により携帯型音楽再生装置２２に送信している。
【０２７７】
このため携帯型音楽再生装置２２の制御部５０は、当該携帯型音楽再生装置２２が据置型音楽再生装置２１に接続されている間、当該据置型音楽再生装置２１から引継利用属性データが送信される毎に、その引継利用属性データを装置通信部５１によって受信して取り込む。
【０２７８】
また携帯型音楽再生装置２２の制御部５０は、据置型音楽再生装置２１から送信された引継利用属性データを取り込む毎に、当該取り込んだ引継利用属性データを属性記憶部５３に送出する。
【０２７９】
これにより携帯型音楽再生装置２２の制御部５０は、属性記憶部５３に対し、引継利用属性データを順次上書きするように一時記憶して（すなわち、更新して）、当該属性記憶部５３に対し、現在に最も近い時点（すなわち、現在に最も近い過去）に据置型音楽再生装置２１から送信された１つの引継利用属性データのみを一時記憶している。
【０２８０】
このような状態で携帯型音楽再生装置２２の制御部５０は、据置型音楽再生装置２１から携帯型音楽再生装置２２が外されると（すなわち、接続が解除されると）、装置通信部５１を介して据置型音楽再生装置２１から携帯型音楽再生装置２２が外されたことを検知し、その検知に応じて据置型音楽再生装置２１から引き継いで順次、類似度が高い音楽の音楽データを再生する。
【０２８１】
実際に携帯型音楽再生装置２２の制御部５０は、装置通信部５１を介して、据置型音楽再生装置２１から携帯型音楽再生装置２２が外されたことを検知すると、属性記憶部５３から引継利用属性データを読み出すと共に、全ての属性データＡＢも読み出し、これら引継利用属性データ及び複数の属性データＡＢを選定部６０に送出する。
【０２８２】
また携帯型音楽再生装置２２の選定部６０は、制御部５０から引継利用属性データと共に複数の属性データＡＢが与えられると、当該引継利用属性データを比較基準属性データとし、複数の属性データＡＢを比較対象属性データとして、図８について上述した場合と同様に当該比較基準属性データを、複数の比較対象属性データと順次比較する。
【０２８３】
これにより携帯型音楽再生装置２２の選定部６０は、比較基準属性データと複数の比較対象属性データとの比較結果に基づいて、音楽記憶部５２に記憶されている複数の音楽データの中から、音楽選定再生装置２１において携帯型音楽再生装置２２が外されるときに再生されていた音楽データに基づく音楽との類似度が最も高い１つの音楽（すなわち、同一又は類似する音楽）の音楽データを、当該据置型音楽再生装置２１から引き継いで携帯型音楽再生装置２２において最初に再生する音楽データとして選定する。
【０２８４】
因みに、以下の説明では、据置型音楽再生装置２１において携帯型音楽再生装置２２が外されるときに再生されていた音楽データに基づく音楽を、当該携帯型音楽再生装置２２において据置型音楽再生装置２１から引き継いで順次、類似度が高い音楽の音楽データを再生するために利用される引継利用音楽とも呼ぶ。
【０２８５】
また、以下の説明では、引継利用音楽の音楽データ（すなわち、デジタルの音楽データ）を特に引継利用音楽データとも呼ぶ。
【０２８６】
そして携帯型音楽再生装置２２の選定部６０は、その再生用に選定した１つの音楽データに対応する属性データＡＢを制御部５０に送出することにより、制御部５０に対し、当該選定した音楽データを、対応する属性データＡＢによって通知する。
【０２８７】
携帯型音楽再生装置２２の制御部５０は、選定部６０から、再生用に選定された１つの音楽データが通知されると、その通知に応じて音楽記憶部５２から、当該再生用に選定された音楽データを読み出して再生部５９に送出する。
【０２８８】
これにより携帯型音楽再生装置２２の制御部５０は、再生部５９により、その選定された音楽データに対して再生処理を施して当該再生部５９のヘッドホンから音楽として出力させる。
【０２８９】
また携帯型音楽再生装置２２の制御部５０は、選定部６０によって選定された１つの音楽データの再生が終了し、又は再生を途中で停止させると、属性記憶部５３から、当該再生の終了した、又は再生を途中で停止させた１つの音楽データ（すなわち、１つ前に再生した音楽データ）に対応する属性データＡＢと、他の複数の音楽データに対応する複数の属性データＡＢとを読み出して選定部６０に送出する。
【０２９０】
よって携帯型音楽再生装置２２の選定部６０は、１つ前に再生した音楽データに対応する属性データＡＢを比較基準属性データとし、他の複数の属性データＡＢを比較対象属性データとして、図８について上述した場合と同様に当該比較基準属性データを、複数の比較対象属性データと順次比較する。
【０２９１】
そして携帯型音楽再生装置２２の選定部６０は、その比較基準属性データと複数の比較対象属性データとの比較結果に基づいて、１つ前に再生した音楽データに基づく１つ前の再生音楽との類似度が最も高い１つの音楽の音楽データを次の再生用に選定すると共に、当該選定した音楽データを制御部５０に通知する。
【０２９２】
よって携帯型音楽再生装置２２の制御部５０は、音楽記憶部５２から、選定部６０により新たに選定された１つの音楽データを読み出して再生部５９に送出すると共に、当該再生部５９により、その音楽データに対して再生処理を施してヘッドホンから音楽として出力させる。
【０２９３】
このようにして携帯型音楽再生装置２２の制御部５０は、据置型音楽再生装置２１から携帯型音楽再生装置２２が外されても、その据置型音楽再生装置２１から引き継いで、音楽記憶部５２に記憶している複数の音楽データの中から、順次１つ前の再生音楽（最初の再生音楽だけは、引継利用音楽である）との類似度が高い音楽の音楽データを選定して再生する。
【０２９４】
これにより携帯型音楽再生装置２２の制御部５０は、据置型音楽再生装置２１から携帯型音楽再生装置２２が外されても、携帯側連携再生処理を実行している間、引継利用音楽をもとに、順次、類似度が高い音楽を選定しながらユーザに聴かせて楽しませることができる。
【０２９５】
ところで携帯型音楽再生装置２２の制御部５０は、据置型音楽再生装置２１から引き継いで音楽データの再生を開始した直後に、選定部６０に対し、引継利用音楽との類似度が最も高い１つ目の音楽の音楽データを選定させるとき（すなわち、最初に１つの音楽データを選定させるとき）、選定可能な音楽データを特には制限しないようにしている。
【０２９６】
よって携帯型音楽再生装置２２の制御部５０は、選定部６０に対し、引継利用音楽との類似度が最も高い１つの音楽として、同一の音楽の音楽データ、及び類似する音楽の音楽データの何れも選定可能なようにしている。
【０２９７】
これにより携帯型音楽再生装置２２の制御部５０は、例えば、音楽記憶部５２に対し、引継利用音楽と同一の音楽の音楽データを記憶している場合、据置型音楽再生装置２１から引き継いで音楽データの再生を開始した直後には、当該引継利用音楽と同一の音楽を選定し改めて聴かせることができる。
【０２９８】
また携帯型音楽再生装置２２の制御部５０は、例えば、音楽記憶部５２に対し、引継利用音楽と同一の音楽の音楽データを記憶してはいない場合、据置型音楽再生装置２１から引き継いで音楽データの再生を開始した直後には、当該引継利用音楽と類似する（すなわち、同一ではない）音楽を選定して聴かせることができる。
【０２９９】
これに加えて携帯型音楽再生装置２２の制御部５０は、据置型音楽再生装置２１から引き継いで順次音楽データを再生している間は、上述したように携帯型音楽再生装置２２単独で類似音楽再生処理を実行した場合と同様に、音楽記憶部５２から順次読み出して再生した音楽データに対応する音楽識別情報ＭＩＤを保持する。
【０３００】
そして携帯型音楽再生装置２２の制御部５０は、かかる携帯側連携再生処理において、選定部６０に対し２つ目以降の音楽データを選定させるときには、すでに再生した音楽データに対応する音楽識別情報ＭＩＤを利用して、そのすでに再生した音楽データを、次に再生する音楽データの選定候補から除外するように、選定可能な音楽データを制限している。
【０３０１】
よって携帯型音楽再生装置２２の制御部５０は、選定部６０に対し２つ目以降の音楽データを選定させるとき、同一の音楽データが再生用に度々選定されることを回避し、かくしてユーザに対し順次、類似度が高い音楽を重複させずに聴かせることができる。
【０３０２】
ところで据置型音楽再生装置２１の制御部３０は、据置型音楽再生装置２１に携帯型音楽再生装置２２が接続されたことで自動的に据置側連携再生処理を実行するものの、その据置側連携再生処理の実行途中に当該据置型音楽再生装置２１から携帯型音楽再生装置２２が外されると、以下に説明する第１乃至第３の終了手法の何れか１つの終了手法で据置側連携再生処理を終了する。
【０３０３】
従って、以下には、据置型音楽再生装置２１において据置側連携再生処理を終了するための第１乃至第３の終了手法について順番に説明する。
【０３０４】
ただし、据置型音楽再生装置２１では、据置側連携再生処理を、当該据置型音楽再生装置２１から携帯型音楽再生装置２２が外されたことで終了させる際に、何れの終了手法で終了させるのかを、ユーザに対し第１乃至第３の終了手法の中から任意に１つの終了手法を選択させて設定している。
【０３０５】
実際に、据置型音楽再生装置２１の制御部３０は、据置側連携再生処理を第１の終了手法で終了するように設定している場合、当該据置側連携再生処理の実行中に装置通信部４１を介して、据置型音楽再生装置２１から携帯型音楽再生装置２２が外されたことを検知すると、その時点に再生中の音楽データ（すなわち、引継利用音楽データ）の当該再生を強制的に停止させたうえで据置側連携再生処理も終了する。
【０３０６】
また据置型音楽再生装置２１の制御部３０は、据置側連携再生処理を第２の終了手法で終了するように設定している場合、当該据置側連携再生処理の実行中に装置通信部４１を介して、据置型音楽再生装置２１から携帯型音楽再生装置２２が外されたことを検知すると、その時点に再生中の引継利用音楽データをそのまま最後まで再生した後（すなわち、再生中の１つの引継利用音楽データを後尾まで再生した後）、その再生終了に応じて据置側連携再生処理を終了する。
【０３０７】
さらに据置型音楽再生装置２１の制御部３０は、据置側連携再生処理を第３の終了手法で終了するように設定している場合、当該据置側連携再生処理の実行中に装置通信部４１を介して、据置型音楽再生装置２１から携帯型音楽再生装置２２が外されたことを検知しても、そのまま据置側連携再生処理を実行し続け、ユーザにより操作部３１を介して処理の終了が指示されると、その指示に応じて据置側連携再生処理を終了する。
【０３０８】
因みに、据置型音楽再生装置２１の制御部３０は、据置側連携再生処理を第３の終了手法で終了するように設定している場合、据置型音楽再生装置２１から携帯型音楽再生装置２２が外されたことを検知した時点から、予め選定された所定時間に達しても、ユーザにより操作部３１を介して処理の終了が何ら指示されないと、そのときには据置側連携再生処理を自動的に終了する。
【０３０９】
これにより据置型音楽再生装置２１の制御部３０は、据置側連携再生処理を第３の終了手法で終了するように設定している場合、例えば、据置型音楽再生装置２１から携帯型音楽再生装置２２を外したユーザが処理を終了するように指示することを忘れて据置型音楽再生装置２１から離れても、据置側連携再生処理を無駄に実行し続ける（すなわち、無駄に動作し続ける）ことを回避し得るようになされている。
【０３１０】
ところで携帯型音楽再生装置２２の制御部５０は、例えば、音楽データ（すなわち、連携利用音楽データ）を再生している状態で、据置型音楽再生装置２１に携帯型音楽再生装置２２が接続されたことを検知すると、第１及び第２の送信手法の何れか１つの送信手法で据置型音楽再生装置２１に連携利用属性データを送信している。
【０３１１】
従って、以下には、携帯型音楽再生装置２２において、連携利用音楽データの再生中に、据置型音楽再生装置２１に携帯型音楽再生装置２２が接続されたことを検知したときに据置型音楽再生装置２１に対し当該連携利用音楽データに対応する連携利用属性データを送信する第１及び第２の送信手法について順番に説明する。
【０３１２】
ただし、携帯型音楽再生装置２２では、連携利用音楽データの再生中に、据置型音楽再生装置２１に携帯型音楽再生装置２２が接続されたことを検知したとき、据置型音楽再生装置２１に対し連携利用属性データを何れの送信手法で送信するのかを、ユーザに対し第１及び第２の送信手法の中から任意に１つの送信手法を選択させて設定している。
【０３１３】
実際に、携帯型音楽再生装置２２の制御部５０は、第１の送信手法で据置型音楽再生装置２１に対し連携利用属性データを送信するように設定している場合、連携利用音楽データの再生中に装置通信部５１を介して、据置型音楽再生装置２１に携帯型音楽再生装置２２が接続されたことを検知すると、その連携利用音楽データを再生処理して生成していたアナログの連携利用音楽信号を、その検知時点からヘッドホンに替えて装置通信部５１により据置型音楽再生装置２１に送信する。
【０３１４】
また携帯型音楽再生装置２２の制御部５０は、このようにして連携利用音楽データを再生処理して得られる連携利用音楽信号を据置型音楽再生装置２１へ送信して、当該連携利用音楽データの再生が終了すると（すなわち、連携利用音楽データを後尾まで再生処理し終えると）、履歴記憶部６２から再生履歴情報を読み出す。
【０３１５】
そして携帯型音楽再生装置２２の制御部５０は、属性記憶部５３から、その再生履歴情報に応じた１つの連携利用属性データ（すなわち、再生履歴情報が示す連携利用音楽データに対応する１つの連携利用属性データ）を読み出すと共に、当該読み出した連携利用属性データを、音楽信号（すなわち、連携利用音楽信号）の後尾部分に続けて装置通信部５１により据置型音楽再生装置２１に送信する。
【０３１６】
因みに、携帯型音楽再生装置２２の制御部５０は、据置型音楽再生装置２１に連携利用音楽信号として送信していた連携利用音楽データの再生が終了すると、その後は当該携帯型音楽再生装置２２が据置型音楽再生装置２１から外されるまでの間、音楽データを何ら再生しない状態となる。
【０３１７】
一方、据置型音楽再生装置２１の制御部３０は、例えば、音楽データを再生してはいない状態で、当該据置型音楽再生装置２１に携帯型音楽再生装置２２が接続されたときに当該携帯型音楽再生装置２２から連携利用音楽信号が送信されると、その連携利用音楽信号を装置通信部４１によって受信して取り込みながら再生部３２に送出する。
【０３１８】
よって据置型音楽再生装置２１の制御部３０は、再生部３２により、その連携利用音楽信号をスピーカから連携利用音楽として出力する。
【０３１９】
すなわち、据置型音楽再生装置２１の制御部３０は、携帯型音楽再生装置２２のヘッドホンから出力されていた連携利用音楽を途中から自身のスピーカに切り替えて出力させてユーザに聴かせる。
【０３２０】
そして据置型音楽再生装置２１の制御部３０は、携帯型音楽再生装置２２から連携利用音楽信号に引き続き連携利用属性データが送信されると、その連携利用属性データを装置通信部４１によって受信して取り込む。
【０３２１】
このようにして据置型音楽再生装置２１の制御部３０は、携帯型音楽再生装置２２から送信された連携利用音楽信号を連携利用音楽として最後までスピーカから出力させた後、その連携利用音楽信号に引き続き携帯型音楽再生装置２２から送信された連携利用属性データを取り込むと、これに応じて上述した場合と同様に順次、類似度が高い音楽の音楽データを選定して再生する。
【０３２２】
また携帯型音楽再生装置２２の制御部５０は、第２の送信手法で据置型音楽再生装置２１に対し連携利用属性データを送信するように設定している場合、連携利用音楽データの再生中に装置通信部５１を介して、据置型音楽再生装置２１に携帯型音楽再生装置２２が接続されたことを検知すると、その時点に連携利用音楽データの再生を強制的に停止させる。
【０３２３】
そして携帯型音楽再生装置２２の制御部５０は、上述した音楽データを再生してはいない状態で据置型音楽再生装置２１に対し携帯型音楽再生装置２２が接続されたことを検知したときと同様に、履歴記憶部６２から再生履歴情報を読み出す。
【０３２４】
これにより携帯型音楽再生装置２２の制御部５０は、属性記憶部５３から、その再生履歴情報に応じた１つの連携利用属性データ（すなわち、再生履歴情報が示す連携利用音楽データに対応する１つの連携利用属性データ）を読み出すと共に、当該読み出した連携利用属性データを装置通信部５１により据置型音楽再生装置２１に送信する。
【０３２５】
因みに、据置型音楽再生装置２１の制御部３０は、連携利用音楽データを再生中の携帯型音楽再生装置２２が据置型音楽再生装置２１に接続されても、当該携帯型音楽再生装置２２から連携利用属性データのみが送信されると、上述した場合と同様に、その連携利用属性データを装置通信部４１によって受信して取り込み、当該連携利用属性データの取り込みに応じて順次、類似度が高い音楽の音楽データを選定して再生する。
【０３２６】
一方、据置型音楽再生装置２１の制御部３０は、例えば、音楽データを再生している状態で、当該据置型音楽再生装置２１に携帯型音楽再生装置２２が接続されたことを検知すると、その携帯型音楽再生装置２２から送信される連携利用属性データを第１及び第２の受信手法の何れか１つの受信手法で受信する。
【０３２７】
従って、以下には、据置型音楽再生装置２１において、音楽データの再生中に当該据置型音楽再生装置２１に携帯型音楽再生装置２２が接続されたことを検知したとき、その携帯型音楽再生装置２２から送信される連携利用属性データを受信する第１及び第２の受信手法について順番に説明する。
【０３２８】
ただし、据置型音楽再生装置２１では、音楽データの再生中に当該据置型音楽再生装置２１に携帯型音楽再生装置２２が接続されたことを検知したとき、その携帯型音楽再生装置２２から送信される連携利用属性データを何れの受信手法で受信するのかを、ユーザに対し第１及び第２の受信手法の中から任意に１つの受信手法を選択させて設定している。
【０３２９】
実際に、据置型音楽再生装置２１の制御部３０は、第１の受信手法で連携利用属性データを受信するように設定している場合、音楽データの再生中に装置通信部４１を介して、据置型音楽再生装置２１に携帯型音楽再生装置２２が接続されたことを検知すると、その時点に音楽データの再生を強制的に停止させる。
【０３３０】
そして据置型音楽再生装置２１の制御部３０は、連携利用音楽信号を受信したか否かを判別する。
【０３３１】
その結果、据置型音楽再生装置２１の制御部３０は、携帯型音楽再生装置２２から連携利用音楽信号は送信されず当該携帯型音楽再生装置２２から送信された連携利用属性データを装置通信部４１によって受信して取り込むと（すなわち、連携利用音楽信号を受信してはいないと判別すると）、当該連携利用属性データの取り込みに応じて上述した場合と同様に順次、類似度が高い音楽の音楽データを選定して再生する。
【０３３２】
これに対して据置型音楽再生装置２１の制御部３０は、携帯型音楽再生装置２２から送信された連携利用音楽信号を装置通信部４１によって受信して取り込み始めると（すなわち、携帯型音楽再生装置２２から送信された連携利用音楽信号を受信したと判別すると）、当該携帯型音楽再生装置２２から送信された連携利用音楽信号を装置通信部４１によって受信して取り込みながら再生部３２に送出する。
【０３３３】
そして据置型音楽再生装置２１の制御部３０は、再生部３２により連携利用音楽信号をスピーカから連携利用音楽として出力する。
【０３３４】
すなわち、据置型音楽再生装置２１の制御部３０は、この際、携帯型音楽再生装置２２のヘッドホンから出力されていた連携利用音楽を途中から自身のスピーカに切り替えて出力させてユーザに聴かせる。
【０３３５】
このようにして据置型音楽再生装置２１の制御部３０は、携帯型音楽再生装置２２による連携利用音楽データの再生が終了して、当該携帯型音楽再生装置２２から連携利用音楽信号に引き続き連携利用属性データが送信されると、その連携利用属性データを装置通信部４１によって受信して取り込む。
【０３３６】
すなわち、据置型音楽再生装置２１の制御部３０は、携帯型音楽再生装置２２から送信された連携利用音楽信号を連携利用音楽として最後までスピーカから出力させた後、その連携利用音楽信号に引き続き携帯型音楽再生装置２２から送信された連携利用属性データを取り込むと、これに応じて上述した場合と同様に順次、類似度が高い音楽の音楽データを選定して再生する。
【０３３７】
また据置型音楽再生装置２１の制御部３０は、第２の受信手法で連携利用属性データを受信するように設定している場合、音楽データの再生中に装置通信部４１を介して、据置型音楽再生装置２１に携帯型音楽再生装置２２が接続されたことを検知すると、音楽データを再生したまま、連携利用音楽信号を受信したか否かを判別する。
【０３３８】
その結果、据置型音楽再生装置２１の制御部３０は、携帯型音楽再生装置２２から連携利用音楽信号は送信されずに当該携帯型音楽再生装置２２から送信された連携利用属性データを装置通信部４１によって受信して取り込むと（すなわち、連携利用音楽信号を受信してはいないと判別すると）、当該連携利用属性データの取り込みに応じて選定部４０により上述と同様に連携利用属性データをもとに音楽データを選定する。
【０３３９】
そして据置型音楽再生装置２１の制御部３０は、自身で再生していた音楽データの再生が終了すると、選定部４０によって連携利用属性データをもとにして再生用に選定していた音楽データを引き続き再生する。
【０３４０】
これに対して据置型音楽再生装置２１の制御部３０は、携帯型音楽再生装置２２から送信された連携利用音楽信号を装置通信部４１によって受信して取り込み始めると（すなわち、連携利用音楽信号を受信したと判別すると）、その時点に再生していた音楽データの再生を強制的に停止させると共に、携帯型音楽再生装置２２から送信された連携利用音楽信号を装置通信部４１によって受信して取り込みながら再生部３２に送出する。
【０３４１】
よって据置型音楽再生装置２１の制御部３０は、再生部３２により、それまで再生処理していた音楽データに替えて、連携利用音楽信号をスピーカから連携利用音楽として出力してユーザに聴かせる。
【０３４２】
すなわち、据置型音楽再生装置２１の制御部３０は、この際、携帯型音楽再生装置２２のヘッドホンから出力されていた連携利用音楽を途中から自身のスピーカに切り替えて出力させてユーザに聴かせる。
【０３４３】
そして据置型音楽再生装置２１の制御部３０は、携帯型音楽再生装置２２による連携利用音楽データの再生が終了して、当該携帯型音楽再生装置２２から連携利用音楽信号に引き続き連携利用属性データが送信されると、その連携利用属性データを装置通信部４１によって受信して取り込む。
【０３４４】
このようにして据置型音楽再生装置２１の制御部３０は、携帯型音楽再生装置２２から送信された連携利用音楽信号を連携利用音楽として最後までスピーカから出力させた後、その連携利用音楽信号に引き続き携帯型音楽再生装置２２から送信された連携利用属性データを取り込むと、これに応じて上述した場合と同様に順次、類似度が高い音楽の音楽データを選定して再生する。
【０３４５】
（２−２）第１の連携再生処理
次いで、図１０及び図１１に示すフローチャートを用いて、据置型音楽再生装置２１及び携帯型音楽再生装置２２において実行する第１の連携再生処理手順について説明する。
【０３４６】
携帯型音楽再生装置２２の制御部５０は、装置通信部５１を介して、据置型音楽再生装置２１に携帯型音楽再生装置２２が接続されたことを検知すると、図１０及び図１１に示す携帯側連携再生処理手順ＲＴ１を開始する。
【０３４７】
携帯型音楽再生装置２２の制御部５０は、かかる携帯側連携再生処理手順ＲＴ１を開始すると、ステップＳＰ１において送信処理を実行することにより連携利用属性データを装置通信部５１によって据置型音楽再生装置２１に送信して、次のステップＳＰ２に移る。
【０３４８】
このとき、据置型音楽再生装置２１の制御部３０は、装置通信部４１を介して、当該据置型音楽再生装置２１に携帯型音楽再生装置２２が接続されたことを検知して、図１０及び図１１に示す据置側連携再生処理手順ＲＴ２を開始している。
【０３４９】
据置型音楽再生装置２１の制御部３０は、かかる据置側連携再生処理手順ＲＴ２を開始すると、ステップＳＰ１１において受信処理を実行することにより携帯型音楽再生装置２２から送信された連携利用属性データを装置通信部４１によって受信して取り込み、次のステップＳＰ１２に移る。
【０３５０】
ステップＳＰ１２において据置型音楽再生装置２１の制御部３０は、連携利用属性データを選定部４０に送出すると共に、属性記憶部３６から、当該据置型音楽再生装置２１で記憶している複数の音楽データに対応する複数の属性データＡＢを読み出し、当該読み出した属性データＡＢも選定部４０に送出する。
【０３５１】
そして据置型音楽再生装置２１の制御部３０は、選定部４０により連携利用属性データとしての比較基準属性データを、複数の属性データＡＢとしての複数の比較対象属性データと順次比較する。
【０３５２】
これにより据置型音楽再生装置２１の制御部３０は、その比較結果に基づき、当該据置型音楽再生装置２１で記憶している複数の音楽データの中から、連携利用音楽との類似度が最も高い１つの音楽の音楽データを再生用に選定して、次のステップＳＰ１３に移る。
【０３５３】
ステップＳＰ１３において据置型音楽再生装置２１の制御部３０は、音楽記憶部３３から、選定部４０によって選定した１つの音楽データを読み出すと共に、再生部３２により、その音楽データに対する再生を開始して、次のステップＳＰ１４に移る。
【０３５４】
ステップＳＰ１４において据置型音楽再生装置２１の制御部３０は、属性記憶部３６から、このとき再生を開始した音楽データに対応する属性データＡＢを読み出すと共に、当該読み出した属性データＡＢを引継利用属性データとして装置通信部４１により携帯型音楽再生装置２２に送信して、次のステップＳＰ１５に移る。
【０３５５】
ステップＳＰ１５において据置型音楽再生装置２１の制御部３０は、ユーザにより据置側連携再生処理の終了が指示されたか否かを判別する。
【０３５６】
このステップＳＰ１５において否定結果が得られると、このことはユーザにより据置型音楽再生装置２１によって再生している音楽データに基づく音楽が聴かれている途中であることを表している。
【０３５７】
そして据置型音楽再生装置２１の制御部３０は、ステップＳＰ１５において、かかる否定結果を得ると、次のステップＳＰ１６に移る。
【０３５８】
ステップＳＰ１６において据置型音楽再生装置２１の制御部３０は、据置型音楽再生装置２１から携帯型音楽再生装置２２が外されたか否かを判別する。
【０３５９】
このステップＳＰ１６において否定結果が得られると、このことは据置型音楽再生装置２１に携帯型音楽再生装置２２が接続されたまま、当該据置型音楽再生装置２によって再生している音楽データに基づく音楽がユーザによって聴かれている途中であることを表している。
【０３６０】
そして据置型音楽再生装置２１の制御部３０は、ステップＳＰ１６において、かかる否定結果を得ると、次のステップＳＰ１７に移る。
【０３６１】
ステップＳＰ１７において据置型音楽再生装置２１の制御部３０は、ステップＳＰ１３において再生を開始していた音楽データに替えて、次の音楽データを再生するか否かを判別する。
【０３６２】
このステップＳＰ１７において否定結果が得られると、このことはステップＳＰ１３において再生を開始した音楽データを未だ再生している途中であり、またユーザにより、その音楽データの再生を停止させて、次の音楽データを再生するように指示されてもいないことを表している。
【０３６３】
そして据置型音楽再生装置２１の制御部３０は、このステップＳＰ１７において、かかる否定結果を得ると、ステップＳＰ１５に戻る。
【０３６４】
よって据置型音楽再生装置２１の制御部３０は、この後、ステップＳＰ１５乃至ステップＳＰ１７の何れかにおいて肯定結果を得るまでの間、ステップＳＰ１５乃至ステップＳＰ１７の処理を循環的に繰り返し実行して１つの音楽データを再生し続けることにより、ユーザに対し、その音楽データに基づく音楽（すなわち、連携利用音楽のような１つ前の再生音楽との類似度が高い音楽）を聴かせる。
【０３６５】
ところでステップＳＰ１７において肯定結果が得られると、このことはステップＳＰ１３において再生を開始した音楽データの再生が終了し、又はユーザにより、その音楽データの再生を停止させて、次の音楽データを再生するように指示されたことを表している。
【０３６６】
据置型音楽再生装置２１の制御部３０は、ステップＳＰ１７において、かかる肯定結果を得ると、次のステップＳＰ１８に移る。
【０３６７】
ステップＳＰ１８において据置型音楽再生装置２１の制御部３０は、属性記憶部３６から、当該据置型音楽再生装置２１で記憶している複数の音楽データに対応する複数の属性データＡＢのうち、１つ前に再生した音楽データに対応する１つの属性データＡＢと、未だ再生していない複数の音楽データに対応する複数の属性データＡＢとを読み出して選定部４０に送出する。
【０３６８】
そして据置型音楽再生装置２１の制御部３０は、選定部４０により、１つ前に再生した音楽データに対応する属性データＡＢとしての比較基準属性データを、未だ再生してはいない複数の音楽データに対応する複数の属性データＡＢとしての複数の比較対象属性データと順次比較する。
【０３６９】
これにより据置型音楽再生装置２１の制御部３０は、その比較結果に基づき、当該据置型音楽再生装置２１で記憶している複数の音楽データの中から、１つ前の再生音楽との類似度が最も高い１つの音楽の音楽データを再生用に選定して、ステップＳＰ１３に戻る。
【０３７０】
よって据置型音楽再生装置２１の制御部３０は、この後、ステップＳＰ１５及びステップＳＰ１６の何れかにおいて肯定結果を得るまでの間、ステップＳＰ１３乃至ステップＳＰ１８の処理を循環的に繰り返し実行して順次、１つ前の再生音楽との類似度が高い１つの音楽の音楽データを選定して再生することにより、ユーザに対し、順次、１つ前の再生音楽との類似度が高い音楽を連続的に聴かせる。
【０３７１】
一方、ステップＳＰ２において携帯型音楽再生装置２２の制御部５０は、引継利用属性データを受信したか否かを判別する。
【０３７２】
このステップＳＰ２において肯定結果が得られると、このことは据置型音楽再生装置２１から音楽データの再生開始に応じて送信された引継利用属性データを装置通信部５１によって受信したことを表している。
【０３７３】
携帯型音楽再生装置２２の制御部５０は、ステップＳＰ２において、かかる肯定結果を得ると、次のステップＳＰ３に移る。
【０３７４】
そしてステップＳＰ３において携帯型音楽再生装置２２の制御部５０は、その装置通信部５１によって受信した引継利用属性データを属性記憶部５３に記憶して、次のステップＳＰ４に移る。
【０３７５】
またステップＳＰ２において否定結果が得られると、このことは据置型音楽再生装置２２が音楽データの再生中であるために、引継利用属性データを送信してはいないこと、又は据置型音楽再生装置２２がすでに据置側連携再生処理を終了しているために、引継利用属性データを送信してはいないことを表している。
【０３７６】
そして携帯型音楽再生装置２２の制御部５０は、ステップＳＰ２において、かかる否定結果を得ると、ステップＳＰ３の処理を飛ばしてステップＳＰ４に移る。
【０３７７】
そしてステップＳＰ４において携帯型音楽再生装置２２の制御部５０は、据置型音楽再生装置２１から携帯型音楽再生装置２２が外されたか否かを判別する。
【０３７８】
このステップＳＰ４において否定結果が得られると、このことは据置型音楽再生装置２１に携帯型音楽再生装置２２が接続されたまま、当該据置型音楽再生装置２１によって再生されている音楽データに基づく音楽がユーザによって聴かれている途中であること、又は据置型音楽再生装置２１において、すでに据置側連携再生処理を終了させているものの、その据置型音楽再生装置２１に対し携帯型音楽再生装置２２が未だ接続されていることを表している。
【０３７９】
携帯型音楽再生装置２２の制御部５０は、ステップＳＰ４において、かかる否定結果を得ると、ステップＳＰ２に戻る。
【０３８０】
よって携帯型音楽再生装置２２の制御部５０は、この後、ステップＳＰ４において肯定結果を得るまでの間、ステップＳＰ２乃至ステップＳＰ４の処理を循環的に繰り返し実行する。
【０３８１】
これにより携帯型音楽再生装置２２の制御部５０は、据置型音楽再生装置２１から音楽データの再生が開始される毎に送信される引継利用属性データを装置通信部５１によって受信して属性記憶部５３に記憶しながら、その据置型音楽再生装置２１から携帯型音楽再生装置２２が外されることを待ち受ける。
【０３８２】
ところで据置型音楽再生装置２１において上述のステップＳＰ１６で肯定結果が得られると、このことはユーザにより、据置型音楽再生装置２１を使用して音楽を聴くことがやめられて、当該据置型音楽再生装置２１から携帯型音楽再生装置２２が外されたことを表している。
【０３８３】
据置型音楽再生装置２１の制御部３０は、ステップＳＰ１６において、かかる肯定結果を得ると（すなわち、装置通信部４１を介して、据置型音楽再生装置２１から携帯型音楽再生装置２２が外されたことを検知すると）、ステップＳＰ１９に移る。
【０３８４】
そしてステップＳＰ１９において据置型音楽再生装置２１の制御部３０は、終了処理を実行した後、次のステップＳＰ２０に移って、据置側連携再生処理手順ＲＴ２を終了する。
【０３８５】
また据置型音楽再生装置２１において上述のステップＳＰ１５で肯定結果が得られると、このことはユーザにより、据置型音楽再生装置２１を使用して音楽を聴くことがやめられて、据置側連携再生処理を終了するように指示されたことを表している。
【０３８６】
そして据置型音楽再生装置２１の制御部３０は、ステップＳＰ１５において、かかる肯定結果を得ると、ステップＳＰ２０に移って、据置側連携再生処理手順ＲＴ２を終了する。
【０３８７】
ところで携帯型音楽再生装置２２において上述のステップＳＰ４で肯定結果が得られると、このことは例えば、ユーザにより、携帯型音楽再生装置２２を携帯して外出するために、据置型音楽再生装置２１から携帯型音楽再生装置２２が外されたことを表している。
【０３８８】
携帯型音楽再生装置２２の制御部５０は、ステップＳＰ４において、かかる肯定結果を得ると（すなわち、装置通信部５１を介して、据置型音楽再生装置２１から携帯型音楽再生装置２２が外されたことを検知すると）、次のステップＳＰ５に移る。
【０３８９】
ステップＳＰ５において携帯型音楽再生装置２２の制御部５０は、属性記憶部５３から引継利用属性データと、携帯型音楽再生装置２２で記憶している複数の音楽データに対応する複数の属性データＡＢとを読み出して選定部６０に送出する。
【０３９０】
そして携帯型音楽再生装置２２の制御部５０は、選定部６０により引継利用属性データとしての比較基準属性データを、複数の属性データＡＢとしての複数の比較対象属性データと順次比較する。
【０３９１】
これにより携帯型音楽再生装置２２の制御部５０は、その比較結果に基づき、当該携帯型音楽再生装置２２で記憶している複数の音楽データの中から、引継利用音楽との類似度が最も高い１つの音楽の音楽データを再生用に選定して、次のステップＳＰ６に移る。
【０３９２】
ステップＳＰ６において携帯型音楽再生装置２２の制御部５０は、音楽記憶部５２から、選定部６０によって選定した１つの音楽データを読み出すと共に、再生部５９により、その音楽データに対する再生を開始して、次のステップＳＰ７に移る。
【０３９３】
ステップＳＰ７において携帯型音楽再生装置２２の制御部５０は、ユーザにより携帯側連携再生処理の終了が指示されたか否かを判別する。
【０３９４】
このステップＳＰ７において否定結果が得られると、このことは携帯型音楽再生装置２２によって再生している音楽データに基づく音楽がユーザによって聴かれている途中であることを表している。
【０３９５】
そして携帯型音楽再生装置２２の制御部５０は、ステップＳＰ７において、かかる否定結果を得ると、次のステップＳＰ８に移る。
【０３９６】
ステップＳＰ８において携帯型音楽再生装置２２の制御部５０は、ステップＳＰ６において再生を開始していた音楽データに替えて、次の音楽データを再生するか否かを判別する。
【０３９７】
このステップＳＰ８において否定結果が得られると、このことはステップＳＰ６において再生を開始した音楽データを未だ再生している途中であり、またユーザにより、その音楽データの再生を停止させて、次の音楽データを再生するように指示されてもいないことを表している。
【０３９８】
そして携帯型音楽再生装置２２の制御部５０は、このステップＳＰ８において、かかる否定結果を得ると、ステップＳＰ７に戻る。
【０３９９】
よって携帯型音楽再生装置２２の制御部５０は、この後、ステップＳＰ７及びステップＳＰ８の何れかにおいて肯定結果を得るまでの間、ステップＳＰ７及びステップＳＰ８の処理を循環的に繰り返し実行して１つの音楽データを再生し続け、ユーザに対し、その音楽データに基づく音楽（すなわち、引継利用音楽のような１つ前の再生音楽との類似度が高い音楽）を聴かせる。
【０４００】
ところでステップＳＰ８において肯定結果が得られると、このことはステップＳＰ６において再生を開始した音楽データの再生が終了し、又はユーザにより、その音楽データの再生を停止させて、次の音楽データを再生するように指示されたことを表している。
【０４０１】
携帯型音楽再生装置２２の制御部５０は、ステップＳＰ８において、かかる肯定結果を得ると、次のステップＳＰ９に移る。
【０４０２】
ステップＳＰ９において携帯型音楽再生装置２２の制御部５０は、属性記憶部５３から、当該携帯型音楽再生装置２２で記憶している複数の音楽データに対応する複数の属性データＡＢのうち、１つ前に再生した音楽データに対応する１つの属性データＡＢと、未だ再生してはいない複数の音楽データに対応する複数の属性データＡＢとを読み出して選定部６０に送出する。
【０４０３】
そして携帯型音楽再生装置２２の制御部５０は、選定部６０により、１つ前に再生した音楽データに対応する属性データＡＢとしての比較基準属性データを、未だ再生していない複数の音楽データに対応する複数の属性データＡＢとしての複数の比較対象属性データと順次比較する。
【０４０４】
これにより携帯型音楽再生装置２２の制御部５０は、その比較結果に基づき、当該携帯型音楽再生装置２２で記憶している複数の音楽データの中から、１つ前の再生音楽との類似度が最も高い１つの音楽の音楽データを再生用に選定して、ステップＳＰ６に戻る。
【０４０５】
よって携帯型音楽再生装置２２の制御部５０は、この後、ステップＳＰ７において肯定結果を得るまでの間、ステップＳＰ６乃至ステップＳＰ９の処理を循環的に繰り返し実行して、順次、１つ前の再生音楽との類似度が高い１つの音楽の音楽データを選定して再生することにより、ユーザに対し、順次、１つ前の再生音楽との類似度が高い音楽を連続的に聴かせる。
【０４０６】
ところで上述のステップＳＰ７において肯定結果が得られると、このことはユーザにより、携帯型音楽再生装置２２を使用して音楽を聴くことがやめられて、当該携帯型音楽再生装置２２に対し携帯側連携再生処理を終了するように指示されたことを表している。
【０４０７】
よって携帯型音楽再生装置２２の制御部５０は、ステップＳＰ７において、かかる肯定結果を得ると、ステップＳＰ１０に移って、携帯側連携再生処理手順ＲＴ１を終了する。
【０４０８】
このようにして携帯型音楽再生装置２２の制御部５０及び据置型音楽再生装置２１の制御部３０は、第１の連携再生処理手順を全て終了する。
【０４０９】
次いで、図１２を用いて、携帯型音楽再生装置２２の制御部５０が図１０及び図１１について上述した携帯側連携再生処理手順ＲＴ１のステップＳＰ１において実行する送信処理について説明する。
【０４１０】
携帯型音楽再生装置２２の制御部５０は、携帯側連携再生処理手順ＲＴ１を開始すると、ステップＳＰ１において図１２に示す送信処理のサブルーチンＳＲＴ１１を開始する。
【０４１１】
携帯型音楽再生装置２２の制御部５０は、かかる送信処理のサブルーチンＳＲＴ１１を開始すると、ステップＳＰ１１１において現在、音楽データを再生中であるか否かを判別する。
【０４１２】
このステップＳＰ１１１において肯定結果が得られると、このことは携帯型音楽再生装置２２が音楽データの再生中に（すなわち、１つの音楽データを途中まで再生している状態で）据置型音楽再生装置２１に接続されたことを表している。
【０４１３】
携帯型音楽再生装置２２の制御部５０は、ステップＳＰ１１１において、かかる肯定結果を得ると、次のステップＳＰ１１２に移る。
【０４１４】
ステップＳＰ１１２において携帯型音楽再生装置２２の制御部５０は、現在、第１の送信手法に設定しているか否かを判別する。
【０４１５】
このステップＳＰ１１２において肯定結果が得られると、このことは携帯型音楽再生装置２２が、ユーザにより選択された第１の送信手法で連携利用属性データを送信するように設定している状態で据置型音楽再生装置２１に接続されたことを表している。
【０４１６】
携帯型音楽再生装置２２の制御部５０は、ステップＳＰ１１２において、かかる肯定結果を得ると、次のステップＳＰ１１３に移る。
【０４１７】
ステップＳＰ１１３において携帯型音楽再生装置２２の制御部５０は、現在再生中の音楽データ（すなわち、連携利用音楽データ）を再生処理して生成している音楽信号（すなわち、連携利用音楽信号）を、ヘッドホンに替えて装置通信部５１により据置型音楽再生装置２１へ送信し始めて、次のステップＳＰ１１４に移る。
【０４１８】
ステップＳＰ１１４において携帯型音楽再生装置２２の制御部５０は、据置型音楽再生装置２１への連携利用音楽信号の送信が終了すること（すなわち、連携利用音楽データの再生処理が終了すること）を待ち受け、当該連携利用音楽信号の送信が終了すると、次のステップＳＰ１１５に移る。
【０４１９】
ステップＳＰ１１５において携帯型音楽再生装置２２の制御部５０は、履歴記憶部６２から再生履歴情報を読み出すと共に、属性記憶部５３から、その再生履歴情報に応じた１つの連携利用属性データを読み出す。
【０４２０】
そして携帯型音楽再生装置２２の制御部５０は、連携利用属性データを装置通信部５１により据置型音楽再生装置２１に送信した後、次のステップＳＰ１１６に移って、かかる送信処理のサブルーチンＳＲＴ１１を終了する。
【０４２１】
ところで、上述のステップＳＰ１１２において否定結果が得られると、このことは携帯型音楽再生装置２２が、ユーザにより選択された第２の送信手法で連携利用属性データを送信するように設定している状態で据置型音楽再生装置２１に接続されたことを表している。
【０４２２】
携帯型音楽再生装置２２の制御部５０は、ステップＳＰ１１２において、かかる否定結果を得ると、ステップＳＰ１１７に移る。
【０４２３】
そしてステップＳＰ１１７において携帯型音楽再生装置２２の制御部５０は、現在再生中の音楽データ（すなわち、連携利用音楽データ）の当該再生を強制的に停止させて、次のステップＳＰ１１５に移る。
【０４２４】
また上述のステップＳＰ１１１において否定結果が得られると、このことは携帯型音楽再生装置２２が、音楽データを何ら再生してはいない状態で据置型音楽再生装置２１に接続されたことを表している。
【０４２５】
携帯型音楽再生装置２２の制御部５０は、ステップＳＰ１１１において、かかる否定結果を得ると、ステップＳＰ１１５に移る。
【０４２６】
このようにして携帯型音楽再生装置２２の制御部５０は、携帯側連携再生処理手順ＲＴ１を開始すると、ステップＳＰ１において上述した送信処理のサブルーチンＳＲＴ１１を実行して連携利用属性データを据置型音楽再生装置２１に送信し、当該サブルーチンＳＲＴ１１が終了すると、ステップＳＰ２に移る。
【０４２７】
次いで、図１３を用いて、据置型音楽再生装置２１の制御部３０が図１０及び図１１について上述した据置側連携再生処理手順ＲＴ２のステップＳＰ１１において実行する受信処理について説明する。
【０４２８】
据置型音楽再生装置２１の制御部３０は、据置側連携再生処理手順ＲＴ２を開始すると、ステップＳＰ１１において図１３に示す受信処理のサブルーチンＳＲＴ２１を開始する。
【０４２９】
据置型音楽再生装置２１の制御部３０は、かかる受信処理のサブルーチンＳＲＴ２１を開始すると、ステップＳＰ２１１において現在、音楽データを再生中であるか否かを判別する。
【０４３０】
このステップＳＰ２１１において肯定結果が得られると、このことは据置型音楽再生装置２１に対し音楽データの再生中に（すなわち、１つの音楽データを途中まで再生している状態で）携帯型音楽再生装置２２が接続されたことを表している。
【０４３１】
据置型音楽再生装置２１の制御部３０は、ステップＳＰ２１１において、かかる肯定結果を得ると、次のステップＳＰ２１２に移る。
【０４３２】
ステップＳＰ２１２において据置型音楽再生装置２１の制御部３０は、現在、第１の受信手法に設定しているか否かを判別する。
【０４３３】
このステップＳＰ２１２において肯定結果が得られると、このことはユーザにより選択された第１の受信手法で連携利用属性データを受信するように設定している状態の据置型音楽再生装置２１に、携帯型音楽再生装置２２が接続されたことを表している。
【０４３４】
据置型音楽再生装置２１の制御部３０は、ステップＳＰ２１２において、かかる肯定結果を得ると、次のステップＳＰ２１３に移る。
【０４３５】
ステップＳＰ２１３において据置型音楽再生装置２１の制御部３０は、現在再生中の音楽データの当該再生を強制的に停止させて、次のステップＳＰ２１４に移る。
【０４３６】
ステップＳＰ２１４において据置型音楽再生装置２１の制御部３０は、連携利用音楽信号を受信したか否かを判別する。
【０４３７】
このステップＳＰ２１４において肯定結果が得られると、このことは据置型音楽再生装置２１に対し、携帯型音楽再生装置２２が音楽データを再生している状態で接続され、当該据置型音楽再生装置２１が携帯型音楽再生装置２２から送信された連携利用音楽信号を受信し始めたことを表している。
【０４３８】
据置型音楽再生装置２１の制御部３０は、ステップＳＰ２１４において、かかる肯定結果を得ると、次のステップＳＰ２１５に移る。
【０４３９】
ステップＳＰ２１５において据置型音楽再生装置２１の制御部３０は、携帯型音楽再生装置２２から送信された連携利用音楽信号を装置通信部４１によって受信して取り込みながら再生部３２に送出し、当該再生部３２により連携利用音楽信号をスピーカから連携利用音楽として出力し始めて、次のステップＳＰ２１６に移る。
【０４４０】
ステップＳＰ２１６において据置型音楽再生装置２１の制御部３０は、携帯型音楽再生装置２２から送信された連携利用音楽信号を受信してスピーカから連携利用音楽として出力しながら、携帯型音楽再生装置２２から連携利用音楽信号に引き続いて連携利用属性データが送信されることを待ち受ける。
【０４４１】
そして据置型音楽再生装置２１の制御部３０は、携帯型音楽再生装置２２から連携利用音楽データの再生が終了して送信された連携利用属性データを装置通信部４１によって受信して取り込むと、次のステップＳＰ２１７に移って、かかる受信処理のサブルーチンＳＲＴ２１を終了する。
【０４４２】
ところでステップＳＰ２１４において肯定結果が得られると、このことは据置型音楽再生装置２１に対して携帯型音楽再生装置２２が音楽データを何ら再生してはいない状態で接続されたため、又は携帯型音楽再生装置２２が据置型音楽再生装置２１への接続により、再生中の音楽データの再生を停止させたため、当該据置型音楽再生装置２１が携帯型音楽再生装置２２から送信された連携利用属性データを受信したことを表している。
【０４４３】
据置型音楽再生装置２１の制御部３０は、ステップＳＰ２１４において、かかる否定結果を得ると、ステップＳＰ２１７に移って、受信処理のサブルーチンＳＲＴ２１を終了する。
【０４４４】
また上述のステップＳＰ２１２において否定結果が得られると、このことはユーザにより選択された第２の受信手法で連携利用属性データを受信するように設定している状態の据置型音楽再生装置２１に、携帯型音楽再生装置２２が接続されたことを表している。
【０４４５】
据置型音楽再生装置２１の制御部３０は、ステップＳＰ２１２において、かかる否定結果を得ると、次のステップＳＰ２１８に移る。
【０４４６】
ステップＳＰ２１８において据置型音楽再生装置２１の制御部３０は、現在再生中の音楽データの当該再生を継続しながら、連携利用音楽信号を受信したか否かを判別する。
【０４４７】
このステップＳＰ２１８において肯定結果が得られると、このことは据置型音楽再生装置２１に対し、携帯型音楽再生装置２２が音楽データを再生している状態で接続され、当該据置型音楽再生装置２１が携帯型音楽再生装置２２から送信された連携利用音楽信号を受信し始めたことを表している。
【０４４８】
据置型音楽再生装置２１の制御部３０は、ステップＳＰ２１８において、かかる肯定結果を得ると、次のステップＳＰ２１９に移る。
【０４４９】
ステップＳＰ２１９において据置型音楽再生装置２１の制御部３０は、現在再生中の音楽データの当該再生を強制的に停止させると共に、携帯型音楽再生装置２２から送信された連携利用音楽信号を装置通信部４１によって受信して取り込みながら再生部３２に送出し、当該再生部３２により、その再生を停止させた音楽データに基づく音楽に替えて、連携利用音楽信号に基づく連携利用音楽をスピーカから出力し始めて、ステップＳＰ２１６に移る。
【０４５０】
さらにステップＳＰ２１８において肯定結果が得られると、このことは据置型音楽再生装置２１に対して携帯型音楽再生装置２２が音楽データを何ら再生してはいない状態で接続されたため、又は携帯型音楽再生装置２２が据置型音楽再生装置２１への接続により、再生中の音楽データの再生を停止させたため、当該据置型音楽再生装置２１が携帯型音楽再生装置２２から送信された連携利用属性データを受信したことを表している。
【０４５１】
据置型音楽再生装置２１の制御部３０は、ステップＳＰ２１８において、かかる否定結果を得ると、ステップＳＰ２１７に移って、受信処理のサブルーチンＳＲＴ２１を終了する。
【０４５２】
さらにステップＳＰ２１１において否定結果が得られると、このことは音楽データを何ら再生してはいない状態の据置型音楽再生装置２１に、携帯型音楽再生装置２２が接続されたことを表している。
【０４５３】
据置型音楽再生装置２１の制御部３０は、ステップＳＰ２１１において、かかる否定結果を得ると、ステップＳＰ２１４に移る。
【０４５４】
このようにして据置型音楽再生装置２１の制御部３０は、据置側連携再生処理手順ＲＴ２を開始すると、ステップＳＰ１１において上述した受信処理のサブルーチンＳＲＴ２１を実行して、携帯型音楽再生装置２２から送信される連携利用属性データを受信し、当該サブルーチンＳＲＴ２１が終了すると、ステップＳＰ１２に移る。
【０４５５】
次いで、図１４を用いて、据置型音楽再生装置２１の制御部３０が図１０及び図１１について上述した据置側連携再生処理手順ＲＴ２のステップＳＰ１９において実行する終了処理について説明する。
【０４５６】
据置型音楽再生装置２１の制御部３０は、据置側連携再生処理手順ＲＴ２において据置型音楽再生装置２１から携帯型音楽再生装置２２が外されたことを検知してステップＳＰ１９に移ると、図１４に示す終了処理のサブルーチンＳＲＴ３１を開始する。
【０４５７】
据置型音楽再生装置２１の制御部３０は、かかる終了処理のサブルーチンＳＲＴ３１を開始すると、ステップＳＰ３１１において現在、第１の終了手法に設定しているか否かを判別する。
【０４５８】
このステップＳＰ３１１において肯定結果が得られると、このことは、ユーザにより選択された第１の終了手法で据置側連携再生処理を終了するように設定している状態の据置型音楽再生装置２１から、携帯型音楽再生装置２２が外されたことを表している。
【０４５９】
据置型音楽再生装置２１の制御部３０は、ステップＳＰ３１１において、かかる肯定結果を得ると、次のステップＳＰ３１２に移る。
【０４６０】
ステップＳＰ３１２において据置型音楽再生装置２１の制御部３０は、現在再生中の音楽データ（すなわち、引継利用音楽データ）の当該再生を強制的に停止させて、次のステップＳＰ３１３に移り、かかる終了処理のサブルーチンＳＲＴ３１を終了する。
【０４６１】
またステップＳＰ３１１において否定結果が得られると、このことはユーザにより選択された第２の終了手法又は第３の終了手法で据置側連携再生処理を終了するように設定している状態の据置型音楽再生装置２１から、携帯型音楽再生装置２２が外されたことを表している。
【０４６２】
据置型音楽再生装置２１の制御部３０は、ステップＳＰ３１１において、かかる否定結果を得ると、ステップＳＰ３１４に移る。
【０４６３】
ステップＳＰ３１４において据置型音楽再生装置２１の制御部３０は、現在、第２の終了手法に設定しているか否かを判別する。
【０４６４】
このステップＳＰ３１４において肯定結果が得られると、このことはユーザにより選択された第２の終了手法で据置側連携再生処理を終了するように設定している状態の据置型音楽再生装置２１から、携帯型音楽再生装置２２が外されたことを表している。
【０４６５】
据置型音楽再生装置２１の制御部３０は、ステップＳＰ３１４において、かかる肯定結果を得ると、次のステップＳＰ３１５に移る。
【０４６６】
ステップＳＰ３１５において据置型音楽再生装置２１の制御部３０は、現在再生中の音楽データ（すなわち、引継利用音楽データ）の再生が終了することを待ち受ける。
【０４６７】
そして据置型音楽再生装置２１の制御部３０は、現在再生中の音楽データ（すなわち、引継利用音楽データ）の再生が終了（すなわち、引継利用音楽データを後尾まで再生）すると、ステップＳＰ３１３に移って、終了処理のサブルーチンＳＲＴ３１を終了する。
【０４６８】
さらにステップＳＰ３１４において否定結果が得られると、このことはユーザにより選択された第３の終了手法で据置側連携再生処理を終了するように設定している状態の据置型音楽再生装置２１から、携帯型音楽再生装置２２が外されたことを表している。
【０４６９】
据置型音楽再生装置２１の制御部３０は、ステップＳＰ３１４において、かかる肯定結果を得ると、ステップＳＰ３１６に移る。
【０４７０】
ステップＳＰ３１６において据置型音楽再生装置２１の制御部３０は、ユーザにより据置側連携再生処理の終了が指示されたか否かを判別する。
【０４７１】
このステップＳＰ３１６において否定結果が得られると、このことはユーザにより据置型音楽再生装置２１によって再生している音楽データに基づく音楽が未だ聴かれている可能性があることを表している。
【０４７２】
据置型音楽再生装置２１の制御部３０は、ステップＳＰ３１６において、かかる否定結果を得ると、ステップＳＰ３１７に移る。
【０４７３】
ステップＳＰ３１７において据置型音楽再生装置２１の制御部３０は、当該据置型音楽再生装置２１から携帯型音楽再生装置２２が外されたことを検知した時点から、予め選定された所定時間に達したか否かを判別する。
【０４７４】
このステップＳＰ３１７において否定結果が得られると、このことは据置型音楽再生装置２１から携帯型音楽再生装置２２が外されたことを検知した時点から、予め選定された所定時間に未だ達してはいないことを表している。
【０４７５】
据置型音楽再生装置２１の制御部３０は、ステップＳＰ３１７において、かかる否定結果を得ると、ステップＳＰ３１６に戻る。
【０４７６】
よって据置型音楽再生装置２１の制御部３０は、この後、ステップＳＰ３１６及びステップＳＰ３１７の何れかにおいて肯定結果を得るまでの間、ステップＳＰ３１６及びステップＳＰ３１７の処理を循環的に繰り返し実行する。
【０４７７】
これにより据置型音楽再生装置２１の制御部３０は、音楽データを再生しながら、ユーザにより据置側連携再生処理の終了が指示されること、また据置型音楽再生装置２１から携帯型音楽再生装置２２が外されたことを検知した時点から所定時間に達することを待ち受ける。
【０４７８】
そしてステップＳＰ３１６において肯定結果が得られると、このことは据置型音楽再生装置２１から携帯型音楽再生装置２２が外されたことを検知した時点から所定時間に達する前に、ユーザにより据置側連携再生処理の終了が指示されたことを表している。
【０４７９】
据置型音楽再生装置２１の制御部３０は、ステップＳＰ３１６において、かかる肯定結果を得ると、ステップＳＰ３１３に移って、終了処理のサブルーチンＳＲＴ３１を終了する。
【０４８０】
またステップＳＰ３１７において肯定結果が得られると、このことは据置型音楽再生装置２１から携帯型音楽再生装置２２が外されたことを検知した時点から、ユーザにより据置側連携再生処理の終了が指示されないまま所定時間に達したことを表している。
【０４８１】
据置型音楽再生装置２１の制御部３０は、ステップＳＰ３１７において、かかる肯定結果を得ると、ステップＳＰ３１３に移って、終了処理のサブルーチンＳＲＴ３１を終了する。
【０４８２】
このようにして据置型音楽再生装置２１の制御部３０は、据置側連携再生処理手順ＲＴ２においてステップＳＰ１９に移ると、上述した終了処理のサブルーチンＳＲＴ３１を実行し、当該サブルーチンＳＲＴ３１が終了すると、ステップＳＰ２０に移って据置側連携再生処理手順ＲＴ２を終了する。
【０４８３】
（２−３）第１の実施の形態による動作及び効果
以上の構成において、連携再生システム２０では、携帯型音楽再生装置２２が単独で使用され、自身が記憶している音楽データの再生を開始する毎に、当該再生する音楽データを示す再生履歴情報を記憶するようにして、その再生履歴情報の内容を、現在再生する音楽データのみを示すように更新する。
【０４８４】
この状態で携帯型音楽再生装置２２は、据置型音楽再生装置２１に接続されたことを検知すると、再生履歴情報に応じて、当該携帯型音楽再生装置２２が据置型音楽再生装置２１に接続される前に、最後に再生した音楽データに対応する属性データＡＢを連携利用属性データとして据置型音楽再生装置２１に送信する。
【０４８５】
一方、据置型音楽再生装置２１は、携帯型音楽再生装置２２が接続され、当該接続された携帯型音楽再生装置２２から連携利用属性データが送信されると、その連携利用属性データを受信する。
【０４８６】
この際、据置型音楽再生装置２１は、連携利用属性データを、自身が記憶している複数の音楽データに対応する複数の属性データＡＢと順次比較する。
【０４８７】
また据置型音楽再生装置２１は、連携利用属性データと複数の属性データＡＢとの比較結果に基づき、自身が記憶している複数の音楽データの中から、連携利用音楽（すなわち、携帯型音楽再生装置２２が据置型音楽再生装置２１に接続される前に最後に再生した連携利用音楽データに基づく連携利用音楽）との類似度が高い１つの音楽の音楽データを再生用に選定する。
【０４８８】
そして据置型音楽再生装置２１は、その選定した音楽データを再生することにより、当該音楽データに基づく音楽をユーザに聴かせる。
【０４８９】
従って連携再生システム２０では、据置型音楽再生装置２１に対し携帯型音楽再生装置２２を接続するだけで何ら特別な操作をさせることなく、当該据置型音楽再生装置２１を携帯型音楽再生装置２２と連携させて、その据置型音楽再生装置２１により、携帯型音楽再生装置２２で最後に再生された音楽データに基づく連携利用音楽との類似度が高い音楽の音楽データを選定して再生することができる。
【０４９０】
このため連携再生システム２０では、例えば、ユーザが携帯型音楽再生装置２２を携帯して出かけた外出先から据置型音楽再生装置２１の置かれている自宅に帰宅した場合に、据置型音楽再生装置２１を携帯型音楽再生装置２２と連携させて、当該携帯型音楽再生装置２２を使用して最後に聴かれていた音楽と同一又は雰囲気の似ている音楽を引き続き聴かせることができる。
【０４９１】
以上の構成によれば、連携再生システム２０において据置型音楽再生装置２１は、携帯型音楽再生装置２２が接続されると、当該携帯型音楽再生装置２２から再生履歴情報に応じて送信された連携利用属性データを受信すると共に、当該受信した連携利用属性データを、自身が記憶している複数の音楽データに対応する複数の属性データＡＢと順次比較するようにして、その比較結果に基づき、自身が記憶している複数の音楽データの中から、連携利用属性データに対応する連携利用音楽との類似度が高い音楽の音楽データを再生用に選定するようにした。
【０４９２】
これにより連携再生システム２０は、据置型音楽再生装置２１に対し携帯型音楽再生装置２２を接続するだけで何ら特別な操作をさせることなく、当該据置型音楽再生装置２１を携帯型音楽再生装置２２と連携させて、その据置型音楽再生装置２１により、携帯型音楽再生装置２２で最後に再生された音楽データに基づく連携利用音楽との類似度が高い音楽の音楽データを選定して再生することができる。
【０４９３】
よって連携再生システム２０は、据置型音楽再生装置２１を、携帯型音楽再生装置２２と連携させた音楽データの再生に対し容易に使用させることができる。
【０４９４】
また連携再生システム２０において据置型音楽再生装置２１は、携帯型音楽再生装置２２が接続されている間、又は携帯型音楽再生装置２２が接続された状態で据置側連携再生処理の終了が指示されるまでの間、自身が記憶している複数の音楽データの中から、連携利用音楽をもとにして、順次１つ前の再生音楽との類似度が高い音楽の音楽データを選定して再生するようにした。
【０４９５】
従って、連携再生システム２０において据置型音楽再生装置２１は、携帯型音楽再生装置２２が接続されている間、又は携帯型音楽再生装置２２が接続された状態で据置側連携再生処理の終了が指示されるまでの間、携帯型音楽再生装置２２との連携を継続して順次、雰囲気の似た音楽を聴かせることができる。
【０４９６】
さらに連携再生システム２０において据置型音楽再生装置２１は、携帯型音楽再生装置２２が接続されている間、音楽データの再生を開始する毎に、その再生を開始した音楽データに対応する属性データＡＢを引継利用属性データとして携帯型音楽再生装置２２に送信する。
【０４９７】
そして連携再生システム２０において携帯型音楽再生装置２２は、据置型音楽再生装置２１に接続されている間、その据置型音楽再生装置２１から引継利用属性データが送信される毎に、これを受信して記憶する。
【０４９８】
この状態で連携再生システム２０において携帯型音楽再生装置２２は、据置型音楽再生装置２１から外されると、当該据置型音楽再生装置２１から最後に送信された引継利用属性データを、自身が記憶している複数の音楽データに対応する複数の属性データＡＢと順次比較するようにして、その比較結果に基づき、自身が記憶している複数の音楽データの中から、引継利用属性データに対応する引継利用音楽との類似度が高い音楽の音楽データを再生用に選定するようにした。
【０４９９】
これにより連携再生システム２０は、据置型音楽再生装置２１から携帯型音楽再生装置２２を外させるだけで何ら特別な操作をさせることなく、当該携帯型音楽再生装置２２により、据置型音楽再生装置２１に引き継いで当該据置型音楽再生装置２１で最後に再生された音楽データに基づく引継利用音楽との類似度が高い音楽の音楽データを選定して再生することができる。
【０５００】
よって連携再生システム２０は、携帯型音楽再生装置２２をも、据置型音楽再生装置２１と連携させた音楽データの再生に対し容易に使用させることができる。
【０５０１】
また連携再生システム２０において携帯型音楽再生装置２２は、据置型音楽再生装置２１から外された後、携帯側連携再生処理の終了が指示されるまでの間、自身が記憶している複数の音楽データの中から、引継利用音楽をもとにして、順次１つ前の再生音楽との類似度が高い音楽の音楽データを選定して再生するようにした。
【０５０２】
従って、連携再生システム２０では、携帯型音楽再生装置２２が据置型音楽再生装置２１から外されても、その携帯型音楽再生装置２２により据置型音楽再生装置２１から引き継いで順次、雰囲気の似た音楽を聴かせることができる。
【０５０３】
特に、連携再生システム２０において携帯型音楽再生装置２２は、据置型音楽再生装置２１から外されたとき、その据置型音楽再生装置２１による据置側連携再生処理の実行の有無にかかわらずに、順次１つ前の再生音楽との類似度が高い音楽の音楽データを選定して再生するようにした。
【０５０４】
よって連携再生システム２０では、例えば、ユーザが据置型音楽再生装置２１から携帯型音楽再生装置２２を外して、その携帯型音楽再生装置２２を携帯して外出するような場合、ユーザに対し、携帯型音楽再生装置２２を何ら操作させることなく据置型音楽再生装置２１から外させるだけで、その携帯型音楽再生装置２２により据置型音楽再生装置２１の再生に引き継いで順次、雰囲気の似た音楽を聴かせることができる。
【０５０５】
さらに連携再生システム２０において携帯型音楽再生装置２２は、第１の送信手法に設定し、連携利用音楽データを再生している状態で据置型音楽再生装置２１に接続されると、当該連携利用音楽データを再生処理して生成している連携利用音楽信号を、その据置型音楽再生装置２１への接続時点から、自身のヘッドホンに替えて据置型音楽再生装置２１に送信し、当該据置型音楽再生装置２１により連携利用音楽信号に基づく連携利用音楽を出力させてユーザに聴かせるようにした。
【０５０６】
よって連携再生システム２０では、据置型音楽再生装置２１に携帯型音楽再生装置２２が連携利用音楽データを再生している状態で接続された場合、その据置型音楽再生装置２１を携帯型音楽再生装置２２と共にあたかも１つの装置として使用させて、ユーザに対し連携利用音楽をほとんど途切れさせずに聴かせることができる。
【０５０７】
（２−４）他の実施の形態１
（２−４−１）他の実施の形態１−１
なお上述した第１の実施の形態においては、携帯型音楽再生装置２２が据置型音楽再生装置２１に接続され連携利用音楽信号を送信する際、当該携帯型音楽再生装置２２が連携利用音楽信号を送信し終えると、引き続き連携利用属性データを据置型音楽再生装置２１に送信するようにして、据置型音楽再生装置２１が、連携利用音楽信号に引き続き連携利用属性データを受信してから次に再生する音楽データを選定するようにした場合について述べたが、本発明はこれに限らず、携帯型音楽再生装置２２が据置型音楽再生装置２１に接続され連携利用音楽信号を送信する際、当該携帯型音楽再生装置２２が連携利用音楽信号と共に、又は連携利用音楽信号の送信に先立ち連携利用属性データを据置型音楽再生装置２１に送信するようにして、据置型音楽再生装置２１が連携利用属性データを受信し次第、連携利用音楽信号に基づく連携利用音楽を出力しながら次に再生する音楽データを選定するようにしても良い。
【０５０８】
かかる構成の場合、携帯型音楽再生装置２２が連携利用音楽信号の送信の終了を据置型音楽再生装置２１に通知しても良いし、当該据置型音楽再生装置２１が連携利用音楽信号の送信の終了を、連携利用音楽が無音になったことで検知しても良い。
【０５０９】
これにより据置型音楽再生装置２１は、このように通知や検知により連携利用音楽の出力の終了を認識して、当該連携利用音楽を出力しながら再生用に選定していた音楽データの再生を開始することができる。
【０５１０】
かかる構成によれば、据置型音楽再生装置２１は、連携利用音楽の出力が終了してから、次の音楽データの再生を開始するまでの間で、比較基準属性データを複数の比較対象属性データと順次比較して次に再生する音楽データを選定する比較選定処理に要する時間を極力短くし又は無くして、当該次の音楽データの再生を迅速に開始することができる。
【０５１１】
そして、かかる構成は、据置型音楽再生装置２１及び携帯型音楽再生装置２２においてそれぞれ据置側連携再生処理及び携帯側連携再生処理を実行する間も適用することができる。
【０５１２】
すなわち、据置型音楽再生装置２１及び携帯型音楽再生装置２２では、据置側連携再生処理及び携帯側連携再生処理を実行する際、例えば、再生用に選定した音楽データの再生を開始する毎に、その音楽データに対応する属性データＡＢ（すなわち、比較基準属性データ）を、他の複数の属性データＡＢ（すなわち、比較対象属性データ）と順次比較して次に再生する音楽データを選定する比較選定処理を開始するようにしても良い。
【０５１３】
かかる構成によれば、据置型音楽再生装置２１及び携帯型音楽再生装置２２は、据置側連携再生処理及び携帯側連携再生処理を実行した場合、順次選定した音楽データを再生しながら次に再生する音楽データを選定し得ることにより、１つの音楽データの再生が終了してから又は再生を停止させてから、次の音楽データの再生を開始するまでの間で比較選定処理に要する時間を極力短くし又は無くして、当該次の音楽データの再生を迅速に開始することができる。
【０５１４】
（２−４−２）他の実施の形態１−２
また上述した第１の実施の形態においては、据置型音楽再生装置２１に、第１の送信手法に設定している状態で音楽データを再生中の携帯型音楽再生装置２２が接続されると、当該携帯型音楽再生装置２２から連携利用音楽データを再生処理して生成している連携利用音楽信号を途中から（すなわち、接続時点から）ヘッドホンに替えて据置型音楽再生装置２１に送信するようにした場合について述べたが、本発明はこれに限らず、据置型音楽再生装置２１に、第１の送信手法に設定している状態で音楽データを再生中の携帯型音楽再生装置２２が接続されると、当該携帯型音楽再生装置２２から、その接続時点に再生していたデジタルの連携利用音楽データを先頭から当該デジタルの形式のまま、又は当該先頭からアナログの形式（すなわち、連携利用音楽信号）で据置型音楽再生装置２１に送信するようにしても良い。
【０５１５】
かかる構成によれば、ユーザが携帯型音楽再生装置２２を据置型音楽再生装置２１に接続するためにヘッドホンを外したことで、その携帯型音楽再生装置２２によって再生中の音楽データに基づく音楽を途中から聴くことができなくなっても、その音楽を先頭からあらためて聴かせることができる。
【０５１６】
ところで、携帯型音楽再生装置２２は、連携利用音楽データの再生中に、据置型音楽再生装置２１に接続されると、当該連携利用音楽データを途中から（すなわち、その接続時点から）でデジタルの形式のまま据置型音楽再生装置２１に送信するようにしても良い。
【０５１７】
そして携帯型音楽再生装置２２では、音楽データの再生中に、据置型音楽再生装置２１に接続された際、当該再生中の連携利用音楽データをその先頭又は途中からデジタルの形式とアナログの形式との何れの形態で据置型音楽再生装置２１に送信するのかを予めユーザに選択させて設定するようにしても良い。
【０５１８】
（２−４−３）他の実施の形態１−３
さらに上述した第１の実施の形態においては、携帯型音楽再生装置２２が音楽データを再生する毎に、その音楽データを音楽識別情報ＭＩＤとして示す再生履歴情報を記憶しておき、音楽データを何ら再生してはいない状態で据置型音楽再生装置２１に接続されると、その再生履歴情報に応じた連携利用属性データのみを据置型音楽再生装置２１に送信するようにした場合について述べたが、本発明はこれに限らず、携帯型音楽再生装置２２が音楽データを再生する毎に、その音楽データを音楽識別情報ＭＩＤとして示し、かつ当該音楽データの再生を途中で停止させたときにはその再生停止位置をタイムコードによって示す再生履歴情報を記憶しておき、音楽データを何ら再生してはいない状態で据置型音楽再生装置２１に接続されると、その再生履歴情報と共に当該再生履歴情報に応じた連携利用属性データを据置型音楽再生装置２１に送信するようにしても良い。
【０５１９】
かかる構成の場合、据置型音楽再生装置２１は、これに接続された携帯型音楽再生装置２２から再生履歴情報と共に取り込んだ連携利用属性データを複数の属性データＡＢと順次比較して再生用の音楽データを選定する。
【０５２０】
そして据置型音楽再生装置２１は、連携利用属性データに対応する連携利用音楽データと同一の音楽データを再生用に選定したとき、当該選定した音楽データを、再生履歴情報が示す再生停止位置から再生し始めるようにしても良い。
【０５２１】
かかる構成によれば、据置型音楽再生装置２１は、携帯型音楽再生装置２２が接続されたときに連携利用属性データに対応する連携利用音楽データと同一の音楽データを再生用に選定すると、当該選定した音楽データを、携帯型音楽再生装置２２での再生停止位置から再生し始めることで、ユーザに対し携帯型音楽再生装置２２の前回の使用で途中まで聴かれていた音楽を、その再生を停止していた位置から（すなわち、続きを）聴かせることができる。
【０５２２】
ところで据置型音楽再生装置２１は、携帯型音楽再生装置２２が接続されたときに連携利用属性データに対応する連携利用音楽データと同一の音楽データを再生用に選定すると、当該選定した音楽データを、先頭及び再生停止位置の何れから再生するのかを予めユーザに選択させて設定するようにしても良い。
【０５２３】
また携帯型音楽再生装置２２は、連携利用音楽データの再生中に据置型音楽再生装置２１に接続されたとき、連携利用音楽信号の送信に先立って、当該再生中の連携利用音楽データに対する、その接続時点の再生位置をタイムコードで示す再生履歴情報と共に対応する連携利用属性データを据置型音楽再生装置２１に送信するようにしても良い。
【０５２４】
そして据置型音楽再生装置２１は、このように連携利用音楽データを再生している携帯型音楽再生装置２２が接続された際に、連携利用属性データに対応する連携利用音楽データと同一の音楽データを再生用に選定すると、当該選定した音楽データを再生履歴情報が示す再生位置から再生し始めると共に、携帯型音楽再生装置２２に対し連携利用音楽信号を送信しないように指示するようにしても良い。
【０５２５】
また据置型音楽再生装置２１は、この際、連携利用属性データに対応する連携利用音楽データとは異なる音楽データを再生用に選定すると、携帯型音楽再生装置２２に対し連携利用音楽信号を送信するようにして指示して、その連携利用音楽の出力の終了に合せて、当該再生用に選定していた音楽データの再生を開始するようにしても良い。
【０５２６】
（２−４−４）他の実施の形態１−４
さらに上述した第１の実施の形態においては、携帯型音楽再生装置２２が音楽データを再生する毎に再生履歴情報の内容を、当該携帯型音楽再生装置２２を使用して最後に再生した音楽データのみを示すように更新し、据置型音楽再生装置２１に接続されると、その再生履歴情報に応じた連携利用属性データ（すなわち、再生履歴情報が示す音楽データに対応する属性データＡＢ）を据置型音楽再生装置２１に送信するようにした場合について述べたが、本発明はこれに限らず、携帯型音楽再生装置２２が音楽データを再生する毎に再生履歴情報の内容を、当該再生した音楽データを示す例えば音楽識別情報ＭＩＤを追加するように更新し、据置型音楽再生装置２１に接続されると、その再生履歴情報に応じた連携利用属性データとして当該再生履歴情報が示す複数の音楽データに対応する複数の属性データＡＢの中から無作為に選択した１つの属性データＡＢを据置型音楽再生装置２１に送信するようにしても良い。
【０５２７】
（２−４−５）他の実施の形態１−５
さらに上述した第１の実施の形態においては、携帯型音楽再生装置２２が、据置型音楽再生装置２１に接続されている間、当該据置型音楽再生装置２１から引継利用属性データが送信される毎に、その引継利用属性データを受信して一時記憶するようにして、当該引継利用属性データを最新のもののみ残すように更新し、当該携帯型音楽再生装置２２が据置型音楽再生装置２１から外されると、その引継利用属性データを用いて再生用の音楽データを選定するようにした場合について述べたが、本発明はこれに限らず、携帯型音楽再生装置２２が、据置型音楽再生装置２１に接続されている間、当該据置型音楽再生装置２１から引継利用属性データが送信される毎に、その引継利用属性データそれぞれを受信して一時記憶しておき、当該携帯型音楽再生装置２２が据置型音楽再生装置２１から外されると、その時点に一時記憶している複数の引継利用属性データの中から無作為に選択した１つの引継利用属性データを用いて再生用の音楽データを選定するようにしても良い。
【０５２８】
（２−４−６）他の実施の形態１−６
さらに上述した第１の実施の形態においては、携帯型音楽再生装置２２が音楽データを何ら再生してはいない状態で据置型音楽再生装置２１に接続されると、連携利用属性データのみを据置型音楽再生装置２１に送信するようにした場合について述べたが、本発明はこれに限らず、携帯型音楽再生装置２２が音楽データを何ら再生してはいない状態で据置型音楽再生装置２１に接続されると、再生履歴情報に応じた連携利用属性データ及び連携利用音楽データ（すなわち、携帯型音楽再生装置２２を使用して最後に再生した連携利用音楽データ）を据置型音楽再生装置２１に送信するようにしても良い。
【０５２９】
そして、かかる構成の場合、据置型音楽再生装置２１では、これに接続された携帯型音楽再生装置２２から連携利用属性データと共に取り込んだ連携利用音楽データを再生しながら、当該連携利用属性データを複数の属性データＡＢと順次比較して次の再生用に音楽データを選定するようにしても良い。
【０５３０】
かかる構成によれば、据置型音楽再生装置２１では、連携利用音楽データと同一の音楽データを記憶してはいなくても、携帯型音楽再生装置２２が接続されたときに、その連携利用音楽データを再生してユーザに対し連携利用音楽を聴かせることができる。
【０５３１】
ところで、携帯型音楽再生装置２２は、音楽データを再生する毎に、その音楽データを音楽識別情報ＭＩＤとして示し、かつ当該音楽データの再生を途中で停止させたときにはその再生停止位置をタイムコードによって示す再生履歴情報を記憶しておき、据置型音楽再生装置２１に接続されたときに再生履歴情報に応じた連携利用属性データ及び連携利用音楽データと共に当該再生履歴情報も据置型音楽再生装置２１に送信するようにしても良い。
【０５３２】
そして据置型音楽再生装置２１では、携帯型音楽再生装置２２から送信された連携利用音楽データを、事前設定に応じて先頭と、再生履歴情報が示す前回の再生停止位置との何れから再生し始めるようにしても良い。
【０５３３】
（２−４−７）他の実施の形態１−７
さらに上述した第１の実施の形態においては、携帯型音楽再生装置２２が常時、１つの音楽データを示す再生履歴情報を記憶しておき、据置型音楽再生装置２１に接続されている間、その再生履歴情報に応じた１つの連携利用属性データのみを送信するようにした場合について述べたが、本発明はこれに限らず、携帯型音楽再生装置２２において順次再生した音楽データそれぞれを音楽識別情報ＭＩＤ等で示す再生履歴情報を記憶しておき、据置型音楽再生装置２１に接続されたとき、その再生履歴情報に応じて、例えば、現在に最も近い時点に再生した連携利用音楽データに対応する連携利用属性データを送信し、その据置型音楽再生装置２１に接続されている間は、当該据置型音楽再生装置２１からの要求に応じて、順次過去に再生した音楽データに対応する属性データＡＢを順番に送信するようにしても良い。
【０５３４】
すなわち、据置型音楽再生装置２１では、再生用に選定した１つの音楽データの再生を開始する毎に携帯型音楽再生装置２２に対して属性データＡＢを要求するようにして、当該携帯型音楽再生装置２２から送信された属性データＡＢを、自身で記憶している複数の属性データＡＢと順次比較して次に再生する１つの音楽データ（すなわち、再生用に１つの音楽データ）を選定するようにしても良い。
【０５３５】
かかる構成によれば、据置型音楽再生装置２１は、携帯型音楽再生装置２２が接続されている間、その携帯型音楽再生装置２２を使用してユーザによって順次聴かれた音楽との類似度が高い音楽を順番に聴かせることができる。
【０５３６】
すなわち、据置型音楽再生装置２１では、携帯型音楽再生装置２２が接続されている間、その携帯型音楽再生装置２２を使用して聴かれていた複数の音楽の傾向（すなわち、ユーザの嗜好）を反映させて、順次音楽データを選定し、当該選定した音楽データに基づく音楽を聴かせることができる。
【０５３７】
（２−４−８）他の実施の形態１−８
さらに上述した第１の実施の形態においては、据置型音楽再生装置２１が据置側連携再生処理の実行中、自身の記憶している複数の音楽データの中から順次音楽データを再生用に選定して、当該再生用に選定した音楽データを自身で再生するようにした場合について述べたが、本発明はこれに限らず、据置型音楽再生装置２１が据置側連携再生処理の実行中、自身の記憶している複数の音楽データの中から順次音楽データを再生用に選定して、その再生用に選定した音楽データを復号処理して携帯型音楽再生装置２２に送信することにより、当該携帯型音楽再生装置２２において据置型音楽再生装置２１から送信された音楽データを受信しながらデジタルアナログ変換処理や増幅処理等の出力処理を施して音楽として出力する（すなわち、いわゆるストリーミング形式での再生を実行する）ようにしても良い。
【０５３８】
ところで、かかる構成の場合、据置型音楽再生装置２１は、携帯型音楽再生装置２２が接続されると、その携帯型音楽再生装置２２から連携利用属性データと共に、当該携帯型音楽再生装置２２で記憶している複数の音楽データに対応する音楽関連情報ＭＲ（又は、ビットレートやサンプリングレート等の情報を含む属性データＡＢ）も取り込む。
【０５３９】
そして据置型音楽再生装置２１は、音楽データを再生用に選定したときには、音楽関連情報ＭＲ（又は、属性データＡＢ）を用いて、当該再生用に選定した音楽データを携帯型音楽再生装置２２でも記憶しているか否かを判別する。
【０５４０】
その結果、据置型音楽再生装置２１は、再生用に選定した音楽データを携帯型音楽再生装置２２でも記憶していると、例えば、音楽関連情報ＭＲ（又は、属性データＡＢ）に含まれるビットレートやサンプリングレート等に基づき、自身の記憶している当該音楽データと、携帯型音楽再生装置２２の記憶している同じ音楽データとのうち、より高音質な音楽の音楽データを判別する。
【０５４１】
そして据置型音楽再生装置２１は、携帯型音楽再生装置２２が記憶している音楽データに基づく音楽もよりも、自身の記憶している同じ音楽データに基づく音楽の方が高音質であると、上述したように当該音楽データを復号処理して携帯型音楽再生装置２２に送信し、当該携帯型音楽再生装置２２において、その音楽データを受信しながら出力処理させて音楽として出力するようにストリーミング形式で再生させる。
【０５４２】
これに対して、据置型音楽再生装置２１は、携帯型音楽再生装置２２が記憶している音楽データに基づく音楽の音質が、自身の記憶している同じ音楽データに基づく音楽の音質以上であると、携帯型音楽再生装置２２に対し、その音楽データを再生するように指示することにより、当該携帯型音楽再生装置２２に記憶している音楽データを再生させるようにしても良い。
【０５４３】
かかる構成によれば、据置型音楽再生装置２１は、携帯型音楽再生装置２２が接続されている間、順次音楽データを選定するものの、その音楽データに基づく音楽として、より高音質な音楽をユーザに聴かせることができる。
【０５４４】
かかる構成に加えて据置型音楽再生装置２１は、据置側連携再生処理の実行中、自身の記憶している複数の音楽データの中から順次音楽データを再生用に選定して、その選定した音楽データを復号処理して、携帯型音楽再生装置２２以外の他の据置型音楽再生装置やロボット型の音楽再生装置等の他の装置に送信することにより、当該他の装置において据置型音楽再生装置２１から送信された音楽データを受信しながら出力処理を施して音楽として出力させる（すなわち、いわゆるストリーミング形式での再生を実行させる）ようにしても良い。
【０５４５】
またかかる構成については、携帯型音楽再生装置２２に適用することもできる。すなわち、携帯型音楽再生装置２２は、携帯側連携再生処理の実行中、自身の記憶している複数の音楽データの中から順次音楽データを再生用に選定して、その再生用に選定した音楽データを復号処理して、据置型音楽再生装置２１やロボット型の音楽再生装置等の他の装置に送信することにより、当該他の装置において携帯型音楽再生装置２２から送信された音楽データを受信しながら出力処理を施して音楽として出力させる（すなわち、いわゆるストリーミング形式での再生を実行させる）ようにしても良い。
【０５４６】
（２−４−９）他の実施の形態１−９
さらに上述した第１の実施の形態においては、据置型音楽再生装置２１において据置側連携再生処理の実行中、自身の記憶している複数の音楽データの中から順次音楽データを再生用に選定するようにした場合について述べたが、本発明はこれに限らず、据置型音楽再生装置２１において携帯型音楽再生装置２２が接続されたときに当該携帯型音楽再生装置２２から連携利用属性データと共に他の複数の属性データＡＢも取り込み、据置側連携再生処理の実行中、自身及び携帯型音楽再生装置２２が記憶している複数の属性データＡＢをもとに、当該自身及び携帯型音楽再生装置２２が記憶している複数の音楽データの中から順次音楽データを再生用に選定するようにしても良い。
【０５４７】
そして据置型音楽再生装置２１は、例えばユーザ操作による事前設定に応じて、その再生用に選定した音楽データを自身が再生するように設定している場合、当該再生用に選定した音楽データを自身と携帯型音楽再生装置２２とのうち何れが記憶しているかを判別する。
【０５４８】
その結果、据置型音楽再生装置２１は、再生用に選定した音楽データを自身が記憶しているときには、その音楽データを自身で再生する。
【０５４９】
また据置型音楽再生装置２１は、再生用に選定した音楽データを携帯型音楽再生装置２２が記憶しているときには、当該携帯型音楽再生装置２２から、その音楽データを復号処理して送信させてストリーミング形式で再生し、又は当該デジタルの音楽データを再生処理させてアナログの音楽信号として送信させながらスピーカから音楽を出力させる。
【０５５０】
これに対して据置型音楽再生装置２１は、例えばユーザ操作による事前設定に応じて、その再生用に選定した音楽データを携帯型音楽再生装置２２で再生するように設定している場合、当該再生用に選定した音楽データを自身と携帯型音楽再生装置２２とのうち何れが記憶しているかを判別する。
【０５５１】
その結果、据置型音楽再生装置２１は、再生用に選定した音楽データを自身が記憶しているときには、その音楽データを復号処理して携帯型音楽再生装置２２に送信してストリーミング形式で再生させる。
【０５５２】
また据置型音楽再生装置２１は、再生用に選定した音楽データを携帯型音楽再生装置２２が記憶しているときには、当該携帯型音楽再生装置２２に対し、その音楽データを再生するように指示して再生させるようにしても良い。
【０５５３】
ところで、据置型音楽再生装置２１は、自身が記憶している音楽データを携帯型音楽再生装置２２で再生させる場合、その音楽データを再生処理してアナログの音楽信号として携帯型音楽再生装置２２に送信して音楽を出力させることもできる。
【０５５４】
また据置型音楽再生装置２１は、再生用に選定した音楽データを自身と携帯型音楽再生装置２２との両方が記憶している場合、互いの音楽データに基づく音楽の音質を上述と同様に比較し、その結果に応じて、より高音質な音楽の音楽データを、自身又は携帯型音楽再生装置２２で再生するようにしても良い。
【０５５５】
（２−４−１０）他の実施の形態１−１０
さらに上述した第１の実施の形態においては、携帯型音楽再生装置２２が据置型音楽再生装置２１から転送された音楽データ及び属性データＡＢ等を記憶するようにした場合について述べたが、本発明はこれに限らず、例えば携帯型音楽再生装置２２が据置型音楽再生装置２１とは異なる管理手法で音楽データを管理するようにして、当該据置型音楽再生装置２１とは異なる他の音楽再生装置から転送される音楽データを記憶するようにしても良い。
【０５５６】
そしてかかる構成の携帯型音楽再生装置２２では、他の音楽再生装置から音楽データと共に属性データＡＢを取り込むようにしても良いし、他の音楽再生装置から音楽データを取り込んだ際に、対応する属性データＡＢを自身で生成して記憶するようにしても良い。
【０５５７】
（２−４−１１）他の実施の形態１−１１
さらに上述した第１の実施の形態においては、据置型音楽再生装置２１において携帯型音楽再生装置２２が接続されると、連携利用属性データをもとに、自身が再生する音楽データを順次選定して、当該選定した音楽データを再生するようにした場合について述べたが、本発明はこれに限らず、据置型音楽再生装置２１において携帯型音楽再生装置２２が接続されると、例えば、選定部４０によって連携利用属性データを、自身及び又は携帯型音楽再生装置２２が記憶する複数の属性データＡＢと順次比較するようにして、その比較結果に基づき、連携利用音楽との類似度が最も高い音楽の音楽データから、順次類似度の低い所定数の音楽の音楽データまでを再生用に選定し、プレイリスト生成部３８により、当該選定部４０によって再生用に選定された複数の音楽データを登録したプレイリストを生成するようにしても良い。
【０５５８】
そして据置型音楽再生装置２１は、携帯型音楽再生装置２２が接続されている間又は外されてから、そのプレイリストに従って音楽データを再生するようにしても良い。
【０５５９】
また据置型音楽再生装置２１は、そのプレイリストを携帯型音楽再生装置２２に送信して、その携帯型音楽再生装置２２が据置型音楽再生装置に接続されている間又は外されてから、当該携帯型音楽再生装置２２に対し、そのプレイリストに従って音楽データを再生させるようにしても良い。
【０５６０】
ところで、据置型音楽再生装置２１は、かかるプレイリストを携帯型音楽再生装置２２に送信する場合、当該プレイリストに対し携帯型音楽再生装置２２で記憶してはいない音楽データ（以下、これを携帯側未記憶音楽データとも呼ぶ）を登録していると、その携帯側未記憶音楽データをプレイリストと共に携帯型音楽再生装置２２に送信するようにしても良い。
【０５６１】
これに対して携帯型音楽再生装置２２は、据置型音楽再生装置２１から携帯側未記憶音楽データが登録されたプレイリストのみを取得し、当該据置型音楽再生装置２１に接続されたまま、そのプレイリストに従って順次音楽データを再生するような場合には、当該プレイリストに従い携帯側未記憶音楽データを再生するとき、その携帯側未記憶音楽データを据置型音楽再生装置２１に要求する。
【０５６２】
その結果、携帯型音楽再生装置２２は、据置型音楽再生装置２１から送信されるデジタルの携帯側未記憶音楽データをストリーミング形式で再生し、又は据置型音楽再生装置２１から携帯側未記憶音楽データを再生処理して送信された音楽信号を受信しながら、その音楽信号に基づく音楽を出力するようにしても良い。
【０５６３】
かかる構成によれば、据置型音楽再生装置２１に対し携帯型音楽再生装置２２を接続するだけで何ら特別な操作をさせることなく、当該据置型音楽再生装置２１を携帯型音楽再生装置２２と連携させて、その据置型音楽再生装置２１により、携帯型音楽再生装置２２で最後に再生された音楽データに基づく連携利用音楽との類似度が高い複数の音楽の音楽データを再生用に選定してプレイリストを生成することができる。
【０５６４】
よって、かかる構成によれば、据置型音楽再生装置２１を、携帯型音楽再生装置２２と連携させたプレイリストを利用する音楽データの再生に対し容易に使用させることができる。
【０５６５】
ところで、かかる構成は携帯型音楽再生装置２２に対しても適用することができる。すなわち、携帯型音楽再生装置２２は、据置型音楽再生装置２１から外されると、引継利用属性データをもとに、自身が再生する音楽データを順次選定して、当該選定した音楽データを再生するようにしたが、本発明はこれに限らず、携帯型音楽再生装置２２が据置型音楽再生装置２１から外されると、当該携帯型音楽再生装置２２において、例えば、選定部６０により引継利用属性データを、自身及び又は据置型音楽再生装置２１が記憶する複数の属性データＡＢと順次比較するようにして、その比較結果に基づき、引継利用音楽との類似度が最も高い音楽の音楽データから、順次類似度の低い所定数の音楽の音楽データまでを再生用に選定し、プレイリスト生成部６１により、当該選定部６０によって再生用に選定された複数の音楽データを登録したプレイリストを生成するようにしても良い。
【０５６６】
そして携帯型音楽再生装置２２は、そのプレイリストの生成直後に当該プレイリストに従って音楽データを再生するようにしても良い。
【０５６７】
また携帯型音楽再生装置２２は、プレイリストの生成後、据置型音楽再生装置２１に再度接続されたとき、そのプレイリストを据置型音楽再生装置２１に送信して、当該据置型音楽再生装置２１において、そのプレイリストに従って音楽データを再生させるようにしても良い。
【０５６８】
ところで、携帯型音楽再生装置２２は、かかるプレイリストを据置型音楽再生装置２１に送信する場合、当該プレイリストに対し据置型音楽再生装置２１で記憶してはいない音楽データ（以下、これを据置側未記憶音楽データとも呼ぶ）を登録していると、その据置側未記憶音楽データをプレイリストと共に当該据置型音楽再生装置２１に送信するようにしても良い。
【０５６９】
これに対して据置型音楽再生装置２１は、携帯型音楽再生装置２２から据置側未記憶音楽データが登録されたプレイリストのみを取得し、当該携帯型音楽再生装置２２が接続されたまま、そのプレイリストに従って順次音楽データを再生するような場合には、当該プレイリストに従い据置側未記憶音楽データを再生するとき、その据置側未記憶音楽データを携帯型音楽再生装置２２に要求する。
【０５７０】
その結果、据置型音楽再生装置２１は、携帯型音楽再生装置２２から送信されるデジタルの据置側未記憶音楽データをストリーミング形式で再生し、又は携帯型音楽再生装置２２から据置側未記憶音楽データを再生処理して送信された音楽信号を受信しながら、その音楽信号に基づく音楽を出力するようにしても良い。
【０５７１】
かかる構成によれば、据置型音楽再生装置２１から携帯型音楽再生装置２２を外すだけで何ら特別な操作をさせることなく、当該携帯型音楽再生装置２２を据置型音楽再生装置２１と連携させて、その携帯型音楽再生装置２２により、据置型音楽再生装置２１で最後に再生された引継利用音楽データに基づく引継利用音楽との類似度が高い複数の音楽の音楽データを再生用に選定してプレイリストを生成することができる。
【０５７２】
よって、かかる構成によれば、携帯型音楽再生装置２２を、据置型音楽再生装置２１と連携させたプレイリストを利用する音楽データの再生に対しも容易に使用させることができる。
【０５７３】
（２−４−１２）他の実施の形態１−１２
さらに上述した第１の実施の形態においては、据置型音楽再生装置２１において据置側連携再生処理の実行中、選定部４０により、連携利用属性データ又は１つ前に再生した音楽データに対応する属性データＡＢを、複数の属性データＡＢと順次比較するようにして、その結果得られた項目一致数をそのまま類似度として用いて、連携利用音楽又は１つ前の再生音楽との類似度が高い音楽の音楽データを再生用に選定するようにした場合について述べたが、本発明はこれに限らず、例えば、据置型音楽再生装置２１において、属性データＡＢの比較項目（すなわち、音楽タイトルＭＴ、アーティスト名ＡＮ、ジャンル名ＪＮ等）に対しそれぞれ、当該比較項目の項目内容同士が一致すると、対応する音楽同士がどの程度類似するのかを表すように任意に重み付けされた類似程度値を対応付けておき、据置側連携再生処理の実行中、選定部４０により、連携利用属性データ又は１つ前に再生した音楽データに対応する属性データＡＢを、複数の属性データＡＢと順次比較して、項目内容が一致した比較項目に対応する類似程度値の合計値を類似度として用いて、連携利用音楽又は１つ前の再生音楽との類似度が高い音楽の音楽データを再生用に選定するようにしても良い。
【０５７４】
ところで、かかる構成の据置型音楽再生装置２１では、属性データＡＢの比較項目毎の類似程度値を、予め固定値として選定しておくこともできるが、ユーザに対し任意に変更し得るようにしても良い。
【０５７５】
そして、かかる構成の据置型音楽再生装置２１では、このように類似程度値を任意に変更可能にすると、音楽データの選定にユーザの好みを反映させて、連携利用音楽又は１つ前の再生音楽と同一のジャンルに属する複数の音楽や、当該連携利用音楽又は１つ前の再生音楽と同一のアーティストの複数の音楽等の中から、その連携利用音楽又は１つ前の再生音楽との類似度が高い音楽の音楽データを再生用に選定し易くすることができる。
【０５７６】
よって、かかる構成によれば、据置型音楽再生装置２１では、据置側連携再生処理を実行した場合、ユーザに対し、極力、好みの音楽の中から順次、雰囲気の似た音楽を聴かせて楽しませることができる。
【０５７７】
ところで、かかる構成は、据置型音楽再生装置２１にのみ適用し得るものではなく、携帯型音楽再生装置２２に対しても、同様に適用することができる。
【０５７８】
そして携帯型音楽再生装置２２についても、かかる構成を適用すると、据置型音楽再生装置２１と同様に、携帯側連携再生処理を実行した場合、ユーザに対し、極力、好みの音楽の中から順次、雰囲気の似た音楽を聴かせて楽しませることができる。
【０５７９】
（２−４−１３）他の実施の形態１−１３
さらに上述した第１の実施の形態においては、据置型音楽再生装置２１において据置側連携再生処理の実行中、選定部４０により、比較基準属性データと複数の比較対象属性データとにおいて全ての比較項目の項目内容を比較し、その比較結果に基づき１つ前の再生音楽との類似度が高い音楽の音楽データを再生用に選定するようにした場合について述べたが、本発明はこれに限らず、据置型音楽再生装置２１において、例えばユーザに対し、比較基準属性データと複数の比較対象属性データとの比較に利用する比較項目を任意に選定させておき（すなわち、全ての比較項目よりも少ない比較項目を選定させておき）、据置側連携再生処理の実行中、選定部４０により比較基準属性データと複数の比較対象属性データとにおいて、選定された比較項目の項目内容を比較し、項目内容の一致した比較対象属性データが存在するときには、項目一致数を類似度として用いて１つ前の再生音楽との類似度が高い音楽の音楽データを再生用に選定し、項目内容の一致した比較対象属性データが存在しないときには、比較基準属性データと複数の比較対象属性データとの比較に利用する比較項目を増やして項目内容を比較し直すようにしても良い。
【０５８０】
かかる構成によれば、据置型音楽再生装置２１では、比較基準属性データと複数の比較対象属性データとにおいて、選定された比較項目の項目内容だけを比較するようにして、１つ前の再生音楽との類似度が高い音楽の音楽データを再生用に選定し得る場合、当該比較基準属性データと複数の比較対象属性データとで比較する項目内容の数を減らしている分、選定部４０による比較選定処理の処理負荷を低減させることができる。
【０５８１】
ところで、かかる構成は、据置型音楽再生装置２１にのみ適用し得るものではなく、携帯型音楽再生装置２２に対しても、同様に適用することができる。
【０５８２】
そして携帯型音楽再生装置２２についても、かかる構成を適用すると、比較基準属性データと複数の比較対象属性データとにおいて、選定された比較項目の項目内容だけを比較するようにして、１つ前の再生音楽との類似度が高い音楽の音楽データを再生用に選定し得る場合、当該比較基準属性データと複数の比較対象属性データとで比較する項目内容の数を減らしている分、選定部６０による比較選定処理の処理負荷を低減させることができる。
【０５８３】
（２−４−１４）他の実施の形態１−１４
さらに上述した第１の実施の形態においては、据置型音楽再生装置２１が、これに接続された携帯型音楽再生装置２２に音楽データを転送して記憶させるようにした場合について述べたが、本発明はこれに限らず、据置型音楽再生装置２１が、これに接続された携帯型音楽再生装置２２から、当該携帯型音楽再生装置２２の記憶している音楽データに対応する属性データＡＢ（又は、音楽関連情報ＭＲ）を取り込んで、自身が記憶している属性データＡＢ（又は、音楽関連情報ＭＲ）と比較することにより、その携帯型音楽再生装置２２では記憶しているものの、自身では記憶していない音楽データを検出し、当該携帯型音楽再生装置２２から、検出した音楽データをデジタル又はアナログの形式で取り込んでデジタルの形式のまま又はアナログデジタル変換して記憶するようにしても良い。
【０５８４】
（２−４−１５）他の実施の形態１−１５
さらに上述した第１の実施の形態においては、据置型音楽再生装置２１において携帯型音楽再生装置２２が接続されたとき互いに音楽データを再生していても、選定部４０により、連携利用属性データを、自身の記憶する複数の属性データＡＢと順次比較するようにして、その結果に基づき連携利用音楽との類似度が高い音楽の音楽データを再生用に選定するようにした場合について述べたが、本発明はこれに限らず、据置型音楽再生装置２１において図１５に示すような、自身が記憶している複数の音楽データの中に存在する２以上のアーティストが共演して奏でた音楽（以下、これを共演音楽とも呼ぶ）の音楽データ（以下、これを共演音楽データとも呼ぶ）に対応する音楽識別情報ＭＩＤと、当該共演した２以上のアーティストのアーティスト名ＣＡＮとを対応付けて生成された共演アーティストリストＣＡＬを例えば属性記憶部３６に記憶しておき、携帯型音楽再生装置２２が接続されたとき互いに音楽データを再生していると、選定部４０により、連携利用属性データ、及び据置型音楽再生装置２１で再生していた音楽データ（以下、これを据置側再生音楽データとも呼ぶ）に対応する属性データＡＢと共に、共演アーティストリストＣＡＬを用いて、当該据置側再生音楽データ基づく音楽（以下、これを据置側再生音楽とも呼ぶ）のアーティストと、連携利用音楽のアーティストとが共演して奏でた共演音楽の共演音楽データを自身が記憶しているか否かを判別し、当該共演音楽データを自身が記憶していると、その共演音楽データを再生用に選定（すなわち、連携利用音楽との類似度が高い音楽の音楽データとして選定）するようにしても良い。
【０５８５】
因みに、据置型音楽再生装置２１では、据置側再生音楽のアーティストと、連携利用音楽のアーティストとが共演して奏でた共演音楽の共演音楽データを自身が記憶してはいないと、上述と同様に連携利用属性データを、複数の属性データＡＢと順次比較するようにして、その比較結果に基づき連携利用音楽との類似度が高い音楽の音楽データを再生用に選定する。
【０５８６】
ところで、かかる構成の場合、据置型音楽再生装置２１では、上述した携帯型音楽再生装置２２と同様に再生履歴記憶部を設け、当該携帯型音楽再生装置２２が接続されてはいない状態で音楽データの再生を開始する毎に、その音楽データを示す再生履歴情報を記憶しておく。
【０５８７】
そして、据置型音楽再生装置２１は、音楽データを再生してはいない状態で携帯型音楽再生装置２２が接続されると、再生履歴情報が示す音楽データを据置側再生音楽データとして、その接続時点の携帯型音楽再生装置２２による音楽データの再生の有無にかかわらずに、上述と同様に連携利用属性データ、及び据置側再生音楽データに対応する属性データＡＢと共に共演アーティストリストＣＡＬを用いて、据置側再生音楽のアーティストと、連携利用音楽のアーティストとが共演して奏でた共演音楽の共演音楽データを自身が記憶しているか否かを判別する。
【０５８８】
その結果、据置型音楽再生装置２１は、据置側再生音楽のアーティストと、連携利用音楽のアーティストとが共演して奏でた共演音楽の共演音楽データを自身が記憶していると、その共演音楽データを再生用に選定（すなわち、連携利用音楽との類似度が高い音楽の音楽データとして選定）するようにしても良い。
【０５８９】
かかる構成によれば、据置型音楽再生装置２１において携帯型音楽再生装置２２が接続されたとき、単に連携利用音楽との類似度が高い音楽を聴かせるだけでなく、据置側再生音楽のアーティストと、連携利用音楽のアーティストとが共演して奏でた共演音楽をも聴かせて楽しませることができる。
【０５９０】
（３）第２の実施の形態
（３−１）連携再生システムの構成
図２との対応部分に同一符号を付した図１６は、図１について上述した本発明による連携再生システム１を適用し、コンテンツデータとしての音楽データを扱う第２の実施の形態による連携再生システム１００を示す。
【０５９１】
かかる連携再生システム１００は、図１について上述した本発明によるコンテンツ選定装置３を適用し、音楽データの再生機能を有する例えば２台の据置型音楽再生装置１０１及び１０２を有している。
【０５９２】
そして連携再生システム１００は、これら２台の据置型音楽再生装置１０１及び１０２同士を、例えば、無線又は有線で構築されるＬＡＮ（Local Area Network）を介して接続し得るようになされている。
【０５９３】
また連携再生システム１００は、インターネット１０３に接続された音楽提供装置１０４を有している。
【０５９４】
そして連携再生システム１００は、据置型音楽再生装置１０１及び１０２をインターネット１０３上の音楽提供装置１０４と通信させ得るようにもなされている。
【０５９５】
ところで連携再生システム１００では、２台の据置型音楽再生装置１０１及び１０２の何れに対しも、携帯型音楽再生装置２２を、例えばケーブルを介して取外可能に接続し得るようになされている。
【０５９６】
ここで、図１７を用いて、音楽提供装置１０４の機能回路ブロックによる詳細なハードウェア構成について説明する。
【０５９７】
かかる音楽提供装置１０４において制御部１１０は、装置全体を制御すると共に、各種処理を実行する。
【０５９８】
これにより制御部１１０は、外部から提供用として種々のデータフォーマットの音楽データが、当該音楽データに対応する音楽関連情報と共に供給されると、その音楽データと対応する音楽関連情報とを、取込部１１１を介して取り込んで音楽記憶部１１２に送出する。
【０５９９】
そして制御部１１０は、音楽記憶部１１２に対し、音楽データ及び音楽関連情報を対応付けて記憶する。
【０６００】
このようにして制御部１１０は、音楽記憶部１１２に対し、複数の音楽データを、対応する音楽関連情報と共に記憶する。
【０６０１】
ところで制御部１１０は、音楽記憶部１１２に対し、音楽データを記憶すると、当該音楽記憶部１１２から音楽データを読み出して解析部１１３に送出する。
【０６０２】
そして制御部１１０は、上述した第１の実施の形態による据置型音楽再生装置２１の解析部３５（図３）と同様に、解析部１１３により、その音楽データに基づく音楽の特徴を表す特徴数値化情報を生成する。
【０６０３】
また制御部１１０は、解析部１１３によって特徴数値化情報を生成すると、当該特徴数値化情報を、これに対応する音楽関連情報に含まれている音楽識別情報、音楽タイトル、アーティスト名、ジャンル名及びアルバムタイトルと共に、対応する音楽データの属性を表す属性データとして属性記憶部１１４に送出する。
【０６０４】
さらに制御部１１０は、図６について上述した据置型音楽再生装置２１の場合と同様に、属性記憶部１１４内に属性データベースを予め構築している、
【０６０５】
よって制御部１１０は、音楽記憶部１１２に記憶した音楽データに対応する属性データを属性データベースに登録するようにして属性記憶部１１４に記憶する。
【０６０６】
この状態で制御部１１０は、据置型音楽再生装置１０１及び１０２から属性データを要求する属性要求信号がインターネット１０３を介して送信されると、その属性要求信号をネットワーク通信部１１５によって受信して取り込む。
【０６０７】
制御部１１０は、かかる属性要求信号を取り込むと、これに応じて属性記憶部１１４から複数の属性データを読み出すと共に、当該読み出した属性データをネットワーク通信部１１５により据置型音楽再生装置１０１及び１０２に送信して記憶保持させる。
【０６０８】
このようにして制御部１１０は、音楽記憶部１１２に記憶している複数の音楽データに対応する複数の属性データを、後述するように、据置型音楽再生装置１０１及び１０２において据置側連携再生処理を実行する際に利用させるようになされている。
【０６０９】
そして制御部１１０は、据置型音楽再生装置１０１及び１０２から、据置側連携再生処理において、音楽記憶部１１２に記憶している音楽データが再生用に選定され、当該選定された音楽データを再生要求する再生要求信号がインターネット１０３を介して送信されると、その再生要求信号をネットワーク通信部１１５によって受信して取り込む。
【０６１０】
因みに、かかる再生要求信号には、例えば、再生要求する音楽データの音楽識別情報が格納されている。
【０６１１】
制御部１１０は、このように再生要求信号を取り込むと、音楽記憶部１１２から、再生要求された音楽データ（すなわち、再生要求信号に格納されている音楽識別情報に対応する音楽データ）を読み出して復号部１１６に送出する。
【０６１２】
これにより制御部１１０は、復号部１１６によって、その音楽データを復号処理しながらネットワーク通信部１１５によりインターネット１０３を介して据置型音楽再生装置１０１及び１０２に送信する。
【０６１３】
よって制御部１１０は、据置型音楽再生装置１０１及び１０２に対し、その復号処理した音楽データを受信させながらデジタルアナログ変換処理及び増幅処理等のように出力処理させて音楽として出力させる（すなわち、音楽データをストリーミング形式で再生させる）。
【０６１４】
このようにして制御部１１０は、据置型音楽再生装置１０１及び１０２において据置側連携再生処理が実行された際、音楽記憶部１１２に記憶している音楽データを再生用に選定させて、当該音楽データに基づく音楽をユーザに聴かせることができる。
【０６１５】
次いで、図３との対応部分に同一符号を付した図１８を用いて、据置型音楽再生装置１０１及び１０２の機能回路ブロックによる詳細なハードウェア構成について説明する。
【０６１６】
ただし据置型音楽再生装置１０１及び１０２は、同様の構成を有することにより、以下には、１つの据置型音楽再生装置１０１のハードウェア構成についてのみ説明し、他の据置型音楽再生装置１０２のハードウェア構成については説明を省略する。
【０６１７】
かかる据置型音楽再生装置１０１において制御部１２０は、ネットワーク通信部１２１を介して、インターネット１０３上の音楽提供装置１０４や、音楽配信装置（図示せず）、関連情報提供装置（図示せず）等と通信し得るようになされている。
【０６１８】
そして制御部１２０は、操作部３１へのユーザ操作によって各種命令が入力されると、当該入力された各種命令に応じて装置全体を制御すると共に、各種処理を実行する。
【０６１９】
これにより制御部１２０は、上述した第１の実施の形態による据置型音楽再生装置２１の制御部３０（図３）と同様に、メディア再生機能や録音機能、音楽購入機能、プレイリスト生成機能、取得音楽再生機能（すなわち、通常再生機能及び類似音楽再生機能）、転送機能等の各種機能を実現し得るようになされている。
【０６２０】
かかる構成に加えて据置型音楽再生装置１０１の制御部１２０は、ネットワーク通信部１２１を介して、他の据置型音楽再生装置１０２とも通信し得るようになされている。
【０６２１】
また制御部１２０は、ネットワーク通信部１２１を介して、自身の据置型音楽再生装置１０１に対する他の据置型音楽再生装置１０２の接続の有無を検知し得るようになされている。
【０６２２】
そして制御部１２０は、自身の据置型音楽再生装置１０１に対し他の据置型音楽再生装置１０２が接続されていることを検知している状態で、ユーザにより操作部３１を介して、属性データの取得を要求する属性取得命令が入力されると、これに応じて属性要求信号をネットワーク通信部１２１により他の据置型音楽再生装置１０２に送信する。
【０６２３】
その結果、制御部１２０は、他の据置型音楽再生装置１０２から複数の音楽データと共に記憶されている当該複数の音楽データに対応する複数の属性データが送信されると、これら複数の属性データをネットワーク通信部１２１によって受信して取り込む。
【０６２４】
この際、制御部１２０は、そのネットワーク通信部１２１を介して取り込んだ複数の属性データそれぞれに対し、これらが他の据置型音楽再生装置１０２から提供されたことを示す提供元判別情報を付加する。
【０６２５】
そして制御部１２０は、提供元判別情報を付加した複数の属性データを属性記憶部３６に送出することにより、当該提供元判別情報を付加したこれら複数の属性データを属性データベースに登録するようにして属性記憶部３６に記憶する。
【０６２６】
また制御部１２０は、ネットワーク通信部１２１を介して、自身の据置型音楽再生装置１０１に対する音楽提供装置１０４の接続の有無も検知し得るようになされている。
【０６２７】
そして制御部１２０は、自身の据置型音楽再生装置１０１に対し音楽提供装置１０４が接続されていることを検知している状態で、ユーザにより操作部３１を介して属性取得命令が入力されると、これに応じて属性要求信号をネットワーク通信部１２１によりインターネット１０３を介して音楽提供装置１０４に送信する。
【０６２８】
その結果、制御部１２０は、音楽提供装置１０４から複数の音楽データと共に記憶されている当該複数の音楽データに対応する複数の属性データがインターネット１０３を介して送信されると、これら複数の属性データをネットワーク通信部１２１によって受信して取り込む。
【０６２９】
この際、制御部１２０は、そのネットワーク通信部１２１を介して取り込んだ複数の属性データそれぞれに対し、これらが音楽提供装置１０４から提供されたことを示す提供元判別情報を付加する。
【０６３０】
そして制御部１２０は、提供元判別情報を付加した複数の属性データを属性記憶部３６に送出することにより、当該提供元判別情報を付加したこれら複数の属性データを属性データベースに登録するようにして属性記憶部３６に記憶する。
【０６３１】
このようにして制御部１２０は、他の据置型音楽再生装置１０２や音楽提供装置１０４から、これらが記憶している複数の音楽データに対応する複数の属性データを取得し得るようになされている。
【０６３２】
ところで制御部１２０は、音楽記憶部３３に記憶した音楽データに対応する属性データについては、これを自身が生成したことを示す（すなわち、自身が提供元であり、他の装置から提供されたものではないことを示す）提供元判別情報を付加して属性記憶部３６に記憶している。
【０６３３】
よって制御部１２０は、属性記憶部３６に記憶した複数の属性データそれぞれが、自身で生成したものであるのか、また他の据置型音楽再生装置１０２及び音楽提供装置１０４の何れから取得したものであるのかを容易にかつ的確に判別し得るようになされている。
【０６３４】
さらに制御部１２０は、他の据置型音楽再生装置１０２から属性要求信号が送信されたときには、その属性要求信号をネットワーク通信部１２１によって受信して取り込む。
【０６３５】
この際、制御部１２０は、属性記憶部３６から、自身の生成した複数の属性データを読み出すと共に、当該読み出した複数の属性データをネットワーク通信部１２１により他の据置型音楽再生装置１０２に送信する。
【０６３６】
このようにして制御部１２０は、音楽記憶部３３に対する音楽データの記憶に応じて生成していた複数の属性データを、他の据置型音楽再生装置１０２に提供することもできる。
【０６３７】
このような状態で、制御部１２０は、装置通信部４１を介して、据置型音楽再生装置１０１に携帯型音楽再生装置２２が接続されたことを検知すると、これに応じて据置側連携再生処理を開始する。
【０６３８】
この際、制御部１２０は、携帯型音楽再生装置２２から送信された連携利用属性データを装置通信部４１によって受信して取り込み、当該取り込んだ連携利用属性データを選定部４０に送出する。
【０６３９】
ただし制御部１２０は、このときネットワーク通信部１２１を介して、自身の据置型音楽再生装置１０１に音楽提供装置１０４や他の据置型音楽再生装置１０２が接続されているか否かを判別する。
【０６４０】
その結果、制御部１２０は、このとき自身の据置型音楽再生装置１０１に音楽提供装置１０４及び他の据置型音楽再生装置１０２が共に接続されていると、属性記憶部３６から属性データを提供元にかかわらずに読み出し（すなわち、自身が生成した複数の属性データと、音楽提供装置１０４及び他の据置型音楽再生装置１０２から取得していた複数の属性データとを読み出し）、当該読み出した複数の属性データを選定部４０に送出する。
【０６４１】
また制御部１２０は、このとき自身の据置型音楽再生装置１０１に音楽提供装置１０４及び他の据置型音楽再生装置１０２の何れか一方のみが接続されていると、属性記憶部３６から自身の生成した複数の属性データと、当該自身の据置型音楽再生装置１０１に接続されている音楽提供装置１０４又は他の据置型音楽再生装置１０２から取得していた複数の属性データとを読み出し、当該読み出した複数の属性データを選定部４０に送出する。
【０６４２】
さらに制御部１２０は、このとき自身の据置型音楽再生装置１０１に音楽提供装置１０４及び他の据置型音楽再生装置１０２の何れも接続されてはいないと、属性記憶部３６から自身の生成した複数の属性データのみを読み出し、当該読み出した複数の属性データを選定部４０に送出する。
【０６４３】
選定部４０は、このようにして制御部１２０から連携利用属性データと共に複数の属性データが与えられると、図８について上述した場合と同様に、当該連携利用属性データとしての比較基準属性データを、複数の属性データとしての複数の比較対象属性データと順次比較する。
【０６４４】
よって選定部４０は、比較基準属性データと複数の比較対象属性データとの比較結果に基づいて、連携利用音楽との類似度が最も高い１つの音楽の音楽データを再生用に選定（すなわち、かかる再生用の音楽データを、対応する属性データとして選定）する。
【０６４５】
そして選定部４０は、その再生用に選定した１つの音楽データに対応する属性データを制御部１２０に送出することにより、制御部１２０に対し、当該選定した音楽データを、対応する属性データによって通知する。
【０６４６】
制御部１２０は、選定部４０から、属性データが与えられると（すなわち、再生用に選定された１つの音楽データが通知されると）、その属性データに付加している提供元判別情報に基づき、当該属性データに対応する音楽データの提供元（すなわち、再生用に選定された音楽データを記憶している装置）を判別する。
【０６４７】
その結果、制御部１２０は、再生用に選定された音楽データを音楽記憶部３３に（すなわち、自身の据置型音楽再生装置１０１で）記憶していると、当該音楽記憶部３３から、その再生用に選定された１つの音楽データを読み出して再生部３２に送出する。
【０６４８】
これにより制御部１２０は、再生部３２により、その選定された音楽データに対して再生処理を施して（すなわち、復号処理や、デジタルアナログ変換処理及び増幅処理等の出力処理を順次施して）当該再生部３２のスピーカから音楽として出力させる。
【０６４９】
このようにして制御部１２０は、再生用に選定された音楽データを音楽記憶部３３に記憶している場合、上述した第１の実施の形態の場合と同様に、その音楽記憶部３３から読み出した音楽データを再生処理してスピーカから音楽として出力させる。
【０６５０】
因みに、以下の説明では、このように音楽記憶部３３から音楽データを読み出し再生処理して音楽として出力するような再生を、ストリーミング形式の再生とは区別する意味で、特に読出形式の再生とも呼ぶ。
【０６５１】
また制御部１２０は、再生用に選定された音楽データが音楽提供装置１０４で記憶されていると、その音楽データに対応する音楽識別情報を格納し、当該音楽データを再生要求する再生要求信号を生成する。
【０６５２】
そして制御部１２０は、その再生要求信号をネットワーク通信部１２１によりインターネット１０３を介して音楽提供装置１０４に送信する。
【０６５３】
その結果、制御部１２０は、音楽提供装置１０４から、再生要求した音楽データが復号処理されインターネット１０３経由で送信されると、その音楽データをネットワーク通信部１２１によって受信しながら再生部３２に送出しデジタルアナログ変換処理及び増幅処理等の出力処理を施してスピーカから音楽として出力させる。
【０６５４】
このようにして制御部１２０は、再生用に選定された音楽データが音楽提供装置１０４で記憶されている場合、その音楽提供装置１０４から送信された当該音楽データをストリーミング形式で再生して（すなわち、送信された音楽データを保存用としては記憶せずに、受信しながら再生して）スピーカから音楽として出力させる。
【０６５５】
さらに制御部１２０は、再生用に選定された音楽データが他の据置型音楽再生装置１０２で記憶されていると、その音楽データに対応する音楽識別情報を格納し、当該音楽データを再生要求する再生要求信号を生成する。
【０６５６】
そして制御部１２０は、その再生要求信号をネットワーク通信部１２１によりインターネット１０３を介して他の据置型音楽再生装置１０２に送信する。
【０６５７】
その結果、制御部１２０は、他の据置型音楽再生装置１０２から、再生要求した音楽データが復号処理されインターネット１０３経由で送信されると、その音楽データをネットワーク通信部１２１によって受信しながら再生部３２に送出し出力処理を施してスピーカから音楽として出力させる。
【０６５８】
このようにして制御部１２０は、再生用に選定された音楽データが他の据置型音楽再生装置１０２で記憶されている場合も、当該他の据置型音楽再生装置１０２から送信された音楽データをストリーミング形式で再生してスピーカから音楽として出力させる。
【０６５９】
ところで制御部１２０は、選定部４０によって選定された１つの音楽データに対する読出形式、又はストリーミング形式の再生が終了し、又はユーザの指示に応じて当該再生を途中で停止させると、再びネットワーク通信部１２１を介して、自身の据置型音楽再生装置１０１に音楽提供装置１０４や他の据置型音楽再生装置１０２が接続されているか否かを判別する。
【０６６０】
その結果、制御部１２０は、自身の据置型音楽再生装置１０１に音楽提供装置１０４及び他の据置型音楽再生装置１０２が共に接続されていると、属性記憶部３６から１つ前に再生した音楽データに対応する１つの属性データを読み出して選定部４０に送出する。
【０６６１】
また制御部１２０は、このとき属性記憶部３６から、提供元に関係せずに未だ再生してはいない複数の音楽データに対応する残りの複数の属性データも読み出して（すなわち、自身が生成した複数の属性データと、音楽提供装置１０４及び他の据置型音楽再生装置１０２から取得していた複数の属性データとを読み出して）選定部４０に送出する。
【０６６２】
これに対して制御部１２０は、自身の据置型音楽再生装置１０１に音楽提供装置１０４及び他の据置型音楽再生装置１０２の何れか一方のみが接続されていると、属性記憶部３６から１つ前に再生した音楽データに対応する１つの属性データを読み出して選定部４０に送出する。
【０６６３】
また制御部１２０は、このとき属性記憶部３６から、未だ再生してはいない複数の音楽データに対応する複数の属性データのうち、自身の生成した複数の属性データ、及び自身の据置型音楽再生装置１０１に接続されている音楽提供装置１０４又は他の据置型音楽再生装置１０２から取得していた複数の属性データも読み出して選定部４０に送出する。
【０６６４】
さらにまた制御部１２０は、自身の据置型音楽再生装置１０１に音楽提供装置１０４及び他の据置型音楽再生装置１０２の何れも接続されてはいないと、属性記憶部３６から１つ前に再生した音楽データに対応する１つの属性データを読み出して選定部４０に送出する。
【０６６５】
また制御部１２０は、このとき属性記憶部３６から、未だ再生してはいない複数の音楽データに対応する複数の属性データのうち、自身の生成した複数の属性データも読み出して選定部４０に送出する。
【０６６６】
選定部４０は、このようにして制御部１２０から、１つ前に再生した音楽データに対応する１つの属性データと、他の複数の属性データとが与えられると、図８について上述した場合と同様に、当該１つ前に再生した音楽データに対応する属性データとしての比較基準属性データを、他の複数の属性データとしての複数の比較対象属性データと順次比較する。
【０６６７】
よって選定部４０は、比較基準属性データと複数の比較対象属性データとの比較結果に基づいて、１つ前の再生音楽との類似度が最も高い１つの音楽の音楽データを再生用に選定（すなわち、かかる再生用の音楽データを、対応する属性データとして選定）する。
【０６６８】
そして選定部４０は、その再生用に選定した１つの音楽データに対応する属性データを制御部１２０に送出することにより、制御部１２０に対し、当該選定した音楽データを、対応する属性データによって通知する。
【０６６９】
制御部１２０は、選定部４０から、属性データが与えられると（すなわち、再生用に選定された１つの音楽データが新たに通知されると）、その属性データに付加している提供元判別情報に基づき、当該属性データに対応する音楽データの提供元（すなわち、再生用に選定された音楽データを記憶している装置）を判別する。
【０６７０】
その結果、制御部１２０は、再生用に選定された音楽データを音楽記憶部３３に（すなわち、自身の据置型音楽再生装置１０１で）記憶していると、当該再生用に選定された１つの音楽データを上述と同様に読出形式で再生してスピーカから音楽として出力させる。
【０６７１】
また制御部１２０は、再生用に選定された音楽データが音楽提供装置１０４で記憶されていると、上述と同様に再生要求信号をインターネット１０３経由で音楽提供装置１０４に送信し、その結果、音楽提供装置１０４からインターネット１０３経由で送信された音楽データをストリーミング形式で再生してスピーカから音楽として出力させる。
【０６７２】
さらに制御部１２０は、再生用に選定された音楽データが他の据置型音楽再生装置１０２で記憶されていると、上述と同様に再生要求信号をインターネット１０３経由で他の据置型音楽再生装置１０２に送信し、その結果、他の据置型音楽再生装置１０２からインターネット１０３経由で送信された音楽データをストリーミング形式で再生してスピーカから音楽として出力させる。
【０６７３】
このようにして制御部１２０は、自身の据置型音楽再生装置１０１に対する携帯型音楽再生装置２２の接続に応じて据置側連携再生処理を実行している間は、自身の据置型音楽再生装置１０１と音楽提供装置１０４や他の据置型音楽再生装置１０２との接続状況に応じて、当該自身の据置型音楽再生装置１０１や音楽提供装置１０４、他の据置型音楽再生装置１０２で記憶している複数の音楽データの中から、順次１つ前の再生音楽（最初の再生音楽だけは、連携利用音楽である）との類似度が高い音楽の音楽データを選定して読出形式やストリーミング形式で再生する。
【０６７４】
すなわち、制御部１２０は、据置側連携再生処理を実行した場合、自身の据置型音楽再生装置１０１が音楽提供装置１０４や他の据置型音楽再生装置１０２に接続されていると、音楽記憶部３３に記憶している複数の音楽データ以上の多数の音楽データの中から再生用の音楽データを選定することができる。
【０６７５】
これにより制御部１２０は、据置型音楽再生装置１０１に携帯型音楽再生装置２２が接続された状態で据置側連携再生処理を実行している間、連携利用音楽をもとに、より多くの音楽の中から順次、類似度が高い音楽を選定しユーザに聴かせて楽しませることができる。
【０６７６】
因みに、制御部１２０は、上述した第１の実施の形態による据置型音楽再生装置２１と同様に、据置側連携再生処理の開始直後に、選定部４０に対し、連携利用音楽との類似度が最も高い１つ目の音楽の音楽データを選定させるとき、選定可能な音楽データを特には制限しないようにしている。
【０６７７】
よって制御部１２０は、選定部４０に対し、連携利用音楽との類似度が最も高い１つの音楽として、同一の音楽の音楽データ、及び類似する音楽の音楽データの何れも選定可能なようにしている。
【０６７８】
これにより制御部１２０は、自身の据置型音楽再生装置１０１や音楽提供装置１０４、他の据置型音楽再生装置１０２で連携利用音楽と同一の音楽の音楽データを記憶している場合、据置側連携再生処理の開始直後には、当該連携利用音楽と同一の音楽を改めて聴かせることができる。
【０６７９】
また制御部１２０は、自身の据置型音楽再生装置１０１や音楽提供装置１０４、他の据置型音楽再生装置１０２の何れでも連携利用音楽と同一の音楽の音楽データを記憶してはいない場合、据置側連携再生処理の開始直後には、当該連携利用音楽と類似する（すなわち、同一ではない）音楽を聴かせることができる。
【０６８０】
これに対して制御部１２０は、据置側連携再生処理を実行している間、据置型音楽再生装置１０１単独で類似音楽再生処理を実行した場合と同様に、順次再生した音楽データに対応する音楽識別情報を保持する。
【０６８１】
そして制御部１２０は、据置側連携再生処理において、選定部４０に対し２つ目以降の音楽データを選定させるときには、すでに再生した音楽データに対応する音楽識別情報を利用して、一度再生した音楽データを、次に再生する音楽データの選定候補から除外するように、選定可能な音楽データを制限している。
【０６８２】
よって制御部１２０は、選定部４０に対し２つ目以降の音楽データを選定させるときには、同一の音楽データが再生用に度々選定されることを回避し、かくしてユーザに対し順次、類似度が高い音楽を重複させずに聴かせることができる。
【０６８３】
（３−２）第２の連携再生処理
次いで、図１０及び図１１との対応部分に同一符号を付した図１９乃至図２２に示すフローチャートを用いて、据置型音楽再生装置１０１及び携帯型音楽再生装置２２において実行する第２の連携再生処理手順について説明する。
【０６８４】
据置型音楽再生装置１０１の制御部１２０は、装置通信部４１を介して、当該据置型音楽再生装置１０１に携帯型音楽再生装置２２が接続されたことを検知すると、図２０及び図２１に示す据置側連携再生処理手順ＲＴ３を開始する。
【０６８５】
据置型音楽再生装置１０１の制御部１２０は、かかる据置側連携再生処理手順ＲＴ３を開始すると、ステップＳＰ１１において受信処理を実行することにより携帯型音楽再生装置２２から送信された連携利用属性データを装置通信部４１によって受信して取り込み、次のステップＳＰ２１に移る。
【０６８６】
ステップＳＰ２１において据置型音楽再生装置１０１の制御部１２０は、現在、当該据置型音楽再生装置１０１が音楽提供装置１０４に接続されているか否かを判別する。
【０６８７】
このステップＳＰ２１において肯定結果が得られると、このことは例えば、現在、ユーザにより据置側連携再生処理に少なくとも音楽提供装置１０４を利用するように要望され、据置型音楽再生装置１０１が少なくとも音楽提供装置１０４に接続されていることを表している。
【０６８８】
据置型音楽再生装置１０１の制御部１２０は、ステップＳＰ２１において、かかる肯定結果を得ると、次のステップＳＰ２２に移る。
【０６８９】
ステップＳＰ２２において据置型音楽再生装置１０１の制御部１２０は、現在、当該据置型音楽再生装置１０１が他の据置型音楽再生装置１０２にも接続されているか否かを判別する。
【０６９０】
このステップＳＰ２２において肯定結果が得られると、このことは例えば、現在、ユーザにより据置側連携再生処理に音楽提供装置１０４と共に他の据置型音楽再生装置１０２をも利用するように要望され、据置型音楽再生装置１０１が音楽提供装置１０４と共に他の据置型音楽再生装置１０２にも接続されていることを表している。
【０６９１】
据置型音楽再生装置１０１の制御部１２０は、ステップＳＰ２２において、かかる肯定結果を得ると、次のステップＳＰ２３に移る。
【０６９２】
ステップＳＰ２３において据置型音楽再生装置１０１の制御部１２０は、連携利用属性データを選定部４０に送出する。
【０６９３】
また据置型音楽再生装置１０１の制御部１２０は、このとき属性記憶部３６から自身が生成した複数の属性データと、音楽提供装置１０４及び他の据置型音楽再生装置１０２の双方から取得していた複数の属性データとを読み出し、当該読み出した複数の属性データも選定部４０に送出する。
【０６９４】
そして据置型音楽再生装置１０１の制御部１２０は、選定部４０により連携利用属性データとしての比較基準属性データを、複数の属性データとしての複数の比較対象属性データと順次比較する。
【０６９５】
これにより据置型音楽再生装置１０１の制御部１２０は、その比較結果に基づき、自身の据置型音楽再生装置１０１、音楽提供装置１０４及び他の据置型音楽再生装置１０２で記憶している複数の音楽データの中から、連携利用音楽との類似度が最も高い１つの音楽の音楽データを再生用に選定して、次のステップＳＰ２４に移る。
【０６９６】
ところでステップＳＰ２１において否定結果が得られると、このことは例えば、現在、ユーザにより据置側連携再生処理に少なくとも音楽提供装置１０４を利用するようには要望されていないため、据置型音楽再生装置１０１が音楽提供装置１０４には接続されていないことを表している。
【０６９７】
据置型音楽再生装置１０１の制御部１２０は、ステップＳＰ２１において、かかる否定結果を得ると、ステップＳＰ２５に移る。
【０６９８】
ステップＳＰ２５において据置型音楽再生装置１０１の制御部１２０は、現在、当該据置型音楽再生装置１０１が他の据置型音楽再生装置１０２に接続されているか否かを判別する。
【０６９９】
このステップＳＰ２５において肯定結果が得られると、このことは例えば、現在、ユーザにより据置側連携再生処理に他の据置型音楽再生装置１０２のみを利用するように要望され、据置型音楽再生装置１０１が音楽提供装置１０４及び他の据置型音楽再生装置１０２のうち、当該他の据置型音楽再生装置１０２にのみ接続されていることを表している。
【０７００】
据置型音楽再生装置１０１の制御部１２０は、ステップＳＰ２５において、かかる肯定結果を得ると、次のステップＳＰ２６に移る。
【０７０１】
ステップＳＰ２６において据置型音楽再生装置１０１の制御部１２０は、連携利用属性データを選定部４０に送出する。
【０７０２】
また据置型音楽再生装置１０１の制御部１２０は、このとき属性記憶部３６から自身が生成した複数の属性データと、他の据置型音楽再生装置１０２から取得していた複数の属性データとを読み出し、当該読み出した複数の属性データも選定部４０に送出する。
【０７０３】
そして据置型音楽再生装置１０１の制御部１２０は、選定部４０により連携利用属性データとしての比較基準属性データを、複数の属性データとしての複数の比較対象属性データと順次比較する。
【０７０４】
これにより据置型音楽再生装置１０１の制御部１２０は、その比較結果に基づき、自身の据置型音楽再生装置１０１及び他の据置型音楽再生装置１０２で記憶している複数の音楽データの中から、連携利用音楽との類似度が最も高い１つの音楽の音楽データを再生用に選定して、次のステップＳＰ２４に移る。
【０７０５】
ただし上述のステップＳＰ２２において否定結果が得られると、このことは例えば、現在、ユーザにより据置側連携再生処理に音楽提供装置１０４のみを利用するように要望され、据置型音楽再生装置１０１が音楽提供装置１０４及び他の据置型音楽再生装置１０２のうち、当該音楽提供装置１０４にのみ接続されていることを表している。
【０７０６】
そして据置型音楽再生装置１０１の制御部１２０は、ステップＳＰ２２において、かかる否定結果を得ても、ステップＳＰ２６に移る。
【０７０７】
ところで、据置型音楽再生装置１０１の制御部１２０は、ステップＳＰ２２からステップＳＰ２６に移った場合、連携利用属性データを選定部４０に送出する。
【０７０８】
また据置型音楽再生装置１０１の制御部１２０は、このとき属性記憶部３６から自身が生成した複数の属性データと、音楽提供装置１０４から取得していた複数の属性データとを読み出し、当該読み出した複数の属性データも選定部４０に送出する。
【０７０９】
そして据置型音楽再生装置１０１の制御部１２０は、選定部４０により連携利用属性データとしての比較基準属性データを、複数の属性データとしての複数の比較対象属性データと順次比較する。
【０７１０】
これにより据置型音楽再生装置１０１の制御部１２０は、その比較結果に基づき、自身の据置型音楽再生装置１０１及び音楽提供装置１０４で記憶している複数の音楽データの中から、連携利用音楽との類似度が最も高い１つの音楽の音楽データを再生用に選定して、次のステップＳＰ２４に移る。
【０７１１】
またステップＳＰ２５において否定結果が得られると、このことは例えば、現在、ユーザにより据置側連携再生処理に音楽提供装置１０４及び他の据置型音楽再生装置１０２の何れも利用するようには要望されていないため、据置型音楽再生装置１０１が音楽提供装置１０４及び他の据置型音楽再生装置１０２の何れにも接続されてはいないことを表している。
【０７１２】
据置型音楽再生装置１０１の制御部１２０は、ステップＳＰ２５において、かかる否定結果を得ると、ステップＳＰ２７に移る。
【０７１３】
ステップＳＰ２７において据置型音楽再生装置１０１の制御部１２０は、連携利用属性データを選定部４０に送出する。
【０７１４】
また据置型音楽再生装置１０１の制御部１２０は、このとき属性記憶部３６から自身が生成した複数の属性データのみを読み出し、当該読み出した複数の属性データも選定部４０に送出する。
【０７１５】
そして据置型音楽再生装置１０１の制御部１２０は、選定部４０により連携利用属性データとしての比較基準属性データを、複数の属性データとしての複数の比較対象属性データと順次比較する。
【０７１６】
これにより据置型音楽再生装置１０１の制御部１２０は、その比較結果に基づき、自身の据置型音楽再生装置１０１で記憶している複数の音楽データの中から、連携利用音楽との類似度が最も高い１つの音楽の音楽データを再生用に選定して、次のステップＳＰ２４に移る。
【０７１７】
ステップＳＰ２４において据置型音楽再生装置１０１の制御部１２０は、再生用に選定した音楽データの提供元が音楽提供装置１０４であるか否かを判別する。
【０７１８】
このステップＳＰ２４において肯定結果が得られると、このことは、再生用に選定した音楽データが音楽提供装置１０４で記憶されているものであることを表している。
【０７１９】
据置型音楽再生装置１０１の制御部１２０は、ステップＳＰ２４において、かかる肯定結果を得ると、次のステップＳＰ２８に移る。
【０７２０】
ステップＳＰ２８において据置型音楽再生装置１０１の制御部１２０は、再生用に選定した音楽データを再生要求する再生要求信号をネットワーク通信部１２１によりインターネット１０３を介して音楽提供装置１０４に送信して、次のステップＳＰ２９に移る。
【０７２１】
このとき音楽提供装置１０４の制御部１１０は、据置型音楽再生装置１０１からインターネット１０３経由で送信された再生要求信号をネットワーク通信部１１５によって受信して取り込み、当該再生要求信号の取り込みに応じて、図２２に示す音楽データ送信処理手順ＲＴ４を開始する。
【０７２２】
音楽提供装置１０４の制御部１１０は、かかる音楽データ送信処理手順ＲＴ４を開始すると、ステップＳＰ４１において音楽記憶部１１２から、再生要求された音楽データを読み出すと共に、当該音楽データを復号部１１６によって復号処理しながらネットワーク通信部１１５によりインターネット１０３経由で据置型音楽再生装置１０１に送信し始めて、次のステップＳＰ４２に移る。
【０７２３】
ステップＳＰ４２において音楽提供装置１０４の制御部１１０は、据置型音楽再生装置１０１に対する音楽データの送信が終了することを待ち受ける。
【０７２４】
そして音楽提供装置１０４の制御部１１０は、据置型音楽再生装置１０１に対する音楽データの送信が終了すると、次のステップＳＰ４３に移って、かかる音楽データ送信処理手順ＲＴ４を終了する。
【０７２５】
よってステップＳＰ２９において据置型音楽再生装置１０１の制御部１２０は、音楽提供装置１０４からインターネット１０３経由で送信された音楽データをネットワーク通信部１２１によって受信しながら再生部３２によって出力処理を施すように、当該音楽データに対するストリーミング形式の再生を開始して、次のステップＳＰ１４に移る。
【０７２６】
またステップＳＰ２４において否定結果が得られると、このことは、再生用に選定した音楽データが自身の据置型音楽再生装置１０１及び他の据置型音楽再生装置１０２の何れかで記憶されているものであることを表している。
【０７２７】
据置型音楽再生装置１０１の制御部１２０は、ステップＳＰ２４において、かかる否定結果を得ると、ステップＳＰ３０に移る。
【０７２８】
ステップＳＰ３０において据置型音楽再生装置１０１の制御部１２０は、再生用に選定した音楽データの提供元が他の据置型音楽再生装置１０２であるか否かを判別する。
【０７２９】
このステップＳＰ３０において肯定結果が得られると、このことは、再生用に選定した音楽データが他の据置型音楽再生装置１０２で記憶されているものであることを表している。
【０７３０】
据置型音楽再生装置１０１の制御部１２０は、ステップＳＰ３０において、かかる肯定結果を得ると、次のステップＳＰ３１に移る。
【０７３１】
ステップＳＰ３１において据置型音楽再生装置１０１の制御部１２０は、再生用に選定した音楽データを再生要求する再生要求信号をネットワーク通信部１２１により他の据置型音楽再生装置１０２に送信して、次のステップＳＰ２９に移る。
【０７３２】
ところで、このとき他の据置型音楽再生装置１０２は、上述した音楽提供装置１０４の場合と同様に、図２２に示す音楽データ送信処理手順ＲＴ４を実行して、再生要求された音楽データを据置型音楽再生装置１０１に送信する。
【０７３３】
よって据置型音楽再生装置１０１の制御部１２０は、ステップＳＰ３１からステップＳＰ２９に移った場合、他の据置型音楽再生装置１０２から送信された音楽データをネットワーク通信部１２１によって受信しながら再生部３２によって出力処理を施すように、当該音楽データに対するストリーミング形式の再生を開始して、次のステップＳＰ１４に移る。
【０７３４】
さらにステップＳＰ３０において否定結果が得られると、このことは、再生用に選定した音楽データが自身の据置型音楽再生装置１０１で記憶されているものであることを表している。
【０７３５】
据置型音楽再生装置１０１の制御部１２０は、ステップＳＰ３０において、かかる否定結果を得ると、ステップＳＰ１３に移り、当該ステップＳＰ１３の処理を実行した後、ステップＳＰ１４に移る。
【０７３６】
そして据置型音楽再生装置１０１の制御部１２０は、ステップＳＰ１４乃至ステップＳＰ１７の処理を順次実行するようにして、当該ステップＳＰ１７において否定結果を得ると、ステップＳＰ１４に戻る。
【０７３７】
よって据置型音楽再生装置１０１の制御部１２０は、この後、ステップＳＰ１５乃至ステップＳＰ１７の何れかにおいて肯定結果を得るまでの間、当該ステップＳＰ１５乃至ステップＳＰ１７の処理を循環的に繰り返し実行して１つの音楽データをストリーミング形式又は読出形式で再生し続ける。
【０７３８】
これにより据置型音楽再生装置１０１の制御部１２０は、ユーザに対し、音楽提供装置１０４、他の据置型音楽再生装置１０２及び自身の据置型音楽再生装置１０１の何れかで記憶している音楽データに基づく音楽（すなわち、連携利用音楽のような１つ前の再生音楽との類似度が高い音楽）を聴かせる。
【０７３９】
ところで据置型音楽再生装置１０１の制御部１２０は、ステップＳＰ１７において肯定結果を得ると、次のステップＳＰ３２に移る。
【０７４０】
ステップＳＰ３２において据置型音楽再生装置１０１の制御部１２０は、現在、当該据置型音楽再生装置１０１が音楽提供装置１０４に接続されているか否かを判別する。
【０７４１】
このステップＳＰ３２において肯定結果が得られると、このことは例えば、現在、ユーザにより据置側連携再生処理に少なくとも音楽提供装置１０４を利用するように要望され、据置型音楽再生装置１０１が少なくとも音楽提供装置１０４に接続されていることを表している。
【０７４２】
据置型音楽再生装置１０１の制御部１２０は、ステップＳＰ３２において、かかる肯定結果を得ると、次のステップＳＰ３３に移る。
【０７４３】
ステップＳＰ３３において据置型音楽再生装置１０１の制御部１２０は、現在、当該据置型音楽再生装置１０１が他の据置型音楽再生装置１０２にも接続されているか否かを判別する。
【０７４４】
このステップＳＰ３３において肯定結果が得られると、このことは例えば、現在、ユーザにより据置側連携再生処理に音楽提供装置１０４と共に他の据置型音楽再生装置１０２をも利用するように要望され、据置型音楽再生装置１０１が音楽提供装置１０４と共に他の据置型音楽再生装置１０２にも接続されていることを表している。
【０７４５】
据置型音楽再生装置１０１の制御部１２０は、ステップＳＰ３３において、かかる肯定結果を得ると、次のステップＳＰ３４に移る。
【０７４６】
ステップＳＰ３４において据置型音楽再生装置１０１の制御部１２０は、属性記憶部３６から１つ前に再生した音楽データに対応する属性データを読み出し、当該読み出した属性データを選定部４０に送出する。
【０７４７】
また据置型音楽再生装置１０１の制御部１２０は、このとき属性記憶部３６から、未だ再生してはいない複数の音楽データに対応する複数の属性データのうち、自身が生成した複数の属性データと、音楽提供装置１０４及び他の据置型音楽再生装置１０２の双方から取得していた複数の属性データとを読み出し、当該読み出した複数の属性データも選定部４０に送出する。
【０７４８】
そして据置型音楽再生装置１０１の制御部１２０は、選定部４０により、１つ前に再生した音楽データに対応する属性データとしての比較基準属性データを、他の複数の属性データとしての複数の比較対象属性データと順次比較する。
【０７４９】
これにより据置型音楽再生装置１０１の制御部１２０は、その比較結果に基づき、自身の据置型音楽再生装置１０１、音楽提供装置１０４及び他の据置型音楽再生装置１０２で記憶している複数の音楽データの中から、１つ前の再生音楽との類似度が最も高い１つの音楽の音楽データを再生用に選定して、ステップＳＰ２４に戻る。
【０７５０】
ところでステップＳＰ３２において否定結果が得られると、このことは例えば、現在、ユーザにより据置側連携再生処理に少なくとも音楽提供装置１０４を利用するようには要望されていないため、据置型音楽再生装置１０１が音楽提供装置１０４には接続されていないことを表している。
【０７５１】
据置型音楽再生装置１０１の制御部１２０は、ステップＳＰ３２において、かかる否定結果を得ると、ステップＳＰ３５に移る。
【０７５２】
ステップＳＰ３５において据置型音楽再生装置１０１の制御部１２０は、現在、当該据置型音楽再生装置１０１が他の据置型音楽再生装置１０２に接続されているか否かを判別する。
【０７５３】
このステップＳＰ３５において肯定結果が得られると、このことは例えば、現在、ユーザにより据置側連携再生処理に他の据置型音楽再生装置１０２のみを利用するように要望され、据置型音楽再生装置１０１が音楽提供装置１０４及び他の据置型音楽再生装置１０２のうち、当該他の据置型音楽再生装置１０２にのみ接続されていることを表している。
【０７５４】
据置型音楽再生装置１０１の制御部１２０は、ステップＳＰ３５において、かかる肯定結果を得ると、次のステップＳＰ３６に移る。
【０７５５】
ステップＳＰ３６において据置型音楽再生装置１０１の制御部１２０は、属性記憶部３６から１つ前に再生した音楽データに対応する属性データを読み出し、当該読み出した属性データを選定部４０に送出する。
【０７５６】
また据置型音楽再生装置１０１の制御部１２０は、このとき属性記憶部３６から、未だ再生してはいない複数の音楽データに対応する複数の属性データのうち、自身が生成した複数の属性データと、他の据置型音楽再生装置１０２から取得していた複数の属性データとを読み出し、当該読み出した複数の属性データも選定部４０に送出する。
【０７５７】
そして据置型音楽再生装置１０１の制御部１２０は、選定部４０により、１つ前に再生した音楽データに対応する属性データとしての比較基準属性データを、他の複数の属性データとしての複数の比較対象属性データと順次比較する。
【０７５８】
これにより据置型音楽再生装置１０１の制御部１２０は、その比較結果に基づき、自身の据置型音楽再生装置１０１及び他の据置型音楽再生装置１０２で記憶している複数の音楽データの中から、１つ前の再生音楽との類似度が最も高い１つの音楽の音楽データを再生用に選定して、ステップＳＰ２４に戻る。
【０７５９】
ただし上述のステップＳＰ３３において否定結果が得られると、このことは例えば、現在、ユーザにより据置側連携再生処理に音楽提供装置１０４のみを利用するように要望され、据置型音楽再生装置１０１が音楽提供装置１０４及び他の据置型音楽再生装置１０２のうち、当該音楽提供装置１０４にのみ接続されていることを表している。
【０７６０】
そして据置型音楽再生装置１０１の制御部１２０は、ステップＳＰ３３において、かかる否定結果を得ても、ステップＳＰ３６に移る。
【０７６１】
ところで、据置型音楽再生装置１０１の制御部１２０は、ステップＳＰ３３からステップＳＰ３６に移った場合、属性記憶部３６から１つ前に再生した音楽データに対応する属性データを読み出し、当該読み出した属性データを選定部４０に送出する。
【０７６２】
また据置型音楽再生装置１０１の制御部１２０は、このとき属性記憶部３６から、未だ再生してはいない複数の音楽データに対応する複数の属性データのうち、自身が生成した複数の属性データと、音楽提供装置１０４から取得していた複数の属性データとを読み出し、当該読み出した複数の属性データも選定部４０に送出する。
【０７６３】
そして据置型音楽再生装置１０１の制御部１２０は、選定部４０により、１つ前に再生した音楽データに対応する属性データとしての比較基準属性データを、他の複数の属性データとしての複数の比較対象属性データと順次比較する。
【０７６４】
これにより据置型音楽再生装置１０１の制御部１２０は、その比較結果に基づき、自身の据置型音楽再生装置１０１及び音楽提供装置１０４で記憶している複数の音楽データの中から、１つ前の再生音楽との類似度が最も高い１つの音楽の音楽データを再生用に選定して、ステップＳＰ２４に戻る。
【０７６５】
またステップＳＰ３５において否定結果が得られると、このことは例えば、現在、ユーザにより据置側連携再生処理に音楽提供装置１０４及び他の据置型音楽再生装置１０２の何れも利用するようには要望されていないため、据置型音楽再生装置１０１が音楽提供装置１０４及び他の据置型音楽再生装置１０２の何れにも接続されてはいないことを表している。
【０７６６】
据置型音楽再生装置１０１の制御部１２０は、ステップＳＰ３５において、かかる否定結果を得ると、ステップＳＰ３７に移る。
【０７６７】
ステップＳＰ３７において据置型音楽再生装置１０１の制御部１２０は、属性記憶部３６から１つ前に再生した音楽データに対応する属性データを読み出し、当該読み出した属性データを選定部４０に送出する。
【０７６８】
また据置型音楽再生装置１０１の制御部１２０は、このとき属性記憶部３６から、未だ再生してはいない複数の音楽データに対応する複数の属性データのうち、自身が生成した複数の属性データのみを読み出し、当該読み出した複数の属性データも選定部４０に送出する。
【０７６９】
そして据置型音楽再生装置１０１の制御部１２０は、選定部４０により、１つ前に再生した音楽データに対応する属性データとしての比較基準属性データを、他の複数の属性データとしての複数の比較対象属性データと順次比較する。
【０７７０】
これにより据置型音楽再生装置１０１の制御部１２０は、その比較結果に基づき、自身の据置型音楽再生装置１０１で記憶している複数の音楽データの中から、連携利用音楽との類似度が最も高い１つの音楽の音楽データを再生用に選定して、次のステップＳＰ２４に戻る。
【０７７１】
よって据置型音楽再生装置１０１の制御部１２０は、この後、ステップＳＰ１５及びステップＳＰ１６の何れかにおいて肯定結果を得るまでの間、ステップＳＰ２４乃至ステップＳＰ３７の処理を循環的に繰り返し実行して、順次、１つ前の再生音楽との類似度が高い１つの音楽の音楽データを選定して再生する。
【０７７２】
これにより据置型音楽再生装置１０１の制御部１２０は、ユーザに対し、順次、１つ前の再生音楽との類似度が高い音楽を連続的に聴かせる。
【０７７３】
このようにして据置型音楽再生装置１０１の制御部１２０は、ステップＳＰ１６において肯定結果を得ると、ステップＳＰ１９の終了処理を実行した後、次のステップＳＰ３８に移って、据置側連携再生処理手順ＲＴ３を終了する。
【０７７４】
また据置型音楽再生装置１０１の制御部１２０は、ステップＳＰ１５において肯定結果を得ると、ステップＳＰ３８に移って、据置側連携再生処理手順ＲＴ３を終了する。
【０７７５】
このようにして据置型音楽再生装置１０１の制御部１２０は、携帯型音楽再生装置２２の制御部５０と共に実行した第２の連携再生処理手順を全て終了する。
【０７７６】
因みに、他の据置型音楽再生装置１０２は、上述したように据置型音楽再生装置１０１と同様の構成を有している。
【０７７７】
従って他の据置型音楽再生装置１０２も、携帯型音楽再生装置２２が接続されると、据置型音楽再生装置１０１と同様に、据置側連携再生処理手順ＲＴ３を実行することができる。
【０７７８】
（３−３）第２の実施の形態による動作及び効果
以上の構成において、連携再生システム１００では、据置型音楽再生装置１０１が、複数の音楽データと共に、これらに対応する複数の属性データを記憶している音楽提供装置１０４から当該複数の属性データを取得する。
【０７７９】
また据置型音楽再生装置１０１は、複数の音楽データと共に、これらに対応する複数の属性データを記憶している他の据置型音楽再生装置１０２からも当該複数の属性データを取得する。
【０７８０】
この状態で据置型音楽再生装置１０１は、携帯型音楽再生装置２２が接続され、当該接続された携帯型音楽再生装置２２から連携利用属性データが送信されると、その連携利用属性データを受信する。
【０７８１】
据置型音楽再生装置１０１は、連携利用属性データを受信すると、このとき自身の据置型音楽再生装置１０１が音楽提供装置１０４や他の据置型音楽再生装置１０２に接続されているか否かを判別する。
【０７８２】
その結果、据置型音楽再生装置１０１は、音楽提供装置１０４や他の据置型音楽再生装置１０２に接続されていると、連携利用属性データを、自身で生成した複数の属性データ、及びこのとき接続されている音楽提供装置１０４や他の据置型音楽再生装置１０２から取得していた複数の属性データと順次比較する。
【０７８３】
また据置型音楽再生装置１０１は、連携利用属性データと複数の属性データとの比較結果に基づき、自身で記憶している複数の音楽データと、音楽提供装置１０４や他の据置型音楽再生装置１０２で記憶されている複数の音楽データとの中から、連携利用音楽との類似度が高い１つの音楽の音楽データを再生用に選定する。
【０７８４】
そして据置型音楽再生装置１０１は、その再生用に選定した音楽データが音楽提供装置１０４や他の据置型音楽再生装置１０２で記憶されていると、音楽提供装置１０４や他の据置型音楽再生装置１０２を利用して当該音楽データをストリーミング形式で再生して、その音楽データに基づく音楽をユーザに聴かせる。
【０７８５】
従って、据置型音楽再生装置１０１は、携帯型音楽再生装置２２が接続され据置側連携再生処理を実行した場合、音楽提供装置１０４や他の据置型音楽再生装置１０２に接続されていると、自身で記憶している複数の音楽データと共に、音楽提供装置１０４や他の据置型音楽再生装置１０２で記憶されている複数の音楽データも選定可能なものとして用いて、連携利用音楽との類似度が高い音楽の音楽データを再生用に選定して再生することができる。
【０７８６】
すなわち、据置型音楽再生装置１０１は、ユーザに対し、メディアや音楽配信装置を利用して音楽記憶部３３に音楽データを記憶するための操作を繰り返し行わせて当該音楽記憶部３３に多数の音楽データを記憶しなくとも、選定可能な音楽データを容易に増加させて、多数の音楽データの中から連携利用音楽との類似度が高い音楽の音楽データを再生用に選定して再生することができる。
【０７８７】
ところで連携再生システム１００では、音楽提供装置１０４及び他の据置型音楽再生装置１０２のうち少なくとも音楽提供装置１０４が、据置型音楽再生装置１０１のユーザを関与させずに音楽データを記憶している。
【０７８８】
そして据置型音楽再生装置１０１は、このように自身のユーザを何ら関与させずに音楽データを記憶している音楽提供装置１０４を利用して、選定可能な音楽データを増加させている。
【０７８９】
このため据置型音楽再生装置１０１は、連携利用音楽との類似度は高いものの、ユーザが未だ聴いたことのない音楽や、最近聴き始めたばかりで、あまり良くは知らない音楽の音楽データをも再生用に選定して再生することができる。
【０７９０】
よって据置型音楽再生装置１０１は、携帯型音楽再生装置２２が接続された際、据置側連携再生処理を実行してユーザに聴かせる音楽に意外性を持たせて、当該ユーザに対し音楽をより楽しませることができる。
【０７９１】
以上の構成によれば、連携再生システム１００において据置型音楽再生装置１０１は、音楽提供装置１０４や他の据置型音楽再生装置１０２から、これらが記憶している複数の音楽データに対応する複数の属性データを取得し、携帯型音楽再生装置２２が接続され連携利用属性データを受信したときに音楽提供装置１０４や他の据置型音楽再生装置１０２に接続されていると、その連携利用属性データを、自身で生成した複数の属性データ、及びこのとき接続されている音楽提供装置１０４や他の据置型音楽再生装置１０２から取得していた複数の属性データと順次比較するようにして、その比較結果に基づき、自身が記憶している複数の音楽データと、音楽提供装置１０４や他の据置型音楽再生装置１０２で記憶されている複数の音楽データとの中から、連携利用属性データに対応する連携利用音楽との類似度が高い音楽の音楽データを再生用に選定するようにした。
【０７９２】
これにより連携再生システム１００は、上述した第１の実施の形態と同様の効果を得ることができると共に、これに加えて選定可能な音楽データを容易に増加させて、より多くの音楽データの中から連携利用音楽との類似度が高い音楽の音楽データを選定し再生することができる。
【０７９３】
また連携再生システム１００において据置型音楽再生装置１０１は、携帯型音楽再生装置２２が接続されている間、又は携帯型音楽再生装置２２が接続された状態で据置側連携再生処理の終了が指示されるまでの間、音楽提供装置１０４や他の据置型音楽再生装置１０２に接続されていると、自身が記憶している複数の音楽データ、及び当該音楽提供装置１０４や他の据置型音楽再生装置１０２で記憶されている複数の音楽データの中から、連携利用音楽をもとにして、順次１つ前の再生音楽との類似度が高い音楽の音楽データを選定して再生するようにした。
【０７９４】
従って、連携再生システム１００において据置型音楽再生装置１０１は、据置側連携再生処理を実行している間、より多くの音楽の中から順次、雰囲気の似た音楽を聴かせることができる。
【０７９５】
（３−４）他の実施の形態２
（３−４−１）他の実施の形態２−１
なお上述した第２の実施の形態においては、携帯型音楽再生装置２２が据置型音楽再生装置１０１に接続され連携利用音楽信号を送信する際、当該携帯型音楽再生装置２２が連携利用音楽信号を送信し終えると、引き続き連携利用属性データを据置型音楽再生装置１０１に送信するようにして、据置型音楽再生装置１０１が、連携利用音楽信号に引き続き連携利用属性データを受信してから次に再生する音楽データを選定するようにした場合について述べたが、本発明はこれに限らず、携帯型音楽再生装置２２が据置型音楽再生装置１０１に接続され連携利用音楽信号を送信する際、当該携帯型音楽再生装置２２が連携利用音楽信号と共に、又は連携利用音楽信号の送信に先立ち連携利用属性データを据置型音楽再生装置１０１に送信するようにして、据置型音楽再生装置１０１が連携利用属性データを受信し次第、連携利用音楽信号に基づく連携利用音楽を出力しながら次に再生する音楽データを選定するようにしても良い。
【０７９６】
かかる構成の場合、携帯型音楽再生装置２２が連携利用音楽信号の送信の終了を据置型音楽再生装置１０１に通知しても良いし、当該据置型音楽再生装置１０１が連携利用音楽信号の送信の終了を、連携利用音楽が無音になったことで検知しても良い。
【０７９７】
これにより据置型音楽再生装置１０１は、このように通知や検知により連携利用音楽の出力の終了を認識して、当該連携利用音楽を出力しながら再生用に選定していた音楽データの再生を開始することができる。
【０７９８】
かかる構成によれば、据置型音楽再生装置１０１は、携帯型音楽再生装置２２が接続されたときに音楽提供装置１０４や他の据置型音楽再生装置１０２も接続されていることで、連携利用属性データと比較する属性データが増加しても、連携利用音楽の出力が終了してから、次の音楽データの再生を開始するまでの間で比較選定処理に要する時間を極力短くし又は無くして、次の音楽データの再生を迅速に開始することができる。
【０７９９】
そして、かかる構成は、据置型音楽再生装置１０１において据置側連携再生処理を実行している間も適用することができる。
【０８００】
すなわち、据置型音楽再生装置１０１は、据置側連携再生処理を実行している間、例えば、再生用に選定した音楽データの再生を開始する毎に、比較選定処理を開始するようにしても良い。
【０８０１】
かかる構成によれば、据置型音楽再生装置１０１は、据置側連携再生処理を実行した場合、音楽提供装置１０４や他の据置型音楽再生装置１０２に接続されていることで、連携利用属性データと比較する属性データが増加しても、１つの音楽データの再生が終了してから又は再生を停止させてから、次の音楽データの再生を開始するまでの間で比較選定処理に要する時間を極力短くし又は無くして、次の音楽データの再生を迅速に開始することができる。
【０８０２】
（３−４−２）他の実施の形態２−２
また上述した第２の実施の形態においては、据置型音楽再生装置１０１が音楽提供装置１０４や他の据置型音楽再生装置１０２から複数の属性データを取得し、据置側連携再生処理を実行している間、音楽提供装置１０４や他の据置型音楽再生装置１０２に接続されていると、当該音楽提供装置１０４や他の据置型音楽再生装置１０２から取得している複数の属性データを再生用の音楽データの選定に利用するようにした場合について述べたが、本発明はこれに限らず、携帯型音楽再生装置２２が例えば音楽提供装置１０４から複数の属性データを取得し、携帯側連携再生処理を実行している際に音楽提供装置１０４に接続されていると、上述した据置型音楽再生装置１０１と同様に当該音楽提供装置１０４から取得している複数の属性データを再生用の音楽データの選定に利用するようにしても良い。
【０８０３】
かかる構成によれば、携帯型音楽再生装置２２でも、携帯側連携再生処理を実行する際に、選定可能な音楽データを容易に増加させることができる。
【０８０４】
（３−４−３）他の実施の形態２−３
さらに上述した第２の実施の形態においては、据置型音楽再生装置１０１が携帯型音楽再生装置２２の接続に応じて連携利用属性データに対応する連携利用音楽データと同一の音楽データを再生用に選定すると、当該選定した音楽データをその先頭から再生するようにした場合について述べたが、本発明はこれに限らず、据置型音楽再生装置１０１が携帯型音楽再生装置２２の接続に応じて連携利用属性データに対応する連携利用音楽データと同一の音楽データを再生用に選定すると、当該選定した音楽データを、携帯型音楽再生装置２２での再生停止位置から再生し始めるようにしても良い。
【０８０５】
すなわち、据置型音楽再生装置１０１は、これに接続された携帯型音楽再生装置２２から、連携利用音楽データの再生停止位置をタイムコードによって示す再生履歴情報と共に連携利用属性データを取り込み、当該取り込んだ連携利用属性データを複数の属性データと順次比較して再生用の音楽データを選定する。
【０８０６】
そして据置型音楽再生装置１０１は、連携利用属性データに対応する連携利用音楽データと同一の音楽データを再生用に選定したとき、当該選定した音楽データを、再生履歴情報が示す再生停止位置から再生し始めるようにしても良い。
【０８０７】
かかる構成によれば、据置型音楽再生装置１０１は、携帯型音楽再生装置２２が接続されたときに連携利用属性データに対応する連携利用音楽データと同一の音楽データを再生用に選定すると、当該選定した音楽データを、携帯型音楽再生装置２２での再生停止位置から再生し始めることで、ユーザに対し携帯型音楽再生装置２２の前回の使用で途中まで聴かれていた音楽を、その再生を停止していた位置から（すなわち、続きを）聴かせることができる。
【０８０８】
ところで据置型音楽再生装置１０１は、携帯型音楽再生装置２２が接続されたときに連携利用属性データに対応する連携利用音楽データと同一の音楽データを再生用に選定すると、当該選定した音楽データを、先頭及び再生停止位置の何れから再生するのかを予めユーザに選択させて設定するようにしても良い。
【０８０９】
また据置型音楽再生装置１０１は、連携利用音楽データを再生している携帯型音楽再生装置２２が接続されたとき、当該携帯型音楽再生装置２２から連携利用音楽信号の送信に先立って、当該再生中の連携利用音楽データに対する、その接続時点の再生位置をタイムコードで示す再生履歴情報を連携利用属性データと共に取り込む。
【０８１０】
そして据置型音楽再生装置１０１は、このように連携利用音楽データを再生している携帯型音楽再生装置２２が接続された際に、連携利用属性データに対応する連携利用音楽データと同一の音楽データを再生用に選定すると、当該選定した音楽データを再生履歴情報が示す再生位置から再生し始めると共に、携帯型音楽再生装置２２に対し連携利用音楽信号を送信しないように指示するようにしても良い。
【０８１１】
また据置型音楽再生装置１０１は、この際、連携利用属性データに対応する連携利用音楽データとは異なる音楽データを再生用に選定すると、携帯型音楽再生装置２２に対し連携利用音楽信号を送信するようにして指示して、その連携利用音楽の出力の終了に合せて、当該再生用に選定していた音楽データの再生を開始するようにしても良い。
【０８１２】
（３−４−４）他の実施の形態２−４
さらに上述した第２の実施の形態においては、携帯型音楽再生装置２２が音楽データを何ら再生してはいない状態で据置型音楽再生装置１０１に接続されると、連携利用属性データのみを据置型音楽再生装置１０１に送信するようにした場合について述べたが、本発明はこれに限らず、携帯型音楽再生装置２２が音楽データを何ら再生してはいない状態で据置型音楽再生装置１０１に接続されると、再生履歴情報に応じた連携利用属性データ及び連携利用音楽データ（すなわち、携帯型音楽再生装置２２を使用して最後に再生した連携利用音楽データ）を据置型音楽再生装置１０１に送信するようにしても良い。
【０８１３】
そして、かかる構成の場合、据置型音楽再生装置１０１では、これに接続された携帯型音楽再生装置２２から連携利用属性データと共に取り込んだ連携利用音楽データを再生しながら、当該連携利用属性データを複数の属性データと順次比較して次に再生する音楽データを選定するようにしても良い。
【０８１４】
かかる構成によれば、据置型音楽再生装置１０１は、自身や音楽提供装置１０４、他の据置型音楽再生装置１０２で連携利用音楽データと同一の音楽データを記憶してはいなくても、携帯型音楽再生装置２２が接続されたときに、その連携利用音楽データを再生してユーザに対し連携利用音楽を聴かせることができる。
【０８１５】
ところで携帯型音楽再生装置２２は、音楽データを再生する毎に、その音楽データを音楽識別情報ＭＩＤとして示し、かつ当該音楽データの再生を途中で停止させたときにはその再生停止位置をタイムコードによって示す再生履歴情報を記憶しておき、据置型音楽再生装置１０１に接続されたときに再生履歴情報に応じた連携利用属性データ及び連携利用音楽データと共に当該再生履歴情報も据置型音楽再生装置１０１に送信するようにしても良い。
【０８１６】
そして据置型音楽再生装置１０１では、携帯型音楽再生装置２２から送信された連携利用音楽データを、事前設定に応じて先頭と、再生履歴情報が示す前回の再生停止位置との何れから再生し始めるようにしても良い。
【０８１７】
（３−４−５）他の実施の形態２−５
さらに上述した第２の実施の形態においては、携帯型音楽再生装置２２が常時、１つの音楽データを示す再生履歴情報を記憶しておき、据置型音楽再生装置１０１に接続されている間、その再生履歴情報に応じた１つの連携利用属性データのみを送信するようにした場合について述べたが、本発明はこれに限らず、携帯型音楽再生装置２２において順次再生した音楽データそれぞれを音楽識別情報等で示す再生履歴情報を記憶しておき、据置型音楽再生装置１０１に接続されたとき、その再生履歴情報に応じて、例えば、現在に最も近い時点に再生した連携利用音楽データに対応する連携利用属性データを送信し、その据置型音楽再生装置１０１に接続されている間は、当該据置型音楽再生装置１０１からの要求に応じて、順次過去に再生した音楽データに対応する属性データを順番に送信するようにしても良い。
【０８１８】
すなわち、据置型音楽再生装置１０１では、再生用に選定した１つの音楽データの再生を開始する毎に携帯型音楽再生装置２２に対して属性データを要求するようにして、当該携帯型音楽再生装置２２から送信された属性データを、自身で記憶している複数の属性データや音楽提供装置１０４及び他の据置型音楽再生装置１０２から取得していた複数の属性データと順次比較して次に再生する１つの音楽データ（すなわち、再生用に１つの音楽データ）を選定するようにしても良い。
【０８１９】
かかる構成によれば、据置型音楽再生装置１０１は、携帯型音楽再生装置２２が接続されている間、その携帯型音楽再生装置２２を使用してユーザによって順次聴かれた音楽との類似度が高い音楽を順番に聴かせることができる。
【０８２０】
すなわち、据置型音楽再生装置１０１では、携帯型音楽再生装置２２が接続されている間、その携帯型音楽再生装置２２を使用して聴かれていた複数の音楽の傾向（すなわち、ユーザの嗜好）を反映させて、より多くの音楽データの中から順次音楽データを再生用に選定し、当該選定した音楽データに基づく音楽を聴かせることができる。
【０８２１】
（３−４−６）他の実施の形態２−６
さらに上述した第２の実施の形態においては、据置型音楽再生装置１０１が据置側連携再生処理を実行した際、自身の記憶している複数の音楽データ、及び音楽提供装置１０４や他の据置型音楽再生装置１０２で記憶されている複数の音楽データの中から順次音楽データを再生用に選定して再生するようにした場合について述べたが、本発明はこれに限らず、据置型音楽再生装置１０１が据置側連携再生処理を実行した際、再生用に選定した１の音楽データが、自身や音楽提供装置１０４、他の据置型音楽再生装置１０２の少なくとも２つの装置で記憶されていると、これら少なくとも２つの装置で記憶されている同一の音楽データについてビットレートやサンプリングレート等の情報をもとに、より高音質な音楽の音楽データを最終的に選定し、当該最終的に選定した音楽データを再生するようにしても良い。
【０８２２】
かかる構成によれば、据置型音楽再生装置１０１は、携帯型音楽再生装置２２が接続されている間、順次音楽データを選定するものの、その音楽データに基づく音楽として、より高音質な音楽をユーザに聴かせることができる。
【０８２３】
（３−４−７）他の実施の形態２−７
さらに上述した第２の実施の形態においては、据置型音楽再生装置１０１が据置側連携再生処理の実行中、自身の記憶している複数の音楽データ、及び音楽提供装置１０４や他の据置型音楽再生装置１０２で記憶されている複数の音楽データの中から順次音楽データを再生用に選定して、当該再生用に選定した音楽データを自身で再生するようにした場合について述べたが、本発明はこれに限らず、据置型音楽再生装置１０１が据置側連携再生処理の実行中、自身の記憶している複数の音楽データ、及び音楽提供装置１０４や他の据置型音楽再生装置１０２で記憶されている複数の音楽データの中から順次音楽データを再生用に選定し、当該再生用に選定した音楽データを自身で記憶していると、その音楽データを復号処理して又はさらにデジタルアナログ変換処理して携帯型音楽再生装置２２に送信し、また選定した音楽データが音楽提供装置１０４や他の据置型音楽再生装置１０２で記憶されていると、当該音楽提供装置１０４や他の据置型音楽再生装置１０２から送信された音楽データをそのまま、又はさらにデジタルアナログ変換処理して携帯型音楽再生装置２２に送信することにより、当該携帯型音楽再生装置２２において据置型音楽再生装置１０１から送信された音楽データ又は音楽信号を受信しながら音楽として出力させるようにしても良い。
【０８２４】
ところで、かかる構成の場合、据置型音楽再生装置１０１は、携帯型音楽再生装置２２が接続されると、その携帯型音楽再生装置２２から連携利用属性データと共に、当該携帯型音楽再生装置２２で記憶している複数の音楽データに対応する音楽関連情報（又は、ビットレートやサンプリングレート等の情報を含む属性データ）も取り込む。
【０８２５】
そして据置型音楽再生装置１０１は、音楽データを再生用に選定したとき、音楽関連情報（又は、属性データ）を用いて、当該選定した音楽データを携帯型音楽再生装置２２でも記憶しているか否かを判別する。
【０８２６】
その結果、据置型音楽再生装置１０１は、再生用に選定した音楽データを携帯型音楽再生装置２２でも記憶していると、例えば、音楽関連情報（又は、属性データ）に含まれるビットレートやサンプリングレート等に基づき、自身や音楽提供装置１０４、他の据置型音楽再生装置１０２で記憶している当該音楽データと、携帯型音楽再生装置２２の記憶している同じ音楽データとのうち、より高音質な音楽の音楽データを判別する。
【０８２７】
そして据置型音楽再生装置１０１は、携帯型音楽再生装置２２が記憶している音楽データに基づく音楽もよりも、自身や音楽提供装置１０４、他の据置型音楽再生装置１０２で記憶している同じ音楽データに基づく音楽の方が高音質であると、上述したように当該音楽データをデジタル又はアナログの形式で携帯型音楽再生装置２２に送信する。
【０８２８】
これに対して、据置型音楽再生装置１０１は、携帯型音楽再生装置２２が記憶している音楽データに基づく音楽の音質が、自身や音楽提供装置１０４、他の据置型音楽再生装置１０２で記憶している音楽データに基づく音楽の音質以上であると、携帯型音楽再生装置２２に対し、その音楽データを再生するように指示して再生させるようにしても良い。
【０８２９】
かかる構成によれば、据置型音楽再生装置１０１は、携帯型音楽再生装置２２が接続されている間、順次音楽データを再生用に選定するものの、その音楽データに基づく音楽として、より高音質な音楽をユーザに聴かせることができる。
【０８３０】
（３−４−８）他の実施の形態２−８
さらに上述した第２の実施の形態においては、据置型音楽再生装置１０１において据置側連携再生処理の実行中、自身の記憶している複数の音楽データの中から順次音楽データを再生用に選定するようにした場合について述べたが、本発明はこれに限らず、据置型音楽再生装置１０１において携帯型音楽再生装置２２が接続されたときに当該携帯型音楽再生装置２２から連携利用属性データと共に他の複数の属性データも取り込み、据置側連携再生処理の実行中、自身、携帯型音楽再生装置２２、音楽提供装置１０４及び他の据置型音楽再生装置１０２で記憶している複数の音楽データの中から順次音楽データを再生用に選定するようにしても良い。
【０８３１】
そして据置型音楽再生装置１０１は、例えばユーザ操作による事前設定に応じて、その再生用に選定した音楽データを自身が再生するように設定しており、当該再生用に選定した音楽データが携帯型音楽再生装置２２で記憶されていると、当該携帯型音楽再生装置２２から、その音楽データを復号処理してデジタルのまま送信させてストリーミング再生し、又は当該デジタルの音楽データを再生処理させてアナログの音楽信号として送信させながらスピーカから音楽を出力させる。
【０８３２】
また据置型音楽再生装置１０１は、例えばユーザ操作による事前設定に応じて、その再生用に選定した音楽データを携帯型音楽再生装置２２で再生するように設定しており、当該再生用に選定した音楽データを自身や音楽提供装置１０４、他の据置型音楽再生装置１０２で記憶していると、その再生用に選定した音楽データを上述と同様にデジタル又はアナログの形式で携帯型音楽再生装置２２に送信する。
【０８３３】
さらに据置型音楽再生装置１０１は、例えばユーザ操作による事前設定に応じて、その再生用に選定した音楽データを携帯型音楽再生装置２２で再生するように設定しており、当該再生用に選定した音楽データが携帯型音楽再生装置２２で記憶されていると、携帯型音楽再生装置２２に対し、その音楽データを再生するように指示するようにしても良い。
【０８３４】
ところで、再生用に選定した音楽データを自身や携帯型音楽再生装置２２、音楽提供装置１０４、他の据置型音楽再生装置１０２でぞれぞれ記憶している場合、互いの音楽データに基づく音楽の音質を上述と同様に比較し、その比較結果に応じて、より高音質な音楽の音楽データを、自身又は携帯型音楽再生装置２２で再生するようにしても良い。
【０８３５】
（３−４−９）他の実施の形態２−９
さらに上述した第２の実施の形態においては、据置型音楽再生装置１０１において携帯型音楽再生装置２２が接続されると、連携利用属性データをもとに、自身が再生する音楽データを順次選定して、当該選定した音楽データを再生するようにした場合について述べたが、本発明はこれに限らず、据置型音楽再生装置１０１において携帯型音楽再生装置２２が接続されると、例えば、選定部４０によって連携利用属性データを、自身、携帯型音楽再生装置２２、音楽提供装置１０４及び又は他の据置型音楽再生装置１０２が記憶する複数の属性データと順次比較するようにして、その比較結果に基づき、連携利用音楽との類似度が最も高い音楽の音楽データから、順次類似度の低い所定数の音楽の音楽データまでを再生用に選定し、プレイリスト生成部３８により、当該選定部４０によって再生用に選定された複数の音楽データを登録したプレイリストを生成するようにしても良い。
【０８３６】
そして据置型音楽再生装置１０１は、携帯型音楽再生装置２２が接続されている間、又は外されてから、そのプレイリストに従って音楽データを再生するようにしても良い。
【０８３７】
また据置型音楽再生装置１０１は、そのプレイリストを携帯型音楽再生装置２２に送信して、その携帯型音楽再生装置２２が据置型音楽再生装置に接続されている間又は外されてから、当該携帯型音楽再生装置２２に対し、そのプレイリストに従って音楽データを再生させるようにしても良い。
【０８３８】
ところで、据置型音楽再生装置１０１は、かかるプレイリストを携帯型音楽再生装置２２に送信する場合、当該プレイリストに対し携帯側未記憶音楽データを登録していると、その携帯側未記憶音楽データ（自身が記憶している、又は音楽提供装置１０４や他の据置型音楽再生装置１０２で記憶している）をプレイリストと共に携帯型音楽再生装置２２に送信するようにしても良い。
【０８３９】
因みに、据置型音楽再生装置１０１は、同じ携帯側未記憶音楽データを自身や音楽提供装置１０４、他の据置型音楽再生装置１０２の少なくとも２つの装置で記憶していると、より高音質な音楽の携帯側未記憶音楽データを携帯型音楽再生装置２２に送信するようにしても良い。
【０８４０】
これに対して携帯型音楽再生装置２２は、据置型音楽再生装置１０１から携帯側未記憶音楽データが登録されたプレイリストのみを取得し、当該据置型音楽再生装置１０１に接続されたまま、そのプレイリストに従って順次音楽データを再生するような場合には、当該プレイリストに従い携帯側未記憶音楽データを再生するとき、その携帯側未記憶音楽データを据置型音楽再生装置１０１に要求する。
【０８４１】
その結果、携帯型音楽再生装置２２は、据置型音楽再生装置１０１から送信されるデジタルの携帯側未記憶音楽データをストリーミング再生し、又は据置型音楽再生装置１０１から携帯側未記憶音楽データを再生処理して送信された音楽信号を受信しながら、その音楽信号に基づく音楽を出力するようにしても良い。
【０８４２】
かかる構成によれば、据置型音楽再生装置１０１に対し携帯型音楽再生装置２２を接続するだけで何ら特別な操作をさせることなく、当該据置型音楽再生装置１０１を携帯型音楽再生装置２２と連携させて、その据置型音楽再生装置１０１により、携帯型音楽再生装置２２で最後に再生された連携利用音楽データに基づく連携利用音楽との類似度が高い複数の音楽の音楽データを再生用に選定してプレイリストを生成することができる。
【０８４３】
よって、かかる構成によれば、据置型音楽再生装置１０１を、携帯型音楽再生装置２２と連携させたプレイリストを利用する音楽データの再生に対し容易に使用させることができる。
【０８４４】
（３−４−１０）他の実施の形態２−１０
さらに上述した第２の実施の形態においては、据置型音楽再生装置１０１において据置側連携再生処理の実行中、選定部４０により、比較基準属性データと、複数の比較対象属性データとにおいて全ての比較項目の項目内容を比較し、その比較結果に基づき１つ前の再生音楽との類似度が高い音楽の音楽データを再生用に選定するようにした場合について述べたが、本発明はこれに限らず、据置型音楽再生装置１０１において、例えばユーザに対し、比較基準属性データと複数の比較対象属性データとの比較に利用する比較項目を任意に選定させておき（すなわち、全ての比較項目よりも少ない比較項目を選定させておき）、据置側連携再生処理の実行中、選定部４０により、比較基準属性データと複数の比較対象属性データとにおいて、選定された比較項目の項目内容を比較し、項目内容の一致した比較対象属性データが存在するときには、項目一致数を類似度として用いて１つ前の再生音楽との類似度が高い音楽の音楽データを再生用に選定し、項目内容の一致した比較対象属性データが存在しないときには、比較基準属性データと複数の比較対象属性データとの比較に利用する比較項目を増やして項目内容を比較し直すようにしても良い。
【０８４５】
かかる構成によれば、据置型音楽再生装置１０１では、比較基準属性データと複数の比較対象属性データとにおいて、選定された比較項目の項目内容だけを比較するようにして、１つ前の再生音楽との類似度が高い音楽の音楽データを再生用に選定し得る場合、当該比較基準属性データと複数の比較対象属性データとで比較する項目内容の数を減らしている分、選定部４０による比較選定処理の処理負荷を低減させることができる。
【０８４６】
また据置型音楽再生装置１０１は、音楽データを再生用に選定する際、比較基準属性データを、自身の生成した複数の属性データとしての複数の比較対象属性データと制限した比較項目又は何ら制限しない比較項目で比較し、項目内容の一致した比較対象属性データが存在しないときには、比較基準属性データを、音楽提供装置１０４や他の据置型音楽再生装置１０２から取得していた複数の属性データとしての複数の比較対象属性データと制限した比較項目又は何ら制限しない比較項目で比較し直すようにしても良い。
【０８４７】
（３−４−１１）他の実施の形態２−１１
さらに上述した第２の実施の形態においては、据置型音楽再生装置１０１が、これに接続された携帯型音楽再生装置２２に音楽データを転送して記憶させるようにした場合について述べたが、本発明はこれに限らず、据置型音楽再生装置１０１が、これに接続された携帯型音楽再生装置２２から、当該携帯型音楽再生装置２２の記憶している音楽データに対応する属性データ（又は、音楽関連情報）を取り込んで、自身が記憶している属性データ（又は、音楽関連情報）と比較することにより、その携帯型音楽再生装置２２では記憶してはいるものの、自身では記憶していない音楽データを検出し、当該携帯型音楽再生装置２２から、検出した音楽データをデジタル又はアナログの形式で取り込んでデジタルの形式のまま又はデジタルアナログ変換して記憶するようにしても良い。
【０８４８】
（３−４−１２）他の実施の形態２−１２
さらに上述した第２の実施の形態においては、据置型音楽再生装置１０１が携帯型音楽再生装置２２の接続により再生用の音楽データを選定するようにした場合について述べたが、本発明はこれに限らず、携帯型音楽再生装置２２が据置型音楽再生装置１０１から複数の属性データを取得しておき、据置型音楽再生装置１０１に接続されている間、又は何ら接続されてはいない状態で音楽データを再生する毎に、当該再生した音楽データに対応する属性データを、当該据置型音楽再生装置１０１から取得していた複数の属性データと比較するようにして、その比較結果に基づき、次に再生する音楽データを選定し、据置型音楽再生装置１０１から当該選定した音楽データをデジタル又はアナログの形式で取り込んで音楽として出力するようにしても良い。
【０８４９】
（３−４−１３）他の実施の形態２−１３
さらに上述した第２の実施の形態においては、据置型音楽再生装置１０１において携帯型音楽再生装置２２が接続されたとき互いに音楽データを再生していても、選定部４０により、連携利用属性データを、自身の記憶する複数の属性データと順次比較するようにして、その結果に基づき連携利用音楽との類似度が高い音楽の音楽データを再生用に選定するようにした場合について述べたが、本発明はこれに限らず、据置型音楽再生装置１０１において、自身、音楽提供装置１０４及び他の据置型音楽再生装置１０２で記憶している複数の音楽データをもとに生成された共演アーティストリストを例えば属性記憶部３６に記憶しておき、携帯型音楽再生装置２２が接続されたとき互いに音楽データを再生していると、選定部４０により、連携利用属性データ、及び据置型音楽再生装置１０１で再生していた据置側再生音楽データに対応する属性データと共に、共演アーティストリストを用いて、当該据置側再生音楽データ基づく据置側再生音楽のアーティストと、連携利用音楽のアーティストとが共演して奏でた共演音楽の共演音楽データを自身、音楽提供装置１０４又は他の据置型音楽再生装置１０２が記憶しているか否かを判別し、その共演音楽データを自身、音楽提供装置１０４又は他の据置型音楽再生装置１０２が記憶していると、その共演音楽データを再生用に選定（すなわち、連携利用音楽との類似度が高い音楽の音楽データとして選定）するようにしても良い。
【０８５０】
ところで、かかる構成の場合、据置型音楽再生装置１０１では、上述した携帯型音楽再生装置２２と同様に再生履歴記憶部を設け、当該携帯型音楽再生装置２２が接続されてはいない状態で音楽データの再生を開始する毎に、その音楽データを示す再生履歴情報を記憶しておく。
【０８５１】
そして、据置型音楽再生装置１０１は、音楽データを再生してはいない状態で携帯型音楽再生装置２２が接続されると、再生履歴情報が示す音楽データを据置側再生音楽データとして、その接続時点の携帯型音楽再生装置２２による音楽データの再生の有無にかかわらずに、上述と同様に連携利用属性データ及び据置側再生音楽データに対応する属性データと共に共演アーティストリストを用いて、据置側再生音楽のアーティストと、連携利用音楽のアーティストとが共演して奏でた共演音楽の共演音楽データを自身、音楽提供装置１０４又は他の据置型音楽再生装置１０２が記憶しているか否かを判別する。
【０８５２】
その結果、据置型音楽再生装置１０１は、据置側再生音楽のアーティストと、連携利用音楽のアーティストとが共演して奏でた共演音楽の共演音楽データを自身、音楽提供装置１０４又は他の据置型音楽再生装置１０２が記憶していると、その共演音楽データを再生用に選定（すなわち、連携利用音楽との類似度が高い音楽の音楽データとして選定）するようにしても良い。
【０８５３】
かかる構成によれば、据置型音楽再生装置１０１において携帯型音楽再生装置２２が接続されたとき、単に連携利用音楽との類似度が高い音楽を聴かせるだけでなく、据置側再生音楽のアーティストと、連携利用音楽のアーティストとが共演して奏でた共演音楽をも聴かせて楽しませることができる。
【０８５４】
（４）第３の実施の形態
図２３は、図１について上述した本発明による連携再生システム１を適用し、コンテンツデータとしての音楽データを扱う第３の実施の形態による連携再生システム２００を示す。
【０８５５】
かかる連携再生システム２００は、図１について上述した本発明によるコンテンツ選定装置３を適用し、音楽データの再生機能を有するオーディオコンポーネント構成の例えば２台の据置型音楽再生装置２０１及び２０２を有している。
【０８５６】
そして連携再生システム２００は、これら２台の据置型音楽再生装置２０１及び２０２同士を、例えば、無線又は有線で構築されるＬＡＮを介して接続し得るようになされている。
【０８５７】
また連携再生システム２００は、これら２台の据置型音楽再生装置２０１及び２０２の何れに対しも、図１について上述したコンテンツ再生装置２を適用した携帯型音楽再生装置２０３を、ＵＳＢ（Universal Serial Bus）規格やＤＭ（Digital Media ）ＰＯＲＴ規格、Ｂｌｕｅｔｏｏｔｈ規格等に準じて有線又は無線で接続し得るようになされている。
【０８５８】
さらに連携再生システム２００は、これら２台の据置型音楽再生装置２０１をインターネット２０４を介して、サーバ構成の音楽提供装置２０５と通信させ得るようにもなされている。
【０８５９】
次いで、図２４を用いて据置型音楽再生装置２０１及び２０２のハードウェア回路ブロックによるハードウェア回路構成について説明する。
【０８６０】
ただし据置型音楽再生装置２０１及び２０２は、同様の構成を有することにより、以下には、１つの据置型音楽再生装置２０１のハードウェア構成についてのみ説明し、他の据置型音楽再生装置２０２のハードウェア構成については説明を省略する。
【０８６１】
据置型音楽再生装置２０１は、筐体表面やリモートコントローラ（図示せず）に設けられた各種操作キーでなる操作入力部２１０がユーザにより操作されると、当該操作入力部２１０でこれを認識し、その操作に応じた操作入力信号を入力処理部２１１に送出する。
【０８６２】
入力処理部２１１は、供給される操作入力信号に対して所定の処理を施すことにより、当該操作入力信号を操作コマンドに変換しバス２１２を介して中央処理ユニット（CPU:Central Processing Unit ）２１３に送出する。
【０８６３】
中央処理ユニット２１３は、ＲＯＭ（Read Only Memory）２１４又はハードディスクドライブ（HDD:Hard Disc Drive ）２１５に予め記憶された基本プログラムやアプリケーションプログラム等の各種プログラムを、バス２１２を介してＲＡＭ（Random Access Memory）２１６に読み出す。
【０８６４】
そして中央処理ユニット２１３は、ＲＡＭ２１６上で展開した各種プログラムに従って全体を制御すると共に、所定の演算処理や、入力処理部２１１から与えられる操作コマンドに応じた各種処理を実行する。
【０８６５】
これにより中央処理ユニット２１３は、ユーザにより操作入力部２１０を介して、音楽データを録音するための操作入力信号が入力されると、メディアドライブ２１７によりＣＤ等のメディアから音楽データを読み出してデータ処理回路２１８に送出する。
【０８６６】
データ処理回路２１８は、メディアドライブ２１７から与えられた音楽データをそのまま、又は圧縮符号化してハードディスクドライブ２１５に送出しハードディスクに記憶する。
【０８６７】
このとき中央処理ユニット２１３は、ネットワーク通信処理部２１９及びネットワークインタフェース２２０を順次介してインターネット２０４上の関連情報提供装置（図示せず）にアクセスして、メディアから録音する音楽データ毎の音楽関連情報を要求する。
【０８６８】
その結果、中央処理ユニット２１３は、関連情報提供装置から音楽関連情報が送信されると、その音楽関連情報をネットワークインタフェース２２０及びネットワーク通信処理部２１９で受信して取り込む。
【０８６９】
そして中央処理ユニット２１３は、音楽関連情報をハードディスクドライブ２１５に送出することにより、ハードディスクに対し音楽関連情報を音楽データに対応付けて記憶する。
【０８７０】
また中央処理ユニット２１３は、ユーザにより操作入力部２１０を介して所望の音楽データを購入するための操作入力信号が入力されると、ネットワーク通信処理部２１９及びネットワークインタフェース２２０を順次介してインターネット２０４上の音楽配信装置（図示せず）にアクセスして音楽データの購入を要求する。
【０８７１】
その結果、中央処理ユニット２１３は、音楽配信装置から音楽データ及び音楽関連情報がインターネット２０４を介して送信されると、その音楽データ及び音楽関連情報をネットワークインタフェース２２０及びネットワーク通信処理部２１９で受信して取り込む。
【０８７２】
そして中央処理ユニット２１３は、かかる音楽データ及び音楽関連情報をハードディスクドライブ２１５に送出することにより、ハードディスクに対し、これら音楽データと音楽関連情報とを対応付けて記憶する。
【０８７３】
このようにして中央処理ユニット２１３は、メディアや音楽配信装置を利用して上述したような種々のデータフォーマットの複数の音楽データをハードディスクに記憶し得るようになされている。
【０８７４】
さらに中央処理ユニット２１３は、ユーザにより操作入力部２１０を介してハードディスクドライブ２１５内の音楽データが指定され、当該音楽データを再生するための操作入力信号が入力されると、ハードディスクドライブ２１５から、指定された音楽データを読み出す。
【０８７５】
そして中央処理ユニット２１３は、その音楽データをデータ処理回路２１８に送出する。この際、データ処理回路２１８は、音楽データに対し復号処理、デジタルアナログ変換処理及び増幅処理等の再生処理を施し、得られた音楽信号をスピーカ２２１に送出する。
【０８７６】
このようにして中央処理ユニット２１３は、スピーカ２２１から音楽信号に基づく音楽を出力してユーザに聴かせることができる。
【０８７７】
さらに中央処理ユニット２１３は、ユーザにより操作入力部２１０を介して、メディアから音楽データを再生するための操作入力信号が入力されると、メディアドライブ２１７によりメディアから音楽データを読み出してデータ処理回路２１８に送出する。
【０８７８】
データ処理回路２１８は、この際、音楽データに対し例えばデジタルアナログ変換処理及び増幅処理等の出力処理を施し、得られた音楽信号をスピーカ２２１に送出する。
【０８７９】
このようにして中央処理ユニット２１３は、スピーカ２２１から音楽信号に基づく音楽を出力してユーザに聴かせることができる。
【０８８０】
さらに中央処理ユニット２１３は、据置型音楽再生装置２０１に対し携帯型音楽再生装置２０３が接続されると、外部装置インタフェース２２２を介して当該携帯型音楽再生装置２０３と通信する。
【０８８１】
この状態で中央処理ユニット２１３は、ユーザにより操作入力部２１０を介してハードディスクドライブ２１５内の音楽データが指定され、当該音楽データを携帯型音楽再生装置２０３に転送するための操作入力信号が入力されると、ハードディスクドライブ２１５から、指定された音楽データを対応する音楽関連情報と共に読み出す。
【０８８２】
そして中央処理ユニット２１３は、そのハードディスクドライブ２１５から読み出した音楽データ及び音楽関連情報を外部装置インタフェース２２２により携帯型音楽再生装置２０３に転送して当該携帯型音楽再生装置２０３に、転送した音楽データ及び音楽関連情報を記憶させる。
【０８８３】
また中央処理ユニット２１３は、ユーザにより操作入力部２１０を介して音楽提供装置２０５を利用した所望の音楽データの再生が要求されると、再生要求信号をネットワーク通信処理部２１９及びネットワークインタフェース２２０を順次介してインターネット２０４経由で音楽提供装置２０５に送信する。
【０８８４】
その結果、中央処理ユニット２１３は、音楽提供装置２０５から復号処理された音楽データがインターネット２０４経由で送信されると、その音楽データをネットワークインタフェース２２０及びネットワーク通信処理部２１９で受信しながらデータ処理回路２１８に送出する。
【０８８５】
この際、データ処理回路２１８は、その音楽データに対しデジタルアナログ変換処理及び増幅処理等の出力処理を施し、得られた音楽信号をスピーカ２２１に送出する。
【０８８６】
このようにして中央処理ユニット２１３は、音楽提供装置２０５から送信される音楽データをストリーミング形式で再生しスピーカ２２１から音楽として出力してユーザに聴かせることができる。
【０８８７】
さらに中央処理ユニット２１３は、各種プログラムの実行結果（例えば、音楽データの録音、再生及び転送等）に応じた画面データを生成し、当該生成した画面データを、表示処理部２２３を介してディスプレイ２２４に送出する。
【０８８８】
これにより中央処理ユニット２１３は、ディスプレイ２２４に対し各種プログラムの実行結果に応じた画面を表示する。
【０８８９】
このようにして中央処理ユニット２１３は、ディスプレイ２２４を介して、音楽データの録音、再生及び転送等に関する各種画面をユーザに視認させることができる。
【０８９０】
ところで中央処理ユニット２１３は、据置型音楽再生装置２０１に対し携帯型音楽再生装置２０３が接続されると、当該携帯型音楽再生装置２０３から、これに記憶されている複数の音楽データに対応する音楽関連情報を、外部装置インタフェース２２２を介して取り込む。
【０８９１】
そして中央処理ユニット２１３は、その音楽関連情報に基づき、表示処理部２２３を介してディスプレイ２２４に対し、携帯型音楽再生装置２０３に記憶されている複数の音楽データに対応する例えば音楽タイトルを一覧表する。
【０８９２】
この状態で中央処理ユニット２１３は、ユーザにより操作入力部２１０を介してディスプレイ２２４の表示画面上で携帯型音楽再生装置２０３内の音楽データが音楽タイトルとして指定され、当該音楽データを再生するための操作入力信号が入力されると、携帯型音楽再生装置２０３から、その指定された音楽データをデジタル又はアナログ形式で外部装置インタフェース２２を介して取り込んでデータ処理回路２１８に送出する。
【０８９３】
この際、データ処理回路２１８は、デジタル形式の音楽データに対し再生処理を施し、その結果得られた音楽信号をスピーカ２２１に送出し、又はアナログ形式の音楽信号に増幅処理等を施してスピーカ２２１に送出する。
【０８９４】
このようにして中央処理ユニット２１３は、携帯型音楽再生装置２０３で記憶されている音楽データをスピーカ２２１から音楽として出力してユーザに聴かせることができる。
【０８９５】
次いで、図２５を用いて、携帯型音楽再生装置２０３のハードウェア回路ブロックによるハードウェア回路構成について説明する。
【０８９６】
かかる携帯型音楽再生装置２０３は、筐体表面に設けられた各種操作キーでなる操作入力部２３０がユーザにより操作されると、当該操作入力部２３０でこれを認識し、その操作に応じた操作入力信号を入力処理部２３１に送出する。
【０８９７】
入力処理部２３１は、供給される操作入力信号に対して所定の処理を施すことにより、当該操作入力信号を操作コマンドに変換しバス２３２を介して中央処理ユニット２３３に送出する。
【０８９８】
中央処理ユニット２３３は、ＲＯＭ２３４、又は半導体メモリやハードディスクドライブでなる記憶部２３６に予め記憶された基本プログラムやアプリケーションプログラム等の各種プログラムを、バス２３２を介してＲＡＭ２３５に読み出す。
【０８９９】
そして中央処理ユニット２３３は、ＲＡＭ２３５上で展開した各種プログラムに従って全体を制御すると共に、所定の演算処理や、入力処理部２３１から与えられる操作コマンドに応じた各種処理を実行する。
【０９００】
これにより中央処理ユニット２３３は、ユーザにより操作入力部２３０を介して所望の音楽データを購入するための操作入力信号が入力されると、送受信回路２３７及びアンテナ２３８を順次介して例えば、最寄りのアクセスポイント経由でインターネット２０４上の音楽配信装置（図示せず）にアクセスして音楽データの購入を要求する。
【０９０１】
その結果、中央処理ユニット２３３は、音楽配信装置から音楽データ及び音楽関連情報がインターネット２０４及び最寄りのアクセスポイントを順次介して送信されると、その音楽データ及び音楽関連情報をアンテナ２３８及び送受信回路２３７で受信して取り込む。
【０９０２】
そして中央処理ユニット２３３は、その音楽データ及び音楽関連情報を記憶部２３６に送出することにより、当該記憶部２３６に対し、これら音楽データと音楽関連情報とを対応付けて記憶する。
【０９０３】
また中央処理ユニット２３３は、携帯型音楽再生装置２０３が据置型音楽再生装置２０１及び２０２に接続されると、外部装置インタフェース２３９を介して据置型音楽再生装置２０１及び２０２と通信する。
【０９０４】
この状態て中央処理ユニット２３３は、据置型音楽再生装置２０１及び２０２から音楽データ及び音楽関連情報が転送されると、これら音楽データ及び音楽関連情報を、外部装置インタフェース２３９を介して取り込む。
【０９０５】
そして中央処理ユニット２３３は、かかる音楽データ及び音楽関連情報を記憶部２３６に送出することにより、当該記憶部２３６に対し、これら音楽データ及音楽関連情報を対応付けて記憶する。
【０９０６】
このようにして中央処理ユニット２３３は、内部の記憶部２３６に対し、複数の音楽データを記憶することができる。
【０９０７】
さらに中央処理ユニット２３３は、ユーザにより操作入力部２３０を介して記憶部２３６内の音楽データが指定され、当該音楽データを再生するための操作入力信号が入力されると、記憶部２３６から、指定された音楽データを読み出す。
【０９０８】
そして中央処理ユニット２３３は、その音楽データをデータ処理回路２４０に送出する。この際、データ処理回路２４０は、音楽データに対し復号処理、デジタルアナログ変換処理及び増幅処理等の再生処理を施し、得られた音楽信号をヘッドホン２４１に送出する。
【０９０９】
このようにして中央処理ユニット２３３は、ヘッドホン２４１から音楽信号に基づく音楽を出力してユーザに聴かせることができる。
【０９１０】
さらに中央処理ユニット２３３は、携帯型音楽再生装置２０３が据置型音楽再生装置２０１及び２０２に接続されると、記憶部２３６から複数の音楽関連情報を読み出すと共に、当該読み出した音楽関連情報を、外部装置インタフェース２３９を介して据置型音楽再生装置２０１及び２０２に送信する。
【０９１１】
その結果、中央処理ユニット２３３は、据置型音楽再生装置２０１及び２０２から音楽データの再生が要求されると、記憶部２３６から、据置型音楽再生装置２０１及び２０２で指定された音楽データを読み出す。
【０９１２】
そして中央処理ユニット２３３は、その音楽データをそのまま、又はデータ処理回路２４０において復号処理及びデジタルアナログ変換処理を施してアナログ形式で、外部装置インタフェース２３９により据置型音楽再生装置２０１及び２０２に送信する。
【０９１３】
さらに中央処理ユニット２３３は、各種プログラムの実行結果（例えば、音楽データの購入及び再生等）に応じた画面データを生成し、当該生成した画面データを、表示処理部２４２を介してディスプレイ２４３に送出する。
【０９１４】
これにより中央処理ユニット２３３は、ディスプレイ２４３に対し各種プログラムの実行結果に応じた画面を表示する。
【０９１５】
このようにして中央処理ユニット２３３は、ディスプレイ２４３を介して、音楽データの購入及び再生等に関する各種画面をユーザに視認させることができる。
【０９１６】
次いで、図２６を用いて音楽提供装置２０５のハードウェア回路ブロックによるハードウェア回路構成について説明する。
【０９１７】
音楽提供装置２０５において中央処理ユニット２５０は、ＲＯＭ２５１又はハードディスクドライブ２５２に予め記憶されている基本プログラムやアプリケーションプログラム等の各種プログラムをバス２５３を介してＲＡＭ２５４に読み出す。
【０９１８】
そして中央処理ユニット２５０は、ＲＡＭ２５４上で展開した各種プログラムに従って全体を制御すると共に各種処理を実行する。
【０９１９】
これにより中央処理ユニット２５０は、外部から提供用として種々のデータフォーマットの音楽データが、当該音楽データに対応する音楽関連情報と共に供給されると、その音楽データと対応する音楽関連情報とを、取込インタフェース２５５を介して取り込む。
【０９２０】
そして中央処理ユニット２５０は、その音楽データ及び音楽関連情報をハードディスクドライブ２５２に送出することにより、ハードディスクに対し、当該音楽データ及び音楽関連情報を対応付けて記憶する。
【０９２１】
また中央処理ユニット２５０は、据置型音楽再生装置１０１及び１０２から再生要求信号がインターネット２０４経由で送信されると、その再生要求信号をネットワークインタフェース２５６及びネットワーク通信処理部２５７によって受信して取り込む。
【０９２２】
中央処理ユニット２５０は、このように再生要求信号を取り込むと、ハードディスクドライブ２５２から、再生要求された音楽データを読み出すと共に、その音楽データを復号処理しながらネットワーク通信処理部２５７及びネットワークインタフェース２５６を順次介してインターネット２０４経由で据置型音楽再生装置１０１及び１０２に送信する。
【０９２３】
このようにして中央処理ユニット２５０は、据置型音楽再生装置１０１及び１０２に対し、その復号処理した音楽データを受信させながらデジタルアナログ変換処理及び増幅処理等のように出力処理させて音楽として出力させる（すなわち、音楽データをストリーミング形式で再生させる）。
【０９２４】
ところで据置型音楽再生装置２０１及び２０２は、上述したように基本的には中央処理ユニット２１３がＲＯＭ２１４又はハードディスクドライブ２１５に記憶された各種プログラムに従って各種処理を実行すると共に各ハードウェアを制御している。
【０９２５】
よって据置型音楽再生装置２０１及び２０２では、図３について上述した機能回路ブロックによるハードウェア回路構成の据置型音楽再生装置２１の機能に応じて、ＲＯＭ２１４又はハードディスクドライブ２１５に記憶させる各種プログラムを適宜選定する。
【０９２６】
すなわち、据置型音楽再生装置２０１及び２０２では、ＲＯＭ２１４又はハードディスクドライブ２１５に記憶させる各種プログラムを、上述した据置側連携再生処理手順ＲＴ１を実行させるための音楽選定プログラムのように適宜選定する。
【０９２７】
これにより据置型音楽再生装置２０１及び２０２は、図３について上述した据置型音楽再生装置２１と同様に機能することができる。
【０９２８】
実際に据置型音楽再生装置２０１及び２０２では、中央処理ユニット２１３を、上述した制御部３０、解析部３５、プレイリスト生成部３８及び選定部４０と同様に機能させることができる。
【０９２９】
また据置型音楽再生装置２０１及び２０２では、操作入力部２１０及び入力処理部２１１を、上述した操作部３１と同様に機能させることができる。
【０９３０】
さらに据置型音楽再生装置２０１及び２０２では、ハードディスクドライブ２１５を、上述した音楽記憶部３３、属性記憶部３６及びプレイリスト記憶部３９と同様に機能させることができる。
【０９３１】
さらに据置型音楽再生装置２０１及び２０２では、メディアドライブ２１７、データ処理回路２１８及びスピーカ２２１を、上述した再生部３２と同様に機能させることができる。
【０９３２】
さらに据置型音楽再生装置２０１及び２０２では、ネットワーク通信処理部２１９及びネットワークインタフェース２２０を、上述したネットワーク通信部３４と同様に機能させることができる。
【０９３３】
さらに据置型音楽再生装置２０１及び２０２では、外部装置インタフェース２２２を、上述した装置通信部４１と同様に機能させることができる。
【０９３４】
さらに据置型音楽再生装置２０１及び２０２では、表示処理部２２３及びディスプレイ２２４を、上述した表示部３７と同様に機能させることができる。
【０９３５】
従って据置型音楽再生装置２０１及び２０２は、図３について上述した据置型音楽再生装置２１と同様に上述した据置側連携再生処理手順ＲＴ１を実行することができる。
【０９３６】
よって据置型音楽再生装置２０１及び２０２は、上述した第１の実施の形態による据置型音楽再生装置２１と同様の効果を得ることができる。
【０９３７】
これに対して据置型音楽再生装置２０１及び２０２では、図１８について上述した機能回路ブロックによるハードウェア回路構成の据置型音楽再生装置１０１及び１０２の機能に応じて、ＲＯＭ２１４又はハードディスクドライブ２１５に記憶させる各種プログラムを適宜選定する。
【０９３８】
すなわち、据置型音楽再生装置２０１及び２０２では、ＲＯＭ２１４又はハードディスクドライブ２１５に記憶させる各種プログラムを、上述した据置側連携再生処理手順ＲＴ３を実行させるための音楽選定プログラムのように適宜選定する。
【０９３９】
これにより据置型音楽再生装置２０１及び２０２は、図１８について上述した据置型音楽再生装置１０１及び１０２と同様に機能することができる。
【０９４０】
実際に据置型音楽再生装置２０１及び２０２では、中央処理ユニット２１３を、上述した制御部１２０、解析部３５、プレイリスト生成部３８及び選定部４０と同様に機能させることができる。
【０９４１】
また据置型音楽再生装置２０１及び２０２では、操作入力部２１０及び入力処理部２１１を、上述した操作部３１と同様に機能させることができる。
【０９４２】
さらに据置型音楽再生装置２０１及び２０２では、ハードディスクドライブ２１５を、上述した音楽記憶部３３、属性記憶部３６及びプレイリスト記憶部３９と同様に機能させることができる。
【０９４３】
さらに据置型音楽再生装置２０１及び２０２では、メディアドライブ２１７、データ処理回路２１８及びスピーカ２２１を、上述した再生部３２と同様に機能させることができる。
【０９４４】
さらに据置型音楽再生装置２０１及び２０２では、ネットワーク通信処理部２１９及びネットワークインタフェース２２０を、上述したネットワーク通信部１２１と同様に機能させることができる。
【０９４５】
さらに据置型音楽再生装置２０１及び２０２では、外部装置インタフェース２２２を、上述した装置通信部４１と同様に機能させることができる。
【０９４６】
さらに据置型音楽再生装置２０１及び２０２では、表示処理部２２３及びディスプレイ２２４を、上述した表示部３７と同様に機能させることができる。
【０９４７】
従って据置型音楽再生装置２０１及び２０２は、図１８について上述した据置型音楽再生装置１０１及び１０２と同様に上述した据置側連携再生処理手順ＲＴ３を実行することができる。
【０９４８】
よって据置型音楽再生装置２０１及び２０２は、上述した第３の実施の形態による据置型音楽再生装置１０１及び１０２と同様の効果を得ることができる。
【０９４９】
因みに据置型音楽再生装置２０１及び２０２では、ＲＯＭ２１４又はハードディスクドライブ２１５に対し予め音楽選定プログラムを記憶していても良い。
【０９５０】
また据置型音楽再生装置２０１及び２０２では、音楽選定プログラムが記録されたコンピュータ読取可能な記録媒体によって当該音楽選定プログラムをインストールするようにしても良い。
【０９５１】
さらに据置型音楽再生装置２０１及び２０２では、ローカルエリアネットワークやインターネット２０４、デジタル衛星放送等の有線及び無線通信媒体を利用して外部から音楽選定プログラムをインストールするようにしても良い。
【０９５２】
そして音楽選定プログラムを据置型音楽再生装置２０１及び２０２にインストールして実行可能な状態にするためのコンピュータ読取可能な記録媒体としては、例えばフレキシブルディスクのようなパッケージメディアで実現しても良い。
【０９５３】
また音楽選定プログラムを据置型音楽再生装置２０１及び２０２にインストールして実行可能な状態にするためのコンピュータ読取可能な記録媒体としては、ＣＤ−ＲＯＭ（Compact Disc-Read Only Memory ）のようなパッケージメディアで実現しても良い。
【０９５４】
さらに音楽選定プログラムを据置型音楽再生装置２０１及び２０２にインストールして実行可能な状態にするためのコンピュータ読取可能な記録媒体としては、ＤＶＤ（Digital Versatile Disc）等のパッケージメディアで実現しても良い。
【０９５５】
さらに、かかるコンピュータ読取可能な記録媒体としては、パッケージメディアのみならず、各種プログラムが一時的もしくは永続的に記録される半導体メモリや磁気ディスク等で実現しても良い。
【０９５６】
また、これらコンピュータ読取可能な記録媒体に音楽選定プログラムを記録する手段としては、ローカルエリアネットワークやインターネット２０４、デジタル衛星放送等の有線及び無線通信媒体を利用しても良い。
【０９５７】
さらにコンピュータ読取可能な記録媒体に音楽選定プログラムを記録する手段としては、ルータやモデム等の各種通信インタフェースを利用しても良い。
【０９５８】
一方、携帯型音楽再生装置２０３では、図９について上述した機能回路ブロックによるハードウェア回路構成の携帯型音楽再生装置２２の機能に応じて、ＲＯＭ２３４又は記憶部２３６に記憶させる各種プログラムを適宜選定する。
【０９５９】
すなわち携帯型音楽再生装置２０３では、ＲＯＭ２３４又は記憶部２３６に記憶させる各種プログラムを上述した携帯側連携再生処理手順ＲＴ２を実行させるための音楽再生プログラムのように適宜選定する。
【０９６０】
これにより携帯型音楽再生装置２０３は、図９について上述した携帯型音楽再生装置２２と同様に機能することができる。
【０９６１】
実際に携帯型音楽再生装置２０３では、中央処理ユニット２３３を、上述した制御部５０、解析部５７、選定部６０及びプレイリスト生成部６１と同様に機能させることができる。
【０９６２】
また携帯型音楽再生装置２０３では、操作入力部２３０及び入力処理部２３１を、上述した操作部５５と同様に機能させることができる。
【０９６３】
さらに携帯型音楽再生装置２０３では、記憶部２３６を、上述した音楽記憶部５２、属性記憶部５３、プレイリスト記憶部５４及び履歴記憶部６２と同様に機能させることができる。
【０９６４】
さらに携帯型音楽再生装置２０３では、送受信回路部２３７及びアンテナ２３８を、上述したネットワーク通信部５６と同様に機能させることができる。
【０９６５】
さらに携帯型音楽再生装置２０３では、外部装置インタフェース２３９を、上述した装置通信部５１と同様に機能させることができる。
【０９６６】
さらに携帯型音楽再生装置２０３では、データ処理回路２４０及びヘッドホン２４１を、上述した再生部５９と同様に機能させることができる。
【０９６７】
さらに携帯型音楽再生装置２０３では、表示処理部２４２及びディスプレイ２４３を、上述した表示部５８と同様に機能させることができる。
【０９６８】
従って携帯型音楽再生装置２０３は、図９について上述した携帯型音楽再生装置２２と同様に携帯側連携再生処理手順ＲＴ２を実行することができる。
【０９６９】
よって携帯型音楽再生装置２０３は、上述した第１の実施の形態による携帯型音楽再生装置２２と同様の効果を得ることができる。
【０９７０】
因みに携帯型音楽再生装置２０３では、ＲＯＭ２３４又は記憶部２３６に対し予め音楽再生プログラムを記憶していても良い。
【０９７１】
また携帯型音楽再生装置２０３では、音楽再生プログラムが記録されたコンピュータ読取可能な記録媒体によって当該音楽再生プログラムをインストールするようにしても良い。
【０９７２】
さらに携帯型音楽再生装置２０３では、ローカルエリアネットワークやインターネット２０４、デジタル衛星放送等の有線及び無線通信媒体を利用して外部から音楽再生プログラムをインストールするようにしても良い。
【０９７３】
そして音楽再生プログラムを携帯型音楽再生装置２０３にインストールして実行可能な状態にするためのコンピュータ読取可能な記録媒体としては、例えばフレキシブルディスクのようなパッケージメディアで実現しても良い。
【０９７４】
また音楽再生プログラムを携帯型音楽再生装置２０３にインストールして実行可能な状態にするためのコンピュータ読取可能な記録媒体としては、ＣＤ−ＲＯＭやＤＶＤ等のパッケージメディアで実現しても良い。
【０９７５】
さらに、かかるコンピュータ読取可能な記録媒体としては、パッケージメディアのみならず、各種プログラムが一時的もしくは永続的に記録される半導体メモリや磁気ディスク等で実現しても良い。
【０９７６】
また、これらコンピュータ読取可能な記録媒体に音楽再生プログラムを記録する手段としては、ローカルエリアネットワークやインターネット２０４、デジタル衛星放送等の有線及び無線通信媒体を利用しても良い。
【０９７７】
さらにコンピュータ読取可能な記録媒体に音楽再生プログラムを記録する手段としては、ルータやモデム等の各種通信インタフェースを利用しても良い。
【０９７８】
さらにまた音楽提供装置２０５では、図１７について上述した機能回路ブロックによるハードウェア回路構成の音楽提供装置１０４の機能に応じて、ＲＯＭ２５１又はハードディスクドライブ２５２に記憶させる各種プログラムを適宜選定する。
【０９７９】
すなわち音楽提供装置２０５では、ＲＯＭ２５１又はハードディスクドライブ２５２に記憶させる各種プログラムを上述した音楽データ送信処理手順ＲＴ４を実行させるための音楽送信プログラムのように適宜選定する。
【０９８０】
これにより音楽提供装置２０５は、図１７について上述した音楽提供装置１０４と同様に機能することができる。
【０９８１】
実際に音楽提供装置２０５では、中央処理ユニット２５０を、上述した制御部１１０、解析部１１３及び復号部１１６と同様に機能させることができる。
【０９８２】
また音楽提供装置２０５では、ハードディスクドライブ２５２を、上述した音楽記憶部１１２及び属性記憶部１１４と同様に機能させることができる。
【０９８３】
さらに音楽提供装置２０５では、取込インタフェース２５５を、上述した取込部１１１と同様に機能させることができる。
【０９８４】
さらに音楽提供装置２０５では、ネットワークインタフェース２５６及びネットワーク通信部２５７を、上述したネットワーク通信部１１５と同様に機能させることができる。
【０９８５】
従って音楽提供装置２０５は、図１７について上述した音楽提供装置１０４と同様に音楽データ送信処理手順ＲＴ４を実行することができる。
【０９８６】
よって音楽提供装置２０５は、上述した第２の実施の形態による音楽提供装置１０４と同様の効果を得ることができる。
【０９８７】
因みに音楽提供装置２０５では、ＲＯＭ２５１又はハードディスクドライブ２５２に対し予め音楽送信プログラムを記憶していても良い。
【０９８８】
また音楽提供装置２０５では、音楽送信プログラムが記録されたコンピュータ読取可能な記録媒体によって当該音楽送信プログラムをインストールするようにしても良い。
【０９８９】
さらに音楽提供装置２０５では、ローカルエリアネットワークやインターネット２０４、デジタル衛星放送等の有線及び無線通信媒体を利用して外部から音楽送信プログラムをインストールするようにしても良い。
【０９９０】
そして音楽送信プログラムを音楽提供装置２０５にインストールして実行可能な状態にするためのコンピュータ読取可能な記録媒体としては、例えばフレキシブルディスクのようなパッケージメディアで実現しても良い。
【０９９１】
また音楽送信プログラムを音楽提供装置２０５にインストールして実行可能な状態にするためのコンピュータ読取可能な記録媒体としては、ＣＤ−ＲＯＭやＤＶＤ等のパッケージメディアで実現しても良い。
【０９９２】
さらに、かかるコンピュータ読取可能な記録媒体としては、パッケージメディアのみならず、各種プログラムが一時的もしくは永続的に記録される半導体メモリや磁気ディスク等で実現しても良い。
【０９９３】
また、これらコンピュータ読取可能な記録媒体に音楽送信プログラムを記録する手段としては、ローカルエリアネットワークやインターネット２０４、デジタル衛星放送等の有線及び無線通信媒体を利用しても良い。
【０９９４】
さらにコンピュータ読取可能な記録媒体に音楽送信プログラムを記録する手段としては、ルータやモデム等の各種通信インタフェースを利用しても良い。
【０９９５】
（５）他の実施の形態３
（５−１）他の実施の形態３−１
なお上述した第１乃至第３の実施の形態においては、本発明で利用するコンテンツデータとして、図１乃至図２６について上述した音楽データを適用するようにした場合について述べたが、本発明はこれに限らず、動画像データや静止画像データ（例えば、写真画像データ）、テキストデータやプログラムデータ等のように、この他種々のコンテンツデータを広く適用することができる。
【０９９６】
（５−２）他の実施の形態３−２
また上述した第１乃至第３の実施の形態においては、本発明による連携再生システムを、図１乃至図２６について上述した連携再生システム１、２０、１００及び２００に適用するようにした場合について述べたが、本発明はこれに限らず、パーソナルコンピュータや携帯電話機、ＰＤＡ（Personal Digital Assistance ）等の情報処理装置、ハードディスクレコーダ等の記録再生装置を有する連携再生システム等のように、この他種々の構成の連携再生システムに広く適用することができる。
【０９９７】
（５−３）他の実施の形態３−３
さらに上述した第１乃至第３の実施の形態においては、本発明によるコンテンツ選定装置を、図１乃至図２６について上述したコンテンツ選定装置３、据置型音楽再生装置２１、１０１、１０２、２０１及び２０２に適用するようにした場合について述べたが、本発明はこれに限らず、パーソナルコンピュータや携帯電話機、ＰＤＡ等の情報処理装置、ハードディスクレコーダ等の記録再生装置、コンテンツデータの再生機能をもたないコンテンツ選定装置等のように、この他種々の構成のコンテンツ選定装置に広く適用することができる。
【０９９８】
（５−４）他の実施の形態３−４
さらに上述した第１乃至第３の実施の形態においては、本発明によるコンテンツ再生装置を、図１乃至図２６について上述したコンテンツ再生装置２、携帯型音楽再生装置２２及び２０３に適用するようにした場合について述べたが、本発明はこれに限らず、パーソナルコンピュータや携帯電話機、ＰＤＡ、ゲーム機器等の情報処理装置、ハードディスクレコーダ等の据置型の記録再生装置等のように、この他種々の構成のコンテンツ再生装置に広く適用することができる。
【産業上の利用可能性】
【０９９９】
本発明は、携帯型音楽再生装置等のコンテンツ再生装置と、据置型音楽再生装置等のコンテンツ選定装置とから構築される連携再生システムに利用することができる。
【図面の簡単な説明】
【１０００】
【図１】本発明による連携再生システムの構成の概要を示すブロック図である。
【図２】第１の実施の形態による連携再生システムの構成を示すブロック図である。
【図３】据置型音楽再生装置の機能回路ブロックによるハードウェア回路構成を示すブロック図である。
【図４】音楽関連情報の構成を示す略線図である。
【図５】属性データの構成を示す略線図である。
【図６】属性データベースの構成を示す略線図である。
【図７】プレイリストの構成を示す略線図である。
【図８】比較基準属性データと比較対象属性データとの比較の説明に供する略線図である。
【図９】携帯型音楽再生装置の機能回路ブロックによるハードウェア回路構成を示すブロック図である。
【図１０】第１の連携再生処理手順（１）を示すフローチャートである。
【図１１】第１の連携再生処理手順（２）を示すフローチャートである。
【図１２】送信処理のサブルーチンを示すフローチャートである。
【図１３】受信処理のサブルーチンを示すフローチャートである。
【図１４】終了処理のサブルーチンを示すフローチャートである。
【図１５】共演アーティストリストの構成を示す略線図である。
【図１６】第２の実施の形態による連携再生システムの構成を示すブロック図である。
【図１７】音楽提供装置の機能回路ブロックによるハードウェア回路構成を示すブロック図である。
【図１８】据置型音楽再生装置の機能回路ブロックによるハードウェア回路構成を示すブロック図である。
【図１９】第２の連携再生処理手順（１）を示すフローチャートである。
【図２０】第２の連携再生処理手順（２）を示すフローチャートである。
【図２１】第２の連携再生処理手順（３）を示すフローチャートである。
【図２２】第２の連携再生処理手順（４）を示すフローチャートである。
【図２３】第３の実施の形態による連携再生システムの構成を示すブロック図である。
【図２４】据置型音楽再生装置のハードウェア回路ブロックによるハードウェア回路構成を示すブロック図である。
【図２５】携帯型音楽再生装置のハードウェア回路ブロックによるハードウェア回路構成を示すブロック図である。
【図２６】音楽提供装置のハードウェア回路ブロックによるハードウェア回路構成を示すブロック図である。
【符号の説明】
【１００１】
１、２０、１００、２００……連携再生システム、２……コンテンツ再生装置、３……コンテンツ選定装置、１０……再生側属性記憶部、１１……再生部、１２……送信部、１５……選定側属性記憶部、１６……受信部、１７、４０、６０……選定部、２１、１０１、１０２、２０１、２０２……据置型音楽再生装置、２２、２０３……携帯型音楽再生装置、３０、５０、１１０、１２０……制御部、３２、５９……再生部、３３、５２、１１２……音楽記憶部、３４、５６、１１５、１２１……ネットワーク通信部、３６、５３、１１４……属性記憶部、４１、５１……装置通信部、３８、６１……プレイリスト生成部、３９、５４……プレイリスト記憶部、６２……履歴記憶部、１０３、２０４……インターネット、１０４、２０５……音楽提供装置、２１３、２３３、２５０……中央処理ユニット、２１５、２５２……ハードディスクドライブ、２１８、２４０……データ処理回路、２１９、２５７……ネットワーク通信処理部、２２０、２５６……ネットワークインタフェース、２２１……スピーカ、２２２、２３９……外部装置インタフェース、２３６……記憶部、２３７……送受信回路部、２３８……アンテナ、２４１……ヘッドホン、ＡＢ……属性データ、ＡＢＭ……比較基準属性データ、ＡＢ１乃至ＡＢＮ……比較対象属性データ、ＣＡＬ……共演アーティストリスト、ＰＬ……プレイリスト、ＲＴ１……携帯側連携再生処理手順、ＲＴ２、ＲＴ３……据置側連携再生処理手順、ＲＴ４……音楽データ送信処理手順。
【図１】
2009217873.tif 000003
【図２】
2009217873.tif 000004
【図３】
2009217873.tif 000005
【図４】
2009217873.tif 000006
【図５】
2009217873.tif 000007
【図６】
2009217873.tif 000008
【図７】
2009217873.tif 000009
【図８】
2009217873.tif 000010
【図９】
2009217873.tif 000011
【図１０】
2009217873.tif 000012
【図１１】
2009217873.tif 000013
【図１２】
2009217873.tif 000014
【図１３】
2009217873.tif 000015
【図１４】
2009217873.tif 000016
【図１５】
2009217873.tif 000017
【図１６】
2009217873.tif 000018
【図１７】
2009217873.tif 000019
【図１８】
2009217873.tif 000020
【図１９】
2009217873.tif 000021
【図２０】
2009217873.tif 000022
【図２１】
2009217873.tif 000023
【図２２】
2009217873.tif 000024
【図２３】
2009217873.tif 000025
【図２４】
2009217873.tif 000026
【図２５】
2009217873.tif 000027
【図２６】
2009217873.tif 000028